(57)【特許請求の範囲】
【請求項１】
スモールセルを配備するネットワークに適用可能な基地局であって、前記ネットワークが、少なくとも1つのユーザ機器中継装置(UE−relay)と、少なくとも1つの低電力ノード(LPN)と、前記基地局と、移動管理エンティティ(MME)と、コアネットワーク要素と、を含み、前記UE−relayが、前記コアネットワーク要素に有線で接続され、前記UE−relayが、前記LPNに無線で接続され、前記基地局が、
前記MMEが送信したバックホールオフロード確立要求メッセージを受信するように構成される、受信モジュールであって、前記バックホールオフロード確立要求メッセージが、第1のLPNの識別情報(ID)と、第1のUE−relayのIDと、前記第1のLPNの第1の確立すべきベアラのIDと、前記第1の確立すべきベアラの第1のS1構成情報と、前記第1の確立すべきベアラが満たす必要があるサービス品質(QoS)要件のための指示子と、を含み、前記第1のLPNが前記少なくとも1つのLPNのうちの1つであり、前記第1のUE−relayが前記少なくとも1つUE−relayのうちの1つである、受信モジュールと、
前記受信モジュールが受信した前記第1のLPNの前記IDに従って、オフロードベアラ要求メッセージを前記第1のLPNに送信するように構成される、送信モジュールであって、前記オフロードベアラ要求メッセージが、前記第1のUE−relayの前記IDと、前記第1の確立すべきベアラの前記IDと、前記第1の確立すべきベアラが満たす必要がある前記QoS要件のための前記指示子と、を運び、前記オフロードベアラ要求メッセージが、前記第1のLPNに、第2の確立すべきベアラのデータ無線ベアラ(DRB)構成情報を判定するように命令するために使用され、前記第2の確立すべきベアラが、前記第1のUE−relayによって確立され得、かつ前記第1のLPNによって、前記オフロードベアラ要求メッセージにある、前記第1の確立すべきベアラが満たす必要がある前記QoS要件のための前記指示子と前記第1の確立すべきベアラの前記IDとに従って、前記第1の確立すべきベアラから判定されるベアラであり、
前記受信モジュールが、前記第1のLPNが送信し、かつ前記第2の確立すべきベアラの前記DRB構成情報と前記第2の確立すべきベアラのIDとを運ぶ、オフロードベアラ肯定応答メッセージを受信するようにさらに構成される、送信モジュールと、
前記受信モジュールが受信した、前記第2の確立すべきベアラの前記IDと前記第1の確立すべきベアラの前記第1のS1構成情報とに従って、前記第2の確立すべきベアラの第1のS1構成情報を判定するように構成される、判定モジュールであって、
前記送信モジュールが、前記受信モジュールが受信した前記第1のUE−relayの前記IDに従って、オフロードベアラ構成メッセージを前記第1のUE−relayに送信することであって、前記オフロードベアラ構成メッセージが、前記第2の確立すべきベアラの前記IDと、前記第2の確立すべきベアラの前記DRB構成情報と、前記第2の確立すべきベアラの前記第1のS1構成情報と、を含み、前記オフロードベアラ構成メッセージが、前記第1のUE−relayに、前記第1のLPNのためのサービスベアラを確立するように命令するために使用される、ことと、前記第1のUE−relayが送信した、前記サービスベアラの受信したIDと前記サービスベアラの受信した第2のS1構成情報とを前記MMEを用いて前記コアネットワーク要素に送信することであって、前記サービスベアラの前記IDが、前記第2の確立すべきベアラの前記IDである、ことと、を行うようにさらに構成される、判定モジュールと、
を備える、基地局。
【請求項２】
前記サービスベアラが、前記第1のUE−relayが前記第2の確立すべきベアラの前記DRB構成情報に従って確立したDRBベアラと、前記第1のUE−relayが前記第2の確立すべきベアラの前記第1のS1構成情報に従って確立したS1ベアラと、を含む、請求項1に記載の基地局。
【請求項３】
前記送信モジュールが、前記MMEが送信した前記バックホールオフロード確立要求メッセージを前記受信モジュールが受信する前に、少なくとも1つの第1の初期バックホールメッセージを前記MMEに送信するようにさらに構成され、各第1の初期バックホールメッセージが、1つのLPNのIDと、前記少なくとも1つのUE−relayのIDと、前記LPNの送信容量情報と、各UE−relayの送信容量情報と、を含み、
前記第1の確立すべきベアラが満たす必要がある前記QoS要件のための前記指示子が、前記第1の確立すべきベアラが満たす必要がある前記QoS要件であり、前記第1のLPNが、ベアラを確立する必要があり、かつ前記MMEによって各LPNの送信容量情報に従って判定される、LPNであり、前記第1のLPNの前記IDが、前記MMEによって、各LPNの前記送信容量情報および各LPNのIDに従って判定され、前記第1のUE−relayが、前記第1のLPNのためのベアラを確立でき、かつ前記MMEによって各UE−relayの前記送信容量情報に従って判定される、UE−relayであり、前記第1のUE−relayの前記IDが、前記MMEによって各UE−relayの前記送信容量情報および各UE−relayのIDに従って判定される、請求項2に記載の基地局。
【請求項４】
前記判定モジュールが、前記MMEが送信した前記バックホールオフロード確立要求メッセージを前記受信モジュールが受信する前に、前記少なくとも1つのLPNから、バックホール容量が制限されている第2のLPNを取得するようにさらに構成され、
前記送信モジュールが、少なくとも1つの第2の初期バックホールメッセージを前記MMEに送信するようにさらに構成され、各第2の初期バックホールメッセージが、1つの第2のLPNのIDと、前記少なくとも1つのUE−relayのIDと、前記第2のLPNの送信容量情報と、各UE−relayの送信容量情報と、前記第2のLPNの第1のオフロードすべきベアラのIDと、を含み、
前記第1のLPNが、オフロードベアラを確立する必要があり、かつ前記MMEによって前記第2のLPNから各第2のLPNの送信容量情報に従って判定される、LPNであり、前記第1のLPNの前記IDが、前記MMEによって各第2のLPNの前記送信容量情報および各第2のLPNのIDに従って判定され、前記第1のUE−relayが、前記第1のLPNのためのオフロードベアラを確立でき、かつ前記MMEによって各UE−relayの前記送信容量情報に従って判定される、UE−relayであり、前記第1のUE−relayの前記IDが、前記MMEによって各UE−relayの前記送信容量情報および各UE−relayのIDに従って判定され、前記第1の確立すべきベアラが、前記MMEによって判定され、かつ前記第1のLPNの第2のオフロードすべきベアラに対応する、オフロードベアラであり、前記第2のオフロードすべきベアラが、前記第1のUE−relayを用いてオフロードされ得、かつ前記MMEによって前記第1のLPNの第1のオフロードすべきベアラから前記第1のオフロードすべきベアラのIDならびに前記第1のUE−relayの送信容量情報および／または前記第1のLPNの送信容量情報に従って判定される、オフロードすべきベアラであり、前記第1の確立すべきベアラが満たす必要がある前記QoS要件のための前記指示子が、前記第2のオフロードすべきベアラのIDである、請求項2に記載の基地局。
【請求項５】
前記第2のオフロードすべきベアラにおけるDRBベアラが下りリンクDRBベアラである場合、前記サービスベアラにおける前記DRBベアラは上りリンクDRBベアラである、または前記第2のオフロードすべきベアラにおけるDRBベアラが上りリンクDRBベアラである場合、前記サービスベアラにおける前記DRBベアラは下りリンクDRBベアラである、請求項4に記載の基地局。
【請求項６】
前記バックホールオフロード確立要求メッセージが、前記第1のUE−relayのトラヒックフローテンプレートをさらに含み、前記オフロードベアラ構成メッセージが、前記第1のUE−relayの前記トラヒックフローテンプレートをさらに含み、前記第1のUE−relayの前記トラヒックフローテンプレートが、前記第1のUE−relayに、前記サービスベアラにおける前記DRBベアラと前記S1ベアラとの間のマッピング関係を確立するように命令するために使用される、請求項2から5のいずれか一項に記載の基地局。
【請求項７】
装置であって、前記装置が、第1の低電力ノード(LPN)であり、前記装置が、スモールセルを配備するネットワークに適用可能であり、前記ネットワークが、少なくとも1つのユーザ機器中継装置(UE−relay)と、少なくとも1つのLPNと、基地局と、移動管理エンティティ(MME)と、コアネットワーク要素と、を含み、前記UE−relayが、前記コアネットワーク要素に有線で接続され、前記UE−relayが、前記LPNに無線で接続され、前記第1のLPNが、前記少なくとも1つのLPNのうちの1つであり、前記装置が、
前記MMEが送信したバックホールオフロード確立要求メッセージにおける前記第1のLPNの識別情報(ID)に従って前記基地局が送信したオフロードベアラ要求メッセージを受信するように構成される受信モジュールであって、前記バックホールオフロード確立要求メッセージが、前記第1のLPNの前記IDと、第1のUE−relayのIDと、前記第1のLPNの第1の確立すべきベアラのIDと、前記第1の確立すべきベアラの第1のS1構成情報と、前記第1の確立すべきベアラが満たす必要があるサービス品質(QoS)要件のための指示子と、を含み、前記オフロードベアラ要求メッセージが、前記第1のUE−relayの前記IDと、前記第1のLPNの前記第1の確立すべきベアラの前記IDと、前記第1の確立すべきベアラが満たす必要がある前記QoS要件のための前記指示子と、を運び、前記第1のUE−relayが、前記少なくとも1つのUE−relayのうちの1つである、受信モジュールと、
前記受信モジュールが受信した前記オフロードベアラ要求メッセージに従って、前記第1のUE−relayによって確立され得る第2の確立すべきベアラのデータ無線ベアラDRB構成情報を判定するように構成される判定モジュールであって、前記第2の確立すべきベアラが、前記第1のUE−relayによって、確立され得、かつ前記第1のLPNによって前記オフロードベアラ要求メッセージにある、前記第1の確立すべきベアラが満たす必要がある前記QoS要件のための前記指示子および前記第1の確立すべきベアラの前記IDに従って前記第1のLPNの前記第1の確立すべきベアラから判定される、ベアラである、判定モジュールと、
オフロードベアラ肯定応答メッセージを前記基地局に送信するように構成される送信モジュールであって、前記オフロードベアラ肯定応答メッセージが、前記第2の確立すべきベアラのものであり、かつ前記判定モジュールによって判定される、前記DRB構成情報と、前記第2の確立すべきベアラのIDと、を含み、前記オフロードベアラ肯定応答メッセージが、前記基地局に、前記第1のUE−relayの前記IDに従って、オフロードベアラ構成メッセージを前記第1のUE−relayへ送信するように命令するために使用され、前記オフロードベアラ構成メッセージが、前記第2の確立すべきベアラの前記IDと、前記第2の確立すべきベアラの前記DRB構成情報と、前記第2の確立すべきベアラの第1のS1構成情報と、を含み、前記オフロードベアラ構成メッセージが、前記第1のUE−relayに、前記第1のLPNのためのサービスベアラを確立するように命令するために使用され、前記第2の確立すべきベアラの前記第1のS1構成情報が、前記第2の確立すべきベアラの前記IDおよび前記第1の確立すべきベアラの前記第1のS1構成情報に従って前記基地局によって判定される、送信モジュールと、
を備える、装置。
【請求項８】
前記サービスベアラが、前記第1のUE−relayが前記第2の確立すべきベアラの前記DRB構成情報に従って確立したDRBベアラと、前記第1のUE−relayが前記第2の確立すべきベアラの前記第1のS1構成情報に従って確立したS1ベアラと、を含む、請求項7に記載の装置。
【請求項９】
装置であって、前記装置が、第1のユーザ機器中継装置(UE−relay)であり、前記装置が、スモールセルを配備するネットワークに適用可能であり、前記ネットワークが、少なくとも1つのユーザ機器中継装置UE−relayと、少なくとも1つの低電力ノード(LPN)と、基地局と、移動管理エンティティ(MME)と、コアネットワーク要素と、を含み、前記UE−relayが、前記コアネットワーク要素に有線で接続され、前記UE−relayが、前記LPNに無線で接続され、前記第1のUE−relayが、前記少なくとも1つのUE−relayのうちの1つであり、前記装置が、
前記第1のUE−relayの識別情報IDに従って前記基地局が送信したオフロードベアラ構成メッセージを受信するように構成される受信モジュールであって、前記オフロードベアラ構成メッセージが、第2の確立すべきベアラの識別情報IDと、前記第2の確立すべきベアラの第1のS1構成情報と、前記第2の確立すべきベアラのデータ無線ベアラ(DRB)構成情報と、を含み、前記第2の確立すべきベアラが、前記第1のUE−relayによって確立され得、かつ第1のLPNによって前記第1のLPNの第1の確立すべきベアラから、前記基地局が送信したオフロードベアラ要求メッセージにおける前記第1の確立すべきベアラが満たす必要があるサービス品質(QoS)要件のための指示子および前記第1のLPNの前記第1の確立すべきベアラのIDに従って判定される、ベアラであり、前記オフロードベアラ要求メッセージが、前記第1のUE−relayの前記IDと、前記第1の確立すべきベアラの前記IDと、前記第1の確立すべきベアラが満たす必要がある前記QoS要件のための前記指示子と、を運び、前記オフロードベアラ要求メッセージが、前記第1のLPNに、前記第2の確立すべきベアラの前記DRB構成情報を判定するように命令するために使用され、前記第1のLPNが、前記少なくとも1つのLPNのうちの1つである、受信モジュールと、
前記受信モジュールが受信した前記第2の確立すべきベアラの前記第1のS1構成情報および前記第2の確立すべきベアラの前記DRB構成情報に従って、前記第1のLPNためのサービスベアラを確立するように構成されるベアラ確立モジュールと、
前記基地局および前記MMEを使用して、前記ベアラ確立モジュールが確立した前記サービスベアラのIDと前記サービスベアラの第2のS1構成情報とを前記コアネットワーク要素に送信するように構成される送信モジュールであって、前記サービスベアラの前記IDが、前記第2の確立すべきベアラの前記IDである、送信モジュールと、
を備える、装置。
【請求項１０】
前記ベアラ確立モジュールが、前記第2の確立すべきベアラのものであり、かつ前記受信モジュールが受信した、前記第1のS1構成情報に従って、前記第1のUE−relayと前記コアネットワーク要素との間のS1ベアラを確立することと、前記第2の確立すべきベアラのものであり、かつ前記受信モジュールが受信した、前記DRB構成情報に従って、前記第1のUE−relayと前記第1のLPNとの間のDRBベアラを確立することと、を行うように特に構成される、請求項9に記載の装置。
【請求項１１】
バックホールリンク確立方法であって、前記方法が、スモールセルを配備するネットワークに適用可能であり、ネットワークが、少なくとも1つのユーザ機器中継装置(UE−relay)と、少なくとも1つの低電力ノード(LPN)と、基地局と、移動管理エンティティ(MME)と、コアネットワーク要素と、を含み、前記UE−relayが、前記コアネットワーク要素に有線で接続され、前記UE−relayが、前記LPNに無線で接続され、前記方法が、
前記基地局によって、前記MMEが送信したバックホールオフロード確立要求メッセージを受信するステップであって、
前記バックホールオフロード確立要求メッセージが、第1のLPNの識別情報(ID)と、第1のUE−relayのIDと、前記第1のLPNの第1の確立すべきベアラのIDと、前記第1の確立すべきベアラの第1のS1構成情報と、前記第1の確立すべきベアラが満たす必要があるサービス品質(QoS)要件のための指示子と、を含み、前記第1のLPNが前記少なくとも1つのLPNのうちの1つであり、前記第1のUE−relayが前記少なくとも1つUE−relayのうちの1つである、ステップと、
前記基地局によって、前記第1のLPNの前記IDに従って、オフロードベアラ要求メッセージを前記第1のLPNに送信するステップであって、前記オフロードベアラ要求メッセージが、前記第1のUE−relayの前記IDと、前記第1の確立すべきベアラの前記IDと、前記第1の確立すべきベアラが満たす必要がある前記QoS要件のための前記指示子と、を運び、前記オフロードベアラ要求メッセージが、前記第1のLPNに、第2の確立すべきベアラのデータ無線ベアラ(DRB)構成情報を判定するように命令するために使用され、前記第2の確立すべきベアラが、前記第1のUE−relayによって確立され得、かつ前記第1のLPNによって、前記オフロードベアラ要求メッセージにある、前記第1の確立すべきベアラが満たす必要がある前記QoS要件のための前記指示子と前記第1の確立すべきベアラの前記IDとに従って、前記第1の確立すべきベアラから判定されるベアラである、ステップと、
前記基地局によって、前記第1のLPNが送信し、かつ前記第2の確立すべきベアラの前記DRB構成情報と前記第2の確立すべきベアラのIDとを運ぶ、オフロードベアラ肯定応答メッセージを受信するステップと、
前記基地局によって、前記第2の確立すべきベアラの前記IDと前記第1の確立すべきベアラの前記第1のS1構成情報とに従って、前記第2の確立すべきベアラの第1のS1構成情報を判定するステップと、
前記基地局によって、前記第1のUE−relayの前記IDに従って、オフロードベアラ構成メッセージを前記第1のUE−relayに送信するステップであって、前記オフロードベアラ構成メッセージが、前記第2の確立すべきベアラの前記IDと、前記第2の確立すべきベアラの前記DRB構成情報と、前記第2の確立すべきベアラの前記第1のS1構成情報と、を含み、前記オフロードベアラ構成メッセージが、前記第1のUE−relayに、前記第1のLPNのためのサービスベアラを確立するように命令するために使用される、ステップと、
前記基地局によって、前記第1のUE−relayが送信した、前記サービスベアラの受信したIDと前記サービスベアラの受信した第2のS1構成情報とを前記MMEを用いて前記コアネットワーク要素に送信するステップであって、前記サービスベアラの前記IDが、前記第2の確立すべきベアラの前記IDである、ステップと、
を含む、バックホールリンク確立方法。
【請求項１２】
前記サービスベアラが、前記第1のUE−relayが前記第2の確立すべきベアラの前記DRB構成情報に従って確立したDRBベアラと、前記第1のUE−relayが前記第2の確立すべきベアラの前記第1のS1構成情報に従って確立したS1ベアラと、を含む、請求項11に記載の方法。
【請求項１３】
前記基地局によって、前記MMEが送信したバックホールオフロード確立要求メッセージを受信する、前記ステップの前に、
前記基地局によって、前記少なくとも1つのLPNから、バックホール容量が制限されている第2のLPNを取得するステップと、
前記基地局によって、少なくとも1つの第2の初期バックホールメッセージを前記MMEに送信するステップであって、各第2の初期バックホールメッセージが、1つの第2のLPNのIDと、前記少なくとも1つのUE−relayのIDと、前記第2のLPNの送信容量情報と、各UE−relayの送信容量情報と、前記第2のLPNの第1のオフロードすべきベアラのIDと、を含む、ステップと、
をさらに含み、
前記第1のLPNが、オフロードベアラを確立する必要があり、かつ前記MMEによって前記第2のLPNから各第2のLPNの送信容量情報に従って判定される、LPNであり、前記第1のLPNの前記IDが、前記MMEによって各第2のLPNの前記送信容量情報および各第2のLPNのIDに従って判定され、前記第1のUE−relayが、前記第1のLPNのためのオフロードベアラを確立でき、かつ前記MMEによって各UE−relayの前記送信容量情報に従って判定される、UE−relayであり、前記第1のUE−relayの前記IDが、前記MMEによって各UE−relayの前記送信容量情報および各UE−relayのIDに従って判定され、前記第1の確立すべきベアラが、前記MMEによって判定され、かつ前記第1のLPNの第2のオフロードすべきベアラに対応する、オフロードベアラであり、前記第2のオフロードすべきベアラが、前記第1のUE−relayを用いてオフロードされ得、かつ前記MMEによって前記第1のLPNの第1のオフロードすべきベアラから前記第1のオフロードすべきベアラのIDならびに前記第1のUE−relayの送信容量情報および／または前記第1のLPNの送信容量情報に従って判定される、オフロードすべきベアラであり、前記第1の確立すべきベアラが満たす必要がある前記QoS要件のための前記指示子が、前記第2のオフロードすべきベアラのIDである、請求項12に記載の方法。
【請求項１４】
前記第2のオフロードすべきベアラにおけるDRBベアラが下りリンクDRBベアラである場合、前記サービスベアラにおける前記DRBベアラは上りリンクDRBベアラである、または前記第2のオフロードすべきベアラにおけるDRBベアラが上りリンクDRBベアラである場合、前記サービスベアラにおける前記DRBベアラは下りリンクDRBベアラである、請求項13に記載の方法。
【請求項１５】
前記バックホールオフロード確立要求メッセージが、前記第1のUE−relayのトラヒックフローテンプレートをさらに含み、前記オフロードベアラ構成メッセージが、前記第1のUE−relayの前記トラヒックフローテンプレートをさらに含み、前記第1のUE−relayの前記トラヒックフローテンプレートが、前記第1のUE−relayに、前記サービスベアラにおける前記DRBベアラと前記S1ベアラとの間のマッピング関係を確立するように命令するために使用される、請求項12から14のいずれか一項に記載の方法。
【請求項１６】
バックホールリンク確立方法であって、前記方法が、スモールセルを配備するネットワークに適用可能であり、ネットワークが、少なくとも1つのユーザ機器中継装置(UE−relay)と、少なくとも1つの低電力ノード(LPN)と、基地局と、移動管理エンティティ(MME)と、コアネットワーク要素と、を含み、前記UE−relayが、前記コアネットワーク要素に有線で接続され、前記UE−relayが、前記LPNに無線で接続され、前記方法が、
第1のLPNによって、前記MMEが送信したバックホールオフロード確立要求メッセージにおける前記第1のLPNの識別情報(ID)に従って前記基地局が送信したオフロードベアラ要求メッセージを受信するステップであって、前記バックホールオフロード確立要求メッセージが、前記第1のLPNの前記IDと、第1のUE−relayのIDと、前記第1のLPNの第1の確立すべきベアラのIDと、前記第1の確立すべきベアラの第1のS1構成情報と、前記第1の確立すべきベアラが満たす必要があるサービス品質(QoS)要件のための指示子と、を含み、前記オフロードベアラ要求メッセージが、前記第1のUE−relayの前記IDと、前記第1のLPNの前記第1の確立すべきベアラの前記IDと、前記第1の確立すべきベアラが満たす必要がある前記QoS要件のための前記指示子と、を運び、前記第1のLPNが、前記少なくとも1つのLPNのうちの1つであり、前記第1のUE−relayが、前記少なくとも1つのUE−relayのうちの1つである、ステップと、
前記第1のLPNによって、前記オフロードベアラ要求メッセージに従って、前記第1のUE−relayによって確立され得る第2の確立すべきベアラのデータ無線ベアラ(DRB)構成情報を判定するステップであって、前記第2の確立すべきベアラが、前記第1のUE−relayによって確立され得、かつ前記第1のLPNによって前記オフロードベアラ要求メッセージにある前記第1の確立すべきベアラが満たす必要がある前記QoS要件のための前記指示子および前記第1の確立すべきベアラの前記IDに従って前記第1のLPNの前記第1の確立すべきベアラから判定される、ベアラである、ステップと、
前記第1のLPNによって、オフロードベアラ肯定応答メッセージを前記基地局に送信するステップであって、前記オフロードベアラ肯定応答メッセージが、前記第2の確立すべきベアラの前記DRB構成情報と、前記第2の確立すべきベアラのIDと、を含み、前記オフロードベアラ肯定応答メッセージが、前記基地局に、前記第1のUE−relayの前記IDに従って、オフロードベアラ構成メッセージを前記第1のUE−relayへ送信するように命令するために使用され、前記オフロードベアラ構成メッセージが、前記第2の確立すべきベアラの前記IDと、前記第2の確立すべきベアラの前記DRB構成情報と、前記第2の確立すべきベアラの第1のS1構成情報と、を含み、前記オフロードベアラ構成メッセージが、前記第1のUE−relayに、前記第1のLPNのためのサービスベアラを確立するように命令するために使用され、前記第2の確立すべきベアラの前記第1のS1構成情報が、前記第2の確立すべきベアラの前記IDおよび前記第1の確立すべきベアラの前記第1のS1構成情報に従って前記基地局によって判定される、ステップと、
を含む、バックホールリンク確立方法。
【請求項１７】
前記サービスベアラが、前記第1のUE−relayが前記第2の確立すべきベアラの前記DRB構成情報に従って確立したDRBベアラと、前記第1のUE−relayが前記第2の確立すべきベアラの前記第1のS1構成情報に従って確立したS1ベアラと、を含む、請求項16に記載の方法。
【請求項１８】
前記第1のLPNが、オフロードベアラを確立する必要があり、かつ前記MMEによって第2のLPNから、前記基地局が送信した少なくとも1つの第2の初期バックホールメッセージにおける前記第2のLPNの送信容量情報に従って判定される、LPNであり、前記第1のLPNの前記IDが、前記MMEによって、前記第2のLPNの前記送信容量情報および前記第2のLPNのIDに従って判定され、前記第2のLPNが、バックホール容量が制限され、かつ前記基地局によって前記少なくとも1つのLPNから判定される、LPNであり、
前記第1のUE−relayが、前記第1のLPNのためのオフロードベアラを確立でき、かつ前記MMEによって、前記基地局が送信した前記少なくとも1つの第2の初期バックホールメッセージにおける各UE−relayの送信容量情報に従って判定される、UE−relayであり、前記第1のUE−relayの前記IDが、前記MMEによって各UE−relayの前記送信容量情報および各UE−relayのIDに従って判定され、各第2の初期バックホールメッセージが、1つの第2のLPNのIDと、前記少なくとも1つのUE−relayのIDと、前記第2のLPNの前記送信容量情報と、各UE−relayの送信容量情報と、前記第2のLPNの第1のオフロードすべきベアラのIDと、を含み、
前記第1の確立すべきベアラが、前記MMEによって判定され、かつ第2のオフロードすべきベアラに対応する、オフロードベアラであり、前記第2のオフロードすべきベアラが、前記第1のUE−relayを用いてオフロードされ得、かつ前記MMEによって前記第1のLPNの前記第1のオフロードすべきベアラから前記第1のLPNの前記第1のオフロードすべきベアラのIDならびに前記第1のUE−relayの送信容量情報および／または前記第1のLPNの送信容量情報に従って判定される、オフロードすべきベアラであり、前記第1の確立すべきベアラが満たす必要がある前記QoS要件のための前記指示子が、前記第2のオフロードすべきベアラのIDである、請求項17に記載の方法。
【請求項１９】
バックホールリンク確立方法であって、前記方法が、スモールセルを配備するネットワークに適用可能であり、ネットワークが、少なくとも1つのユーザ機器中継装置(UE−relay)と、少なくとも1つの低電力ノード(LPN)と、基地局と、移動管理エンティティ(MME)と、コアネットワーク要素と、を含み、前記UE−relayが、前記コアネットワーク要素に有線で接続され、前記UE−relayが、前記LPNに無線で接続され、前記方法が、
第1のUE−relayによって、前記第1のUE−relayの識別情報(ID)に従って前記基地局が送信したオフロードベアラ構成メッセージを受信するステップであって、前記オフロードベアラ構成メッセージが、第2の確立すべきベアラの識別情報IDと、前記第2の確立すべきベアラの第1のS1構成情報と、前記第2の確立すべきベアラのデータ無線ベアラ(DRB)構成情報と、を含み、前記第2の確立すべきベアラが、前記第1のUE−relayによって確立され得、かつ第1のLPNによって前記第1のLPNの第1の確立すべきベアラから、前記基地局が送信したオフロードベアラ要求メッセージにおける前記第1の確立すべきベアラが満たす必要があるサービス品質(QoS)要件のための指示子および前記第1のLPNの前記第1の確立すべきベアラのIDに従って判定される、ベアラであり、前記オフロードベアラ要求メッセージが、前記第1のUE−relayの前記IDと、前記第1の確立すべきベアラの前記IDと、前記第1の確立すべきベアラが満たす必要がある前記QoS要件のための前記指示子と、を運び、前記オフロードベアラ要求メッセージが、前記第1のLPNに、前記第2の確立すべきベアラの前記DRB構成情報を判定するように命令するために使用され、前記第1のLPNが、前記少なくとも1つのLPNのうちの1つであり、前記第1のUE−relayが、前記少なくとも1つのUE−relayのうちの1つである、ステップと、
前記第1のUE−relayによって、前記第2の確立すべきベアラの前記第1のS1構成情報および前記第2の確立すべきベアラの前記DRB構成情報に従って、前記第1のLPNためのサービスベアラを確立するステップと、
前記第1のUE−relayによって、前記基地局および前記MMEを使用して、前記サービスベアラのIDと前記サービスベアラの第2のS1構成情報とを前記コアネットワーク要素に送信するステップであって、前記サービスベアラの前記IDが、前記第2の確立すべきベアラの前記IDである、ステップと、
を含む、バックホールリンク確立方法。
【請求項２０】
前記第1のUE−relayによって、前記第2の確立すべきオフロードベアラの前記第1のS1構成情報および前記第2の確立すべきベアラの前記DRB構成情報に従って、前記第1のLPNためのサービスベアラを確立する、前記ステップが、
前記第1のUE−relayによって、前記第2の確立すべきベアラの前記第1のS1構成情報に従って、前記第1のUE−relayと前記コアネットワーク要素との間のS1ベアラを確立するステップと、
前記第1のUE−relayによって、前記第2の確立すべきベアラの前記DRB構成情報に従って、前記第1のUE−relayと前記第1のLPNとの間のDRBベアラを確立するステップと、
を含む、請求項19に記載の方法。
【発明の詳細な説明】
【技術分野】
【０００１】
本発明は、通信技術に関し、詳細には、バックホールリンク確立方法、基地局、および装置に関する。
【背景技術】
【０００２】
第3世代（3G）移動通信技術または第4世代（4G）移動通信技術の開発段階で、事業者は、モバイルデータサービストラヒックの急増に対して、スモールセル配備を提案する。ユーザは、スモールセルにおいて、特に、屋内または屋外のホットスポットのシナリオにおいて、高速データサービスを享受できる。
【０００３】
スモールセルの配備では、低電力ノード（low power node、以下、LPNという）が使用される。低電力ノードの送信電力はマクロ基地局の送信電力よりも小さく、複数の低電力ノードが存在し得る。LPNとユーザ機器（user equipment、略称UE）との間のリンクは、アクセスリンクと呼ばれ、LPNと基地局との間のリンクは、バックホールリンクと呼ばれる。バックホールリンクは、無線バックホールの場合もあるし、有線バックホールの場合もある。複数のLPNのバックホールリンクは、基地局の上りリンク／下りリンクリソースを共有する。上りリンク／下りリンクリソースは、基地局の上りリンク／下りリンクスペクトルリソース（すなわち、無線インターフェースリソース）である場合もあるし、LPNと基地局との間における上りリンク／下りリンク物理伝送リソース（すなわち、ファイバや非対称デジタル加入者線DSLなどの有線伝送リソース）である場合もある。
【０００４】
しかしながら、スモールセルのカバレッジ半径を小さくすることには、スモールセルのカバレッジ内におけるユーザ数の低下を伴う。ユーザ機器が移動した場合、および／またはサービスクラスの比率が変わった場合、スモールセルのサービスは、明らかに変動する。そのため、ネットワークがスモールセルに課すバックホールリンク容量要件においても明らかな変化がある。スモールセルのカバレッジ内にいるユーザが、大規模なトラヒックのサービスを使用した場合、大規模なトラヒックのサービスに要するバックホールリンク容量は、低消費帯域幅サービスに要するバックホール容量よりも大きい。したがって、LPNの複数のバックホールリンクは、複数のバックホールリンクによって共有される上りリンク／下りリンクリソースに、容量面で影響を与える。その結果、上りリンク／下りリンクリソースに対するバックホール負荷は増大し、データ伝送の信頼性に影響する。
【発明の概要】
【課題を解決するための手段】
【０００５】
本発明の各実施形態は、次の従来技術の技術的課題を解決するために、バックホールリンク確立方法、基地局、および装置を提供する：スモールセルのカバレッジ内にいるユーザが、大規模なトラヒックのサービスを使用した場合、LPNの複数のバックホールリンクは、基地局の上りリンク／下りリンクリソースに、容量面で影響を与え、その結果、上りリンク／下りリンクリソースにかかるバックホール負荷が増大する。
【０００６】
第1の実施態様によれば、本発明の一実施形態は、スモールセルを配備するネットワークに適用可能な基地局であって、ネットワークが、少なくとも1つのユーザ機器中継装置UE−relayと、少なくとも1つの低電力ノードLPNと、基地局と、移動管理エンティティMMEと、コアネットワーク要素と、を含み、UE−relayが、コアネットワーク要素に有線で接続され、UE−relayが、LPNに無線で接続され、基地局が、
MMEが送信したバックホールオフロード確立要求メッセージを受信するように構成される、受信モジュールであって、バックホールオフロード確立要求メッセージが、第1のLPNの識別情報IDと、第1のUE−relayのIDと、第1のLPNの第1の確立すべきベアラのIDと、第1の確立すべきベアラの第1のS1構成情報と、第1の確立すべきベアラが満たす必要があるサービス品質QoS要件のための指示子と、を含み、第1のLPNが少なくとも1つのLPNのうちの1つであり、第1のUE−relayが少なくとも1つUE−relayのうちの1つである、受信モジュールと、
受信モジュールが受信した第1のLPNのIDに従って、オフロードベアラ要求メッセージを第1のLPNに送信するように構成される、送信モジュールであって、オフロードベアラ要求メッセージが、第1のUE−relayのIDと、第1の確立すべきベアラのIDと、第1の確立すべきベアラが満たす必要があるQoS要件のための指示子と、を運び、オフロードベアラ要求メッセージが、第1のLPNに、第2の確立すべきベアラのデータ無線ベアラDRB構成情報を判定するように命令するために使用され、第2の確立すべきベアラが、第1のUE−relayによって確立され得、かつ第1のLPNによって、オフロードベアラ要求メッセージにある、第1の確立すべきベアラが満たす必要があるQoS要件のための指示子と第1の確立すべきベアラのIDとに従って、第1の確立すべきベアラから判定されるベアラであり、
受信モジュールが、第1のLPNが送信し、かつ第2の確立すべきベアラのDRB構成情報と第2の確立すべきベアラのIDとを運ぶ、オフロードベアラ肯定応答メッセージを受信するようにさらに構成される、送信モジュールと、
受信モジュールが受信した、第2の確立すべきベアラのIDと第1の確立すべきベアラの第1のS1構成情報とに従って、第2の確立すべきベアラの第1のS1構成情報を判定するように構成される、判定モジュールであって、
送信モジュールが、受信モジュールが受信した第1のUE−relayのIDに従って、オフロードベアラ構成メッセージを第1のUE−relayに送信することであって、オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのサービスベアラを確立するように命令するために使用される、ことと、第1のUE−relayが送信した、サービスベアラの受信したIDとサービスベアラの受信した第2のS1構成情報とをMMEを用いてコアネットワーク要素に送信することであって、サービスベアラのIDが、第2の確立すべきベアラのIDである、ことと、を行うようにさらに構成される、判定モジュールと、
を備える、基地局を提供する。
【０００７】
第1の実施態様に関連して、第1の実施態様の第1の可能な実施では、サービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含む。
【０００８】
第1の実施態様の第1の可能な実施に関連して、第1の実施態様の第2の可能な実施では、送信モジュールが、MMEが送信したバックホールオフロード確立要求メッセージを受信モジュールが受信する前に、少なくとも1つの第1の初期バックホールメッセージをMMEに送信するようにさらに構成され、各第1の初期バックホールメッセージが、1つのLPNのIDと、少なくとも1つのUE−relayのIDと、LPNの送信容量情報と、各UE−relayの送信容量情報と、を含み、
第1の確立すべきベアラが満たす必要があるQoS要件のための指示子が、第1の確立すべきベアラが満たす必要があるQoS要件であり、第1のLPNが、ベアラを確立する必要があり、かつMMEによって各LPNの送信容量情報に従って判定される、LPNであり、第1のLPNのIDが、MMEによって、各LPNの送信容量情報および各LPNのIDに従って判定され、第1のUE−relayが、第1のLPNのためのベアラを確立でき、かつMMEによって各UE−relayの送信容量情報に従って判定される、UE−relayであり、第1のUE−relayのIDが、MMEによって各UE−relayの送信容量情報および各UE−relayのIDに従って判定される。
【０００９】
第1の実施態様の第1の可能な実施に関連して、第1の実施態様の第3の可能な実施では、判定モジュールが、MMEが送信したバックホールオフロード確立要求メッセージを受信モジュールが受信する前に、少なくとも1つのLPNから、バックホール容量が制限されている第2のLPNを取得するようにさらに構成され、
送信モジュールが、少なくとも1つの第2の初期バックホールメッセージをMMEに送信するようにさらに構成され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含み、
第1のLPNが、オフロードベアラを確立する必要があり、かつMMEによって第2のLPNから各第2のLPNの送信容量情報に従って判定される、LPNであり、第1のLPNのIDが、MMEによって各第2のLPNの送信容量情報および各第2のLPNのIDに従って判定され、第1のUE−relayが、第1のLPNのためのオフロードベアラを確立でき、かつMMEによって各UE−relayの送信容量情報に従って判定される、UE−relayであり、第1のUE−relayのIDが、MMEによって各UE−relayの送信容量情報および各UE−relayのIDに従って判定され、第1の確立すべきベアラが、MMEによって判定され、かつ第1のLPNの第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のオフロードすべきベアラのIDならびに第1のUE−relayの送信容量情報および／または第1のLPNの送信容量情報に従って判定される、オフロードすべきベアラであり、第1の確立すべきベアラが満たす必要があるQoS要件のための指示子が、第2のオフロードすべきベアラのIDである。
【００１０】
第1の実施態様の第3の可能な実施に関連して、第1の実施態様の第4の可能な実施では、第2のオフロードすべきベアラにおけるDRBベアラが下りリンクDRBベアラである場合、サービスベアラにおけるDRBベアラは上りリンクDRBベアラである、または第2のオフロードすべきベアラにおけるDRBベアラが上りリンクDRBベアラである場合、サービスベアラにおけるDRBベアラは下りリンクDRBベアラである。
【００１１】
第1の実施態様の第1の可能な実施から第1の実施態様の第4の可能な実施のいずれか1つに関連して、第1の実施態様の第5の可能な実施では、バックホールオフロード確立要求メッセージが、第1のUE−relayのトラヒックフローテンプレートをさらに含み、オフロードベアラ構成メッセージが、第1のUE−relayのトラヒックフローテンプレートをさらに含み、第1のUE−relayのトラヒックフローテンプレートが、第1のUE−relayに、サービスベアラにおけるDRBベアラとS1ベアラとの間のマッピング関係を確立するように命令するために使用される。
【００１２】
第2の実施態様によれば、本発明の一実施形態は、装置であって、装置が、第1の低電力ノードLPNであり、装置が、スモールセルを配備するネットワークに適用可能であり、ネットワークが、少なくとも1つのユーザ機器中継装置UE−relayと、少なくとも1つの低電力ノードLPNと、基地局と、移動管理エンティティMMEと、コアネットワーク要素と、を含み、UE−relayが、コアネットワーク要素に有線で接続され、UE−relayが、LPNに無線で接続され、第1のLPNが、少なくとも1つのLPNのうちの1つであり、装置が、
MMEが送信したバックホールオフロード確立要求メッセージにおける第1のLPNの識別情報IDに従って基地局が送信したオフロードベアラ要求メッセージを受信するように構成される受信モジュールであって、バックホールオフロード確立要求メッセージが、第1のLPNのIDと、第1のUE−relayのIDと、第1のLPNの第1の確立すべきベアラのIDと、第1の確立すべきベアラの第1のS1構成情報と、第1の確立すべきベアラが満たす必要があるサービス品質QoS要件のための指示子と、を含み、オフロードベアラ要求メッセージが、第1のUE−relayのIDと、第1のLPNの第1の確立すべきベアラのIDと、第1の確立すべきベアラが満たす必要があるQoS要件のための指示子と、を運び、第1のUE−relayが、少なくとも1つのUE−relayのうちの1つである、受信モジュールと、
受信モジュールが受信したオフロードベアラ要求メッセージに従って、第1のUE−relayによって確立され得る第2の確立すべきベアラのデータ無線ベアラDRB構成情報を判定するように構成される判定モジュールであって、第2の確立すべきベアラが、第1のUE−relayによって確立され得、かつ第1のLPNによってオフロードベアラ要求メッセージにある、第1の確立すべきベアラが満たす必要があるQoS要件のための指示子および第1の確立すべきベアラのIDに従って第1のLPNの第1の確立すべきベアラから判定される、ベアラである、判定モジュールと、
オフロードベアラ肯定応答メッセージを基地局に送信するように構成される送信モジュールであって、オフロードベアラ肯定応答メッセージが、第2の確立すべきベアラのものであり、かつ判定モジュールによって判定される、DRB構成情報と、第2の確立すべきベアラのIDと、を含み、オフロードベアラ肯定応答メッセージが、基地局に、第1のUE−relayのIDに従って、オフロードベアラ構成メッセージを第1のUE−relayへ送信するように命令するために使用され、オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのサービスベアラを確立するように命令するために使用され、第2の確立すべきベアラの第1のS1構成情報が、第2の確立すべきベアラのIDおよび第1の確立すべきベアラの第1のS1構成情報に従って基地局によって判定される、送信モジュールと、
を備える、装置を提供する。
【００１３】
第2の実施態様に関連して、第2の実施態様の第1の可能な実施では、サービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含む。
【００１４】
第2の実施態様の第1の可能な実施に関連して、第2の実施態様の第2の可能な実施では、第1の確立すべきベアラが満たす必要があるQoS要件のための指示子が、第1の確立すべきベアラが満たす必要があるQoS要件であり、第1のLPNが、ベアラを確立する必要があり、かつMMEによって、基地局が送信した少なくとも1つの第1の初期バックホールメッセージにおけるLPNの送信容量情報に従って判定される、LPNであり、第1のLPNのIDが、MMEによって、LPNの送信容量情報およびLPNのIDに従って判定され、第1のUE−relayが、第1のLPNのためのベアラを確立でき、かつMMEによって、基地局が送信した少なくとも1つの第1の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第1の初期バックホールメッセージが、1つのLPNのIDと、少なくとも1つのUE−relayのIDと、LPNの送信容量情報と、各UE−relayの送信容量情報と、を含む。
【００１５】
第2の実施態様の第1の可能な実施に関連して、第2の実施態様の第3の可能な実施では、第1のLPNが、オフロードベアラを確立する必要があり、かつMMEによって第2のLPNから、基地局が送信した少なくとも1つの第2の初期バックホールメッセージにおける第2のLPNの送信容量情報に従って判定される、LPNであり、第1のLPNのIDが、MMEによって、第2のLPNの送信容量情報および第2のLPNのIDに従って判定され、第2のLPNが、バックホール容量が制限され、かつ基地局によって少なくとも1つのLPNから判定される、LPNであり、
第1のUE−relayが、第1のLPNのためのオフロードベアラを確立でき、かつMMEによって、基地局が送信した少なくとも1つの第2の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含み、
第1の確立すべきベアラが、MMEによって判定され、かつ第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のLPNの第1のオフロードすべきベアラのIDならびに第1のUE−relayの送信容量情報および／または第1のLPNの送信容量情報に従って判定される、オフロードすべきベアラであり、第1の確立すべきベアラが満たす必要があるQoS要件のための指示子が、第2のオフロードすべきベアラのIDである。
【００１６】
第2の実施態様の第3の可能な実施に関連して、第2の実施態様の第4の可能な実施では、第2のオフロードすべきベアラにおけるDRBベアラが下りリンクDRBベアラである場合、サービスベアラにおけるDRBベアラは上りリンクDRBベアラである、または第2のオフロードすべきベアラにおけるDRBベアラが上りリンクDRBベアラである場合、サービスベアラにおけるDRBベアラは下りリンクDRBベアラである。
【００１７】
第2の実施態様または第2の実施態様の第1の可能な実施から第4の可能な実施のいずれか1つに関連して、第2の実施態様の第5の可能な実施では、判定モジュールが、
受信モジュールが受信した、第1の確立すべきベアラが満たす必要があるQoS要件のための指示子に従って、第1の確立すべきベアラが満たす必要があるDRB QoS要件を判定するように構成される第1の判定ユニットと、
第1のLPNと第1のUE−relayとの間の無線インターフェースのステータスを取得することと、無線インターフェースステータスおよび第1の確立すべきベアラが満たす必要があり、かつ第1の判定ユニットによって判定される、DRB QoS要件に従って、第2の確立すべきベアラを判定することであって、第2の確立すべきベアラが、第1のLPNによって第1の確立すべきベアラから判定され、かつそのDRB QoS要件が、無線インターフェースステータスと一致する、第1の確立すべきベアラである、ことと、を行うように構成される第2の判定ユニットと、
第2の判定ユニットが判定した第2の確立すべきベアラのDRB構成情報を判定するように構成される第3の判定ユニットと、
を備える。
【００１８】
第3の実施態様によれば、本発明の一実施形態は、装置であって、装置が、第1のユーザ機器中継装置UE−relayであり、装置が、スモールセルを配備するネットワークに適用可能であり、ネットワークが、少なくとも1つのユーザ機器中継装置UE−relayと、少なくとも1つの低電力ノードLPNと、基地局と、移動管理エンティティMMEと、コアネットワーク要素と、を含み、UE−relayが、コアネットワーク要素に有線で接続され、UE−relayが、LPNに無線で接続され、第1のUE−relayが、少なくとも1つのUE−relayのうちの1つであり、装置が、
第1のUE−relayの識別情報IDに従って基地局が送信したオフロードベアラ構成メッセージを受信するように構成される受信モジュールであって、オフロードベアラ構成メッセージが、第2の確立すべきベアラの識別情報IDと、第2の確立すべきベアラの第1のS1構成情報と、第2の確立すべきベアラのデータ無線ベアラDRB構成情報と、を含み、第2の確立すべきベアラが、第1のUE−relayによって確立され得、かつ第1のLPNによって第1のLPNの第1の確立すべきベアラから、基地局が送信したオフロードベアラ要求メッセージにおける第1の確立すべきベアラが満たす必要があるサービス品質QoS要件のための指示子および第1のLPNの第1の確立すべきベアラのIDに従って判定される、ベアラであり、オフロードベアラ要求メッセージが、第1のUE−relayのIDと、第1の確立すべきベアラのIDと、第1の確立すべきベアラが満たす必要があるQoS要件のための指示子と、を運び、オフロードベアラ要求メッセージが、第1のLPNに、第2の確立すべきベアラのDRB構成情報を判定するように命令するために使用され、第1のLPNが、少なくとも1つのLPNのうちの1つである、受信モジュールと、
受信モジュールが受信した第2の確立すべきベアラの第1のS1構成情報および第2の確立すべきベアラのDRB構成情報に従って、第1のLPNためのサービスベアラを確立するように構成されるベアラ確立モジュールと、
基地局およびMMEを使用して、ベアラ確立モジュールが確立したサービスベアラのIDとサービスベアラの第2のS1構成情報とをコアネットワーク要素に送信するように構成される送信モジュールであって、サービスベアラのIDが、第2の確立すべきベアラのIDである、送信モジュールと、
を備える、装置を提供する。
【００１９】
第3の実施態様に関連して、第3の実施態様の第1の可能な実施では、ベアラ確立モジュールが、第2の確立すべきベアラのものであり、かつ受信モジュールが受信した、第1のS1構成情報に従って、第1のUE−relayとコアネットワーク要素との間のS1ベアラを確立することと、第2の確立すべきベアラのものであり、かつ受信モジュールが受信した、DRB構成情報に従って、第1のUE−relayと第1のLPNとの間のDRBベアラを確立することと、を行うように特に構成される。
【００２０】
第3の実施態様の第1の可能な実施に関連して、第3の実施態様の第2の可能な実施では、第1の確立すべきベアラが満たす必要があるQoS要件のための指示子が、第1の確立すべきベアラが満たす必要があるQoS要件であり、
第1のLPNが、オフロードベアラを確立する必要があり、かつMMEによって、LPNから基地局が送信した少なくとも1つの第1の初期バックホールメッセージにおけるLPNの送信容量情報に従って判定される、LPNであり、第1のLPNのIDが、MMEによって、LPNの送信容量情報およびLPNのIDに従って判定され、第1のUE−relayが、第1のLPNのためのベアラを確立でき、かつMMEによって、基地局が送信した少なくとも1つの第1の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第1の初期バックホールメッセージが、1つのLPNのIDと、少なくとも1つのUE−relayのIDと、LPNの送信容量情報と、各UE−relayの送信容量情報と、を含む。
【００２１】
第3の実施態様の第1の可能な実施に関連して、第3の実施態様の第3の可能な実施では、第1の確立すべきベアラが満たす必要があるQoS要件のための指示子が、第1のLPNの第2のオフロードすべきベアラのIDであり、
第1のLPNが、オフロードベアラを確立する必要があり、かつMMEによって第2のLPNから、基地局が送信した少なくとも1つの第2の初期バックホールメッセージにおける第2のLPNの送信容量情報に従って判定される、LPNであり、第1のLPNのIDが、MMEによって、第2のLPNの送信容量情報および第2のLPNのIDに従って判定され、第2のLPNが、バックホール容量が制限され、かつ基地局によって少なくとも1つのLPNから判定される、LPNであり、第1のUE−relayが、第1のLPNのためのオフロードベアラを確立でき、かつMMEによって、基地局が送信した少なくとも1つの第2の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含み、
第1の確立すべきベアラが、MMEによって判定され、かつ第1のLPNの第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のLPNの第1のオフロードすべきベアラのIDならびに第1のUE−relayの送信容量情報および／または第1のLPNの送信容量情報に従って判定される、オフロードすべきベアラである。
【００２２】
第3の実施態様の第3の可能な実施に関連して、第3の実施態様の第4の可能な実施では、第2のオフロードすべきベアラにおけるDRBベアラが下りリンクDRBベアラである場合、サービスベアラにおけるDRBベアラは上りリンクDRBベアラである、または第2のオフロードすべきベアラにおけるDRBベアラが上りリンクDRBベアラである場合、サービスベアラにおけるDRBベアラは下りリンクDRBベアラである。
【００２３】
第3の実施態様または第3の実施態様の第1の可能な実施から第4の可能な実施のいずれか1つに関連して、第3の実施態様の第5の可能な実施では、オフロードベアラ構成メッセージが、第1のUE−relayのトラヒックフローテンプレートをさらに含み、第1のUE−relayのトラヒックフローテンプレートが、第1のUE−relayに、サービスベアラにおけるDRBベアラとS1ベアラとの間のマッピング関係を確立するように命令するために使用される。
【００２４】
第4の実施態様によれば、本発明の一実施形態は、スモールセルを配備するネットワークに適用可能な基地局であって、ネットワークが、少なくとも1つのユーザ機器中継装置UE−relayと、少なくとも1つの低電力ノードLPNと、基地局と、移動管理エンティティMMEと、コアネットワーク要素と、を含み、UE−relayが、コアネットワーク要素に有線で接続され、UE−relayが、LPNに無線で接続され、基地局が、
MMEが送信したバックホールオフロード確立要求メッセージを受信するように構成される、受信機であって、バックホールオフロード確立要求メッセージが、第1のLPNの識別情報IDと、第1のUE−relayのIDと、第1のLPNの第1の確立すべきベアラのIDと、第1の確立すべきベアラの第1のS1構成情報と、第1の確立すべきベアラが満たす必要があるサービス品質QoS要件のための指示子と、を含み、第1のLPNが少なくとも1つのLPNのうちの1つであり、第1のUE−relayが少なくとも1つUE−relayのうちの1つである、受信機と、
受信機が受信した第1のLPNのIDに従って、オフロードベアラ要求メッセージを第1のLPNに送信するように構成される、送信機であって、オフロードベアラ要求メッセージが、第1のUE−relayのIDと、第1の確立すべきベアラのIDと、第1の確立すべきベアラが満たす必要があるQoS要件のための指示子と、を運び、オフロードベアラ要求メッセージが、第1のLPNに、第2の確立すべきベアラのデータ無線ベアラDRB構成情報を判定するように命令するために使用され、第2の確立すべきベアラが、第1のUE−relayによって確立され得、かつ第1のLPNによって、オフロードベアラ要求メッセージにある、第1の確立すべきベアラが満たす必要があるQoS要件のための指示子と第1の確立すべきベアラのIDとに従って、第1の確立すべきベアラから判定されるベアラであり、
受信機が、第1のLPNが送信し、かつ第2の確立すべきベアラのDRB構成情報と第2の確立すべきベアラのIDとを運ぶ、オフロードベアラ肯定応答メッセージを受信するようにさらに構成される、送信機と、
受信機が受信した、第2の確立すべきベアラのIDと第1の確立すべきベアラの第1のS1構成情報とに従って、第2の確立すべきベアラの第1のS1構成情報を判定するように構成される、プロセッサであって、
送信機が、受信機が受信した第1のUE−relayのIDに従って、オフロードベアラ構成メッセージを第1のUE−relayに送信することであって、オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのサービスベアラを確立するように命令するために使用される、ことと、第1のUE−relayが送信した、サービスベアラの受信したIDとサービスベアラの受信した第2のS1構成情報とをMMEを用いてコアネットワーク要素に送信することであって、サービスベアラのIDが、第2の確立すべきベアラのIDである、ことと、を行うようにさらに構成される、プロセッサと、
を備える、基地局を提供する。
【００２５】
第4の実施態様に関連して、第4の実施態様の第1の可能な実施では、サービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含む。
【００２６】
第4の実施態様の第1の可能な実施に関連して、第4の実施態様の第2の可能な実施では、送信機が、MMEが送信したバックホールオフロード確立要求メッセージを受信機が受信する前に、少なくとも1つの第1の初期バックホールメッセージをMMEに送信するようにさらに構成され、各第1の初期バックホールメッセージが、1つのLPNのIDと、少なくとも1つのUE−relayのIDと、LPNの送信容量情報と、各UE−relayの送信容量情報と、を含み、
第1の確立すべきベアラが満たす必要があるQoS要件のための指示子が、第1の確立すべきベアラが満たす必要があるQoS要件であり、第1のLPNが、ベアラを確立する必要があり、かつMMEによって各LPNの送信容量情報に従って判定される、LPNであり、第1のLPNのIDが、MMEによって、各LPNの送信容量情報および各LPNのIDに従って判定され、第1のUE−relayが、第1のLPNのためのベアラを確立でき、かつMMEによって各UE−relayの送信容量情報に従って判定される、UE−relayであり、第1のUE−relayのIDが、MMEによって各UE−relayの送信容量情報および各UE−relayのIDに従って判定される。
【００２７】
第4の実施態様の第1の可能な実施に関連して、第4の実施態様の第3の可能な実施では、プロセッサが、MMEが送信したバックホールオフロード確立要求メッセージを受信機が受信する前に、少なくとも1つのLPNから、バックホール容量が制限されている第2のLPNを取得するようにさらに構成され、
送信機が、少なくとも1つの第2の初期バックホールメッセージをMMEに送信するようにさらに構成され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含み、
第1のLPNが、オフロードベアラを確立する必要があり、かつMMEによって第2のLPNから各第2のLPNの送信容量情報に従って判定される、LPNであり、第1のLPNのIDが、MMEによって各第2のLPNの送信容量情報および各第2のLPNのIDに従って判定され、第1のUE−relayが、第1のLPNのためのオフロードベアラを確立でき、かつMMEによって各UE−relayの送信容量情報に従って判定される、UE−relayであり、第1のUE−relayのIDが、MMEによって各UE−relayの送信容量情報および各UE−relayのIDに従って判定され、第1の確立すべきベアラが、MMEによって判定され、かつ第1のLPNの第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のオフロードすべきベアラのIDならびに第1のUE−relayの送信容量情報および／または第1のLPNの送信容量情報に従って判定される、オフロードすべきベアラであり、第1の確立すべきベアラが満たす必要があるQoS要件のための指示子が、第2のオフロードすべきベアラのIDである。
【００２８】
第4の実施態様の第3の可能な実施に関連して、第4の実施態様の第4の可能な実施では、第2のオフロードすべきベアラにおけるDRBベアラが下りリンクDRBベアラである場合、サービスベアラにおけるDRBベアラは上りリンクDRBベアラである、または第2のオフロードすべきベアラにおけるDRBベアラが上りリンクDRBベアラである場合、サービスベアラにおけるDRBベアラは下りリンクDRBベアラである。
【００２９】
第4の実施態様の第1の可能な実施から第4の実施態様の第4の可能な実施のいずれか1つに関連して、第4の実施態様の第5の可能な実施では、バックホールオフロード確立要求メッセージが、第1のUE−relayのトラヒックフローテンプレートをさらに含み、オフロードベアラ構成メッセージが、第1のUE−relayのトラヒックフローテンプレートをさらに含み、第1のUE−relayのトラヒックフローテンプレートが、第1のUE−relayに、サービスベアラにおけるDRBベアラとS1ベアラとの間のマッピング関係を確立するように命令するために使用される。
【００３０】
第5の実施態様によれば、本発明の一実施形態は、装置であって、装置が、第1の低電力ノードLPNであり、装置が、スモールセルを配備するネットワークに適用可能であり、ネットワークが、少なくとも1つのユーザ機器中継装置UE−relayと、少なくとも1つの低電力ノードLPNと、基地局と、移動管理エンティティMMEと、コアネットワーク要素と、を含み、UE−relayが、コアネットワーク要素に有線で接続され、UE−relayが、LPNに無線で接続され、第1のLPNが、少なくとも1つのLPNのうちの1つであり、装置が、
MMEが送信したバックホールオフロード確立要求メッセージにおける第1のLPNの識別情報IDに従って基地局が送信したオフロードベアラ要求メッセージを受信するように構成される受信機であって、バックホールオフロード確立要求メッセージが、第1のLPNのIDと、第1のUE−relayのIDと、第1のLPNの第1の確立すべきベアラのIDと、第1の確立すべきベアラの第1のS1構成情報と、第1の確立すべきベアラが満たす必要があるサービス品質QoS要件のための指示子と、を含み、オフロードベアラ要求メッセージが、第1のUE−relayのIDと、第1のLPNの第1の確立すべきベアラのIDと、第1の確立すべきベアラが満たす必要があるQoS要件のための指示子と、を運び、第1のUE−relayが、少なくとも1つのUE−relayのうちの1つである、受信機と、
受信機が受信したオフロードベアラ要求メッセージに従って、第1のUE−relayによって確立され得る第2の確立すべきベアラのデータ無線ベアラDRB構成情報を判定するように構成されるプロセッサであって、第2の確立すべきベアラが、第1のUE−relayによって確立され得、かつ第1のLPNによってオフロードベアラ要求メッセージにある、第1の確立すべきベアラが満たす必要があるQoS要件のための指示子および第1の確立すべきベアラのIDに従って第1のLPNの第1の確立すべきベアラから判定される、ベアラである、プロセッサと、
オフロードベアラ肯定応答メッセージを基地局に送信するように構成される送信機であって、オフロードベアラ肯定応答メッセージが、第2の確立すべきベアラのものであり、かつプロセッサによって判定される、DRB構成情報と、第2の確立すべきベアラのIDと、を含み、オフロードベアラ肯定応答メッセージが、基地局に、第1のUE−relayのIDに従って、オフロードベアラ構成メッセージを第1のUE−relayへ送信するように命令するために使用され、オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのサービスベアラを確立するように命令するために使用され、第2の確立すべきベアラの第1のS1構成情報が、第2の確立すべきベアラのIDおよび第1の確立すべきベアラの第1のS1構成情報に従って基地局によって判定される、送信機と、
を備える、装置を提供する。
【００３１】
第5の実施態様に関連して、第5の実施態様の第1の可能な実施では、サービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含む。
【００３２】
第5の実施態様の第1の可能な実施に関連して、第5の実施態様の第2の可能な実施では、第1の確立すべきベアラが満たす必要があるQoS要件のための指示子が、第1の確立すべきベアラが満たす必要があるQoS要件であり、第1のLPNが、ベアラを確立する必要があり、かつMMEによって、基地局が送信した少なくとも1つの第1の初期バックホールメッセージにおけるLPNの送信容量情報に従って判定される、LPNであり、第1のLPNのIDが、MMEによって、LPNの送信容量情報およびLPNのIDに従って判定され、第1のUE−relayが、第1のLPNのためのベアラを確立でき、かつMMEによって、基地局が送信した少なくとも1つの第1の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第1の初期バックホールメッセージが、1つのLPNのIDと、少なくとも1つのUE−relayのIDと、LPNの送信容量情報と、各UE−relayの送信容量情報と、を含む。
【００３３】
第5の実施態様の第1の可能な実施に関連して、第5の実施態様の第3の可能な実施では、第1のLPNが、オフロードベアラを確立する必要があり、かつMMEによって第2のLPNから、基地局が送信した少なくとも1つの第2の初期バックホールメッセージにおける第2のLPNの送信容量情報に従って判定される、LPNであり、第1のLPNのIDが、MMEによって、第2のLPNの送信容量情報および第2のLPNのIDに従って判定され、第2のLPNが、バックホール容量が制限され、かつ基地局によって少なくとも1つのLPNから判定される、LPNであり、
第1のUE−relayが、第1のLPNのためのオフロードベアラを確立でき、かつMMEによって、基地局が送信した少なくとも1つの第2の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含み、
第1の確立すべきベアラが、MMEによって判定され、かつ第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のLPNの第1のオフロードすべきベアラのIDならびに第1のUE−relayの送信容量情報および／または第1のLPNの送信容量情報に従って判定される、オフロードすべきベアラであり、第1の確立すべきベアラが満たす必要があるQoS要件のための指示子が、第2のオフロードすべきベアラのIDである。
【００３４】
第5の実施態様の第3の可能な実施に関連して、第5の実施態様の第4の可能な実施では、第2のオフロードすべきベアラにおけるDRBベアラが下りリンクDRBベアラである場合、サービスベアラにおけるDRBベアラは上りリンクDRBベアラである、または第2のオフロードすべきベアラにおけるDRBベアラが上りリンクDRBベアラである場合、サービスベアラにおけるDRBベアラは下りリンクDRBベアラである。
【００３５】
第5の実施態様または第5の実施態様の第1の可能な実施から第4の可能な実施のいずれか1つに関連して、第5の実施態様の第5の可能な実施では、プロセッサが、第1の確立すべきベアラが満たす必要があるQoS要件のための指示子に従って、第1の確立すべきベアラが満たす必要があるDRB QoS要件を判定することと、第1のLPNと第1のUE−relayとの間の無線インターフェースのステータスを取得することと、無線インターフェースステータスおよび第1の確立すべきベアラが満たす必要があるDRB QoS要件に従って、第2の確立すべきベアラを確立することと、第2の確立すべきベアラのDRB構成情報を判定することであって、第2の確立すべきベアラが、第1のLPNによって第1の確立すべきベアラから判定され、かつそのDRB QoS要件が、無線インターフェースステータスと一致する、第1の確立すべきベアラである、ことと、を行うように特に構成される。
【００３６】
第6の実施態様によれば、本発明の一実施形態は、装置であって、装置が、第1のユーザ機器中継装置UE−relayであり、装置が、スモールセルを配備するネットワークに適用可能であり、ネットワークが、少なくとも1つのユーザ機器中継装置UE−relayと、少なくとも1つの低電力ノードLPNと、基地局と、移動管理エンティティMMEと、コアネットワーク要素と、を含み、UE−relayが、コアネットワーク要素に有線で接続され、UE−relayが、LPNに無線で接続され、第1のUE−relayが、少なくとも1つのUE−relayのうちの1つであり、装置が、
第1のUE−relayの識別情報IDに従って基地局が送信したオフロードベアラ構成メッセージを受信するように構成される受信機であって、オフロードベアラ構成メッセージが、第2の確立すべきベアラの識別情報IDと、第2の確立すべきベアラの第1のS1構成情報と、第2の確立すべきベアラのデータ無線ベアラDRB構成情報と、を含み、第2の確立すべきベアラが、第1のUE−relayによって確立され得、かつ第1のLPNによって第1のLPNの第1の確立すべきベアラから、基地局が送信したオフロードベアラ要求メッセージにおける第1の確立すべきベアラが満たす必要があるサービス品質QoS要件のための指示子および第1のLPNの第1の確立すべきベアラのIDに従って判定される、ベアラであり、オフロードベアラ要求メッセージが、第1のUE−relayのIDと、第1の確立すべきベアラのIDと、第1の確立すべきベアラが満たす必要があるQoS要件のための指示子と、を運び、オフロードベアラ要求メッセージが、第1のLPNに、第2の確立すべきベアラのDRB構成情報を判定するように命令するために使用され、第1のLPNが、少なくとも1つのLPNのうちの1つである、受信機と、
受信機が受信した第2の確立すべきベアラの第1のS1構成情報および第2の確立すべきベアラのDRB構成情報に従って、第1のLPNためのサービスベアラを確立するように構成されるプロセッサと、
基地局およびMMEを使用して、プロセッサが確立したサービスベアラのIDとサービスベアラの第2のS1構成情報とをコアネットワーク要素に送信するように構成される送信機であって、サービスベアラのIDが、第2の確立すべきベアラのIDである、送信機と、
を備える、装置を提供する。
【００３７】
第6の実施態様に関連して、第6の実施態様の第1の可能な実施では、プロセッサが、第2の確立すべきベアラのものであり、かつ受信機が受信した、第1のS1構成情報に従って、第1のUE−relayとコアネットワーク要素との間のS1ベアラを確立することと、第2の確立すべきベアラのものであり、かつ受信機が受信した、DRB構成情報に従って、第1のUE−relayと第1のLPNとの間のDRBベアラを確立することと、を行うように特に構成される。
【００３８】
第6の実施態様の第1の可能な実施に関連して、第6の実施態様の第2の可能な実施では、第1の確立すべきベアラが満たす必要があるQoS要件のための指示子が、第1の確立すべきベアラが満たす必要があるQoS要件であり、
第1のLPNが、オフロードベアラを確立する必要があり、かつMMEによって、LPNから基地局が送信した少なくとも1つの第1の初期バックホールメッセージにおけるLPNの送信容量情報に従って判定される、LPNであり、第1のLPNのIDが、MMEによって、LPNの送信容量情報およびLPNのIDに従って判定され、第1のUE−relayが、第1のLPNのためのベアラを確立でき、かつMMEによって、基地局が送信した少なくとも1つの第1の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第1の初期バックホールメッセージが、1つのLPNのIDと、少なくとも1つのUE−relayのIDと、LPNの送信容量情報と、各UE−relayの送信容量情報と、を含む。
【００３９】
第6の実施態様の第1の可能な実施に関連して、第6の実施態様の第3の可能な実施では、第1の確立すべきベアラが満たす必要があるQoS要件のための指示子が、第1のLPNの第2のオフロードすべきベアラのIDであり、
第1のLPNが、オフロードベアラを確立する必要があり、かつMMEによって第2のLPNから、基地局が送信した少なくとも1つの第2の初期バックホールメッセージにおける第2のLPNの送信容量情報に従って判定される、LPNであり、第1のLPNのIDが、MMEによって、第2のLPNの送信容量情報および第2のLPNのIDに従って判定され、第2のLPNが、バックホール容量が制限され、かつ基地局によって少なくとも1つのLPNから判定される、LPNであり、第1のUE−relayが、第1のLPNのためのオフロードベアラを確立でき、かつMMEによって、基地局が送信した少なくとも1つの第2の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含み、
第1の確立すべきベアラが、MMEによって判定され、かつ第1のLPNの第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のLPNの第1のオフロードすべきベアラのIDならびに第1のUE−relayの送信容量情報および／または第1のLPNの送信容量情報に従って判定される、オフロードすべきベアラである。
【００４０】
第6の実施態様の第3の可能な実施に関連して、第6の実施態様の第4の可能な実施では、第2のオフロードすべきベアラにおけるDRBベアラが下りリンクDRBベアラである場合、サービスベアラにおけるDRBベアラは上りリンクDRBベアラである、または第2のオフロードすべきベアラにおけるDRBベアラが上りリンクDRBベアラである場合、サービスベアラにおけるDRBベアラは下りリンクDRBベアラである。
【００４１】
第6の実施態様または第6の実施態様の第1の可能な実施から第4の可能な実施のいずれか1つに関連して、第6の実施態様の第5の可能な実施では、オフロードベアラ構成メッセージが、第1のUE−relayのトラヒックフローテンプレートをさらに含み、第1のUE−relayのトラヒックフローテンプレートが、第1のUE−relayに、サービスベアラにおけるDRBベアラとS1ベアラとの間のマッピング関係を確立するように命令するために使用される。
【００４２】
第7の実施態様によれば、本発明の一実施形態は、バックホールリンク確立方法を提供し、本方法は、スモールセルを配備するネットワークに適用可能であり、ネットワークが、少なくとも1つのユーザ機器中継装置UE−relayと、少なくとも1つの低電力ノードLPNと、基地局と、移動管理エンティティMMEと、コアネットワーク要素と、を含み、UE−relayが、コアネットワーク要素に有線で接続され、UE−relayが、LPNに無線で接続され、本方法が、
基地局によって、MMEが送信したバックホールオフロード確立要求メッセージを受信するステップであって、
バックホールオフロード確立要求メッセージが、第1のLPNの識別情報IDと、第1のUE−relayのIDと、第1のLPNの第1の確立すべきベアラのIDと、第1の確立すべきベアラの第1のS1構成情報と、第1の確立すべきベアラが満たす必要があるサービス品質QoS要件のための指示子と、を含み、第1のLPNが少なくとも1つのLPNのうちの1つであり、第1のUE−relayが少なくとも1つUE−relayのうちの1つである、ステップと、
基地局によって、第1のLPNのIDに従って、オフロードベアラ要求メッセージを第1のLPNに送信するステップであって、オフロードベアラ要求メッセージが、第1のUE−relayのIDと、第1の確立すべきベアラのIDと、第1の確立すべきベアラが満たす必要があるQoS要件のための指示子と、を運び、オフロードベアラ要求メッセージが、第1のLPNに、第2の確立すべきベアラのデータ無線ベアラDRB構成情報を判定するように命令するために使用され、第2の確立すべきベアラが、第1のUE−relayによって確立され得、かつ第1のLPNによって、オフロードベアラ要求メッセージにある、第1の確立すべきベアラが満たす必要があるQoS要件のための指示子と第1の確立すべきベアラのIDとに従って、第1の確立すべきベアラから判定されるベアラである、ステップと、
基地局によって、第1のLPNが送信し、かつ第2の確立すべきベアラのDRB構成情報と第2の確立すべきベアラのIDとを運ぶ、オフロードベアラ肯定応答メッセージを受信するステップと、
基地局によって、第2の確立すべきベアラのIDと第1の確立すべきベアラの第1のS1構成情報とに従って、第2の確立すべきベアラの第1のS1構成情報を判定するステップと、
基地局によって、第1のUE−relayのIDに従って、オフロードベアラ構成メッセージを第1のUE−relayに送信するステップであって、オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのサービスベアラを確立するように命令するために使用される、ステップと、
基地局によって、第1のUE−relayが送信した、サービスベアラの受信したIDとサービスベアラの受信した第2のS1構成情報とをMMEを用いてコアネットワーク要素に送信するステップであって、サービスベアラのIDが、第2の確立すべきベアラのIDである、ステップと、
を含む。
【００４３】
第7の実施態様に関連して、第7の実施態様の第1の可能な実施では、サービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含む。
【００４４】
第7の実施態様の第1の可能な実施に関連して、第7の実施態様の第2の可能な実施では、基地局によって、MMEが送信したバックホールオフロード確立要求メッセージを受信するステップの前に、本方法が、
基地局によって、少なくとも1つの第1の初期バックホールメッセージをMMEに送信するステップであって、各第1の初期バックホールメッセージが、1つのLPNのIDと、少なくとも1つのUE−relayのIDと、LPNの送信容量情報と、各UE−relayの送信容量情報と、を含む、ステップ
をさらに含み、
第1の確立すべきベアラが満たす必要があるQoS要件のための指示子が、第1の確立すべきベアラが満たす必要があるQoS要件であり、第1のLPNが、ベアラを確立する必要があり、かつMMEによって各LPNの送信容量情報に従って判定される、LPNであり、第1のLPNのIDが、MMEによって、各LPNの送信容量情報および各LPNのIDに従って判定され、第1のUE−relayが、第1のLPNのためのベアラを確立でき、かつMMEによって各UE−relayの送信容量情報に従って判定される、UE−relayであり、第1のUE−relayのIDが、MMEによって各UE−relayの送信容量情報および各UE−relayのIDに従って判定される。
【００４５】
第7の実施態様の第1の可能な実施に関連して、第7の実施態様の第3の可能な実施では、基地局によって、MMEが送信したバックホールオフロード確立要求メッセージを受信するステップの前に、本方法が、
基地局によって、少なくとも1つのLPNから、バックホール容量が制限されている第2のLPNを取得するステップと、
基地局によって、少なくとも1つの第2の初期バックホールメッセージをMMEに送信するステップであって、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含む、ステップと、
をさらに含み、
第1のLPNが、オフロードベアラを確立する必要があり、かつMMEによって第2のLPNから各第2のLPNの送信容量情報に従って判定される、LPNであり、第1のLPNのIDが、MMEによって各第2のLPNの送信容量情報および各第2のLPNのIDに従って判定され、第1のUE−relayが、第1のLPNのためのオフロードベアラを確立でき、かつMMEによって各UE−relayの送信容量情報に従って判定される、UE−relayであり、第1のUE−relayのIDが、MMEによって各UE−relayの送信容量情報および各UE−relayのIDに従って判定され、第1の確立すべきベアラが、MMEによって判定され、かつ第1のLPNの第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のオフロードすべきベアラのIDならびに第1のUE−relayの送信容量情報および／または第1のLPNの送信容量情報に従って判定される、オフロードすべきベアラであり、第1の確立すべきベアラが満たす必要があるQoS要件のための指示子が、第2のオフロードすべきベアラのIDである。
【００４６】
第7の実施態様の第3の可能な実施に関連して、第7の実施態様の第4の可能な実施では、第2のオフロードすべきベアラにおけるDRBベアラが下りリンクDRBベアラである場合、サービスベアラにおけるDRBベアラは上りリンクDRBベアラである、または第2のオフロードすべきベアラにおけるDRBベアラが上りリンクDRBベアラである場合、サービスベアラにおけるDRBベアラは下りリンクDRBベアラである。
【００４７】
第7の実施態様の第1の可能な実施から第7の実施態様の第4の可能な実施のいずれか1つに関連して、第7の実施態様の第5の可能な実施では、バックホールオフロード確立要求メッセージが、第1のUE−relayのトラヒックフローテンプレートをさらに含み、オフロードベアラ構成メッセージが、第1のUE−relayのトラヒックフローテンプレートをさらに含み、第1のUE−relayのトラヒックフローテンプレートが、第1のUE−relayに、サービスベアラにおけるDRBベアラとS1ベアラとの間のマッピング関係を確立するように命令するために使用される。
【００４８】
第8の実施態様によれば、本発明の一実施形態は、バックホールリンク確立方法を提供し、本方法が、スモールセルを配備するネットワークに適用可能であり、ネットワークが、少なくとも1つのユーザ機器中継装置UE−relayと、少なくとも1つの低電力ノードLPNと、基地局と、移動管理エンティティMMEと、コアネットワーク要素と、を含み、UE−relayが、コアネットワーク要素に有線で接続され、UE−relayが、LPNに無線で接続され、本方法が、
第1のLPNによって、MMEが送信したバックホールオフロード確立要求メッセージにおける第1のLPNの識別情報IDに従って基地局が送信したオフロードベアラ要求メッセージを受信するステップであって、バックホールオフロード確立要求メッセージが、第1のLPNのIDと、第1のUE−relayのIDと、第1のLPNの第1の確立すべきベアラのIDと、第1の確立すべきベアラの第1のS1構成情報と、第1の確立すべきベアラが満たす必要があるサービス品質QoS要件のための指示子と、を含み、オフロードベアラ要求メッセージが、第1のUE−relayのIDと、第1のLPNの第1の確立すべきベアラのIDと、第1の確立すべきベアラが満たす必要があるQoS要件のための指示子と、を運び、第1のLPNが、少なくとも1つのLPNのうちの1つであり、第1のUE−relayが、少なくとも1つのUE−relayのうちの1つである、ステップと、
第1のLPNによって、オフロードベアラ要求メッセージに従って、第1のUE−relayによって確立され得る第2の確立すべきベアラのデータ無線ベアラDRB構成情報を判定するステップであって、第2の確立すべきベアラが、第1のUE−relayによって確立され得、かつ第1のLPNによってオフロードベアラ要求メッセージにある第1の確立すべきベアラが満たす必要があるQoS要件のための指示子および第1の確立すべきベアラのIDに従って第1のLPNの第1の確立すべきベアラから判定される、ベアラである、ステップと、
第1のLPNによって、オフロードベアラ肯定応答メッセージを基地局に送信するステップであって、オフロードベアラ肯定応答メッセージが、第2の確立すべきベアラのDRB構成情報と、第2の確立すべきベアラのIDと、を含み、オフロードベアラ肯定応答メッセージが、基地局に、第1のUE−relayのIDに従って、オフロードベアラ構成メッセージを第1のUE−relayへ送信するように命令するために使用され、オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのサービスベアラを確立するように命令するために使用され、第2の確立すべきベアラの第1のS1構成情報が、第2の確立すべきベアラのIDおよび第1の確立すべきベアラの第1のS1構成情報に従って基地局によって判定される、ステップと、
を含む。
【００４９】
第8の実施態様に関連して、第8の実施態様の第1の可能な実施では、サービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含む。
【００５０】
第8の実施態様の第1の可能な実施に関連して、第8の実施態様の第2の可能な実施では、第1の確立すべきベアラが満たす必要があるQoS要件のための指示子が、第1の確立すべきベアラが満たす必要があるQoS要件であり、第1のLPNが、ベアラを確立する必要があり、かつMMEによって、基地局が送信した少なくとも1つの第1の初期バックホールメッセージにおけるLPNの送信容量情報に従って判定される、LPNであり、第1のLPNのIDが、MMEによって、LPNの送信容量情報およびLPNのIDに従って判定され、第1のUE−relayが、第1のLPNのためのベアラを確立でき、かつMMEによって、基地局が送信した少なくとも1つの第1の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第1の初期バックホールメッセージが、1つのLPNのIDと、少なくとも1つのUE−relayのIDと、LPNの送信容量情報と、各UE−relayの送信容量情報と、を含む。
【００５１】
第8の実施態様の第1の可能な実施に関連して、第8の実施態様の第3の可能な実施では、第1のLPNが、オフロードベアラを確立する必要があり、かつMMEによって第2のLPNから、基地局が送信した少なくとも1つの第2の初期バックホールメッセージにおける第2のLPNの送信容量情報に従って判定される、LPNであり、第1のLPNのIDが、MMEによって、第2のLPNの送信容量情報および第2のLPNのIDに従って判定され、第2のLPNが、バックホール容量が制限され、かつ基地局によって少なくとも1つのLPNから判定される、LPNであり、
第1のUE−relayが、第1のLPNのためのオフロードベアラを確立でき、かつMMEによって、基地局が送信した少なくとも1つの第2の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含み、
第1の確立すべきベアラが、MMEによって判定され、かつ第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のLPNの第1のオフロードすべきベアラのIDならびに第1のUE−relayの送信容量情報および／または第1のLPNの送信容量情報に従って判定される、オフロードすべきベアラであり、第1の確立すべきベアラが満たす必要があるQoS要件のための指示子が、第2のオフロードすべきベアラのIDである。
【００５２】
第8の実施態様の第3の可能な実施に関連して、第8の実施態様の第4の可能な実施では、第2のオフロードすべきベアラにおけるDRBベアラが下りリンクDRBベアラである場合、サービスベアラにおけるDRBベアラは上りリンクDRBベアラである、または第2のオフロードすべきベアラにおけるDRBベアラが上りリンクDRBベアラである場合、サービスベアラにおけるDRBベアラは下りリンクDRBベアラである。
【００５３】
第8の実施態様または第8の実施態様の第1の可能な実施から第4の可能な実施のいずれか1つに関連して、第8の実施態様の第5の可能な実施では、第1のLPNによって、オフロードベアラ要求メッセージに従って、第1のUE−relayによって確立され得る第2の確立すべきベアラのDRB構成情報を判定するステップが、
第1のLPNによって、第1の確立すべきベアラが満たす必要があるQoS要件のための指示子に従って、第1の確立すべきベアラが満たす必要があるDRB QoS要件を判定するステップと、
第1のLPNによって、第1のLPNと第1のUE−relayとの間の無線インターフェースのステータスを取得するステップと、無線インターフェースステータスおよび第1の確立すべきベアラが満たす必要があるDRB QoS要件に従って、第2の確立すべきベアラを判定するステップであって、第2の確立すべきベアラが、第1のLPNによって第1の確立すべきベアラから判定され、かつそのDRB QoS要件が、無線インターフェースステータスと一致する、第1の確立すべきベアラである、ステップと、
第1のLPNによって、第2の確立すべきベアラのDRB構成情報を判定するステップと、
を含む。
【００５４】
第9の実施態様によれば、本発明の一実施形態は、バックホールリンク確立方法を提供し、本方法が、スモールセルを配備するネットワークに適用可能であり、ネットワークが、少なくとも1つのユーザ機器中継装置UE−relayと、少なくとも1つの低電力ノードLPNと、基地局と、移動管理エンティティMMEと、コアネットワーク要素と、を含み、UE−relayが、コアネットワーク要素に有線で接続され、UE−relayが、LPNに無線で接続され、本方法が、
第1のUE−relayによって、第1のUE−relayの識別情報IDに従って基地局が送信したオフロードベアラ構成メッセージを受信するステップであって、オフロードベアラ構成メッセージが、第2の確立すべきベアラの識別情報IDと、第2の確立すべきベアラの第1のS1構成情報と、第2の確立すべきベアラのデータ無線ベアラDRB構成情報と、を含み、第2の確立すべきベアラが、第1のUE−relayによって確立され得、かつ第1のLPNによって第1のLPNの第1の確立すべきベアラから、基地局が送信したオフロードベアラ要求メッセージにおける第1の確立すべきベアラが満たす必要があるサービス品質QoS要件のための指示子および第1のLPNの第1の確立すべきベアラのIDに従って判定される、ベアラであり、オフロードベアラ要求メッセージが、第1のUE−relayのIDと、第1の確立すべきベアラのIDと、第1の確立すべきベアラが満たす必要があるQoS要件のための指示子と、を運び、オフロードベアラ要求メッセージが、第1のLPNに、第2の確立すべきベアラのDRB構成情報を判定するように命令するために使用され、第1のLPNが、少なくとも1つのLPNのうちの1つであり、第1のUE−relayが、少なくとも1つのUE−relayのうちの1つである、ステップと、
第1のUE−relayによって、第2の確立すべきベアラの第1のS1構成情報および第2の確立すべきベアラのDRB構成情報に従って、第1のLPNためのサービスベアラを確立するステップと、
第1のUE−relayによって、基地局およびMMEを使用して、サービスベアラのIDとサービスベアラの第2のS1構成情報とをコアネットワーク要素に送信するステップであって、サービスベアラのIDが、第2の確立すべきベアラのIDである、ステップと、
を含む。
【００５５】
第9の実施態様に関連して、第9の実施態様の第1の可能な実施では、第1のUE−relayによって、第2の確立すべきオフロードベアラの第1のS1構成情報および第2の確立すべきベアラのDRB構成情報に従って、第1のLPNためのサービスベアラを確立するステップが、
第1のUE−relayによって、第2の確立すべきベアラの第1のS1構成情報に従って、第1のUE−relayとコアネットワーク要素との間のS1ベアラを確立するステップと、
第1のUE−relayによって、第2の確立すべきベアラのDRB構成情報に従って、第1のUE−relayと第1のLPNとの間のDRBベアラを確立するステップと、
を含む。
【００５６】
第9の実施態様の第1の可能な実施に関連して、第9の実施態様の第2の可能な実施では、第1の確立すべきベアラが満たす必要があるQoS要件のための指示子が、第1の確立すべきベアラが満たす必要があるQoS要件であり、
第1のLPNが、オフロードベアラを確立する必要があり、かつMMEによって、LPNから基地局が送信した少なくとも1つの第1の初期バックホールメッセージにおけるLPNの送信容量情報に従って判定される、LPNであり、第1のLPNのIDが、MMEによって、LPNの送信容量情報およびLPNのIDに従って判定され、第1のUE−relayが、第1のLPNのためのベアラを確立でき、かつMMEによって、基地局が送信した少なくとも1つの第1の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第1の初期バックホールメッセージが、1つのLPNのIDと、少なくとも1つのUE−relayのIDと、LPNの送信容量情報と、各UE−relayの送信容量情報と、を含む。
【００５７】
第9の実施態様の第1の可能な実施に関連して、第9の実施態様の第3の可能な実施では、第1の確立すべきベアラが満たす必要があるQoS要件のための指示子が、第1のLPNの第2のオフロードすべきベアラのIDであり、
第1のLPNが、オフロードベアラを確立する必要があり、かつMMEによって第2のLPNから、基地局が送信した少なくとも1つの第2の初期バックホールメッセージにおける第2のLPNの送信容量情報に従って判定される、LPNであり、第1のLPNのIDが、MMEによって、第2のLPNの送信容量情報および第2のLPNのIDに従って判定され、第2のLPNが、バックホール容量が制限され、かつ基地局によって少なくとも1つのLPNから判定される、LPNであり、第1のUE−relayが、第1のLPNのためのオフロードベアラを確立でき、かつMMEによって、基地局が送信した少なくとも1つの第2の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含み、
第1の確立すべきベアラが、MMEによって判定され、かつ第1のLPNの第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のLPNの第1のオフロードすべきベアラのIDならびに第1のUE−relayの送信容量情報および／または第1のLPNの送信容量情報に従って判定される、オフロードすべきベアラである。
【００５８】
第9の実施態様の第3の可能な実施に関連して、第9の実施態様の第4の可能な実施では、第2のオフロードすべきベアラにおけるDRBベアラが下りリンクDRBベアラである場合、サービスベアラにおけるDRBベアラは上りリンクDRBベアラである、または第2のオフロードすべきベアラにおけるDRBベアラが上りリンクDRBベアラである場合、サービスベアラにおけるDRBベアラは下りリンクDRBベアラである。
【００５９】
第9の実施態様または第9の実施態様の第1の可能な実施から第4の可能な実施のいずれか1つに関連して、第9の実施態様の第5の可能な実施では、オフロードベアラ構成メッセージが、第1のUE−relayのトラヒックフローテンプレートをさらに含み、第1のUE−relayのトラヒックフローテンプレートが、第1のUE−relayに、サービスベアラにおけるDRBベアラとS1ベアラとの間のマッピング関係を確立するように命令するために使用される。
【００６０】
本発明の実施形態で提供されるバックホールリンク確立方法、基地局、および装置によれば、基地局が、MMEが送信したバックホールオフロード確立要求メッセージを受信し、バックホールオフロード確立要求メッセージに従って、オフロードベアラ要求メッセージを第1のLPNに送信し、その結果、第1のLPNが、第1のUE−relayによって確立され得る第2の確立すべきベアラを判定する。次いで、基地局は、第1のLPNが送信し、かつ第2の確立すべきベアラのDRB構成情報と第2の確立すべきベアラのIDとを運ぶ、オフロードベアラ肯定応答メッセージを受信し、第2の確立すべきベアラのIDと、第2の確立すべきベアラのDRB構成情報と、第2の確立すべきベアラの第1のS1構成情報と、を運ぶ、オフロードベアラ構成メッセージを第1のUE−relayに送信し、その結果、第1のUE−relayが、オフロードベアラ構成メッセージに従って、第1のLPNのためのサービスベアラを確立する。本発明の実施形態で提供される方法によれば、UE−relayが、ネットワークに配備され、バックホールリンクが、UE−relayおよび第1のLPNのアイドル状態の上りリンク／下りリンクリソースを用いて第1のLPNのために確立される、またはオフロードベアラが、UE−relayおよび第1のLPNのアイドル状態の上りリンク／下りリンクリソースを用いて、第1のLPNのものであり、かつその能力が制限された、一部のE−RABベアラのために確立され、その結果、基地局とLPNとの間の従来技術のバックホールリンクによって引き起こされる基地局の上りリンク／下りリンクリソースへの影響が低減され、基地局の上りリンク／下りリンクリソースへのバックホール負荷が軽減され、信頼できるデータ伝送が確保される。
【００６１】
本発明の実施形態における、または従来技術における技術的な解決策をより明確に説明するために、以下、実施形態または従来技術を説明するために必要な添付の図面を簡単に説明する。当然のことながら、以下の説明における添付の図面は、本発明の一部の実施形態を示すものであり、当業者は、創造的努力がなくても、これらの添付の図面から他の図面をさらに導出することができる。
【図面の簡単な説明】
【００６２】
【図１】本発明の一実施形態による、スモールセルを配備するネットワークの概略的なアーキテクチャ図である。
【図２】本発明の実施形態による、バックホールリンク確立方法の実施形態1の概略的な流れ図である。
【図３Ａ】本発明の実施形態による、バックホールリンク確立方法の実施形態2の概略的な流れ図である。
【図３Ｂ】本発明の実施形態による、バックホールリンク確立方法の実施形態2の概略的な流れ図である。
【図４Ａ】本発明の実施形態による、バックホールリンク確立方法の実施形態3の概略的な流れ図である。
【図４Ｂ】本発明の実施形態による、バックホールリンク確立方法の実施形態3の概略的な流れ図である。
【図５】本発明の実施形態による、バックホールリンク確立方法の実施形態4の概略的な流れ図である。
【図６】本発明の実施形態による、バックホールリンク確立方法の実施形態5の概略的な流れ図である。
【図７】本発明の実施形態による、バックホールリンク確立方法の実施形態6の概略的な流れ図である。
【図８】本発明の実施形態による、バックホールリンク確立方法の実施形態7の概略的な流れ図である。
【図９Ａ】本発明の実施形態による、バックホールリンク確立方法の実施形態8のシグナリングの流れ図である。
【図９Ｂ】本発明の実施形態による、バックホールリンク確立方法の実施形態8のシグナリングの流れ図である。
【図９Ｃ】本発明の実施形態による、バックホールリンク確立方法の実施形態8のシグナリングの流れ図である。
【図１０Ａ】本発明の実施形態による、バックホールリンク確立方法の実施形態9のシグナリングの流れ図である。
【図１０Ｂ】本発明の実施形態による、バックホールリンク確立方法の実施形態9のシグナリングの流れ図である。
【図１０Ｃ】本発明の実施形態による、バックホールリンク確立方法の実施形態9のシグナリングの流れ図である。
【図１１】本発明の実施形態による、基地局の実施形態1の概略的構造図である。
【図１２】本発明の実施形態による、装置の実施形態1の概略的構造図である。
【図１３】本発明の実施形態による、装置の実施形態2の概略的構造図である。
【図１４】本発明の実施形態による、装置の実施形態3の概略的構造図である。
【図１５】本発明の実施形態による、基地局の実施形態2の概略的構造図である。
【図１６】本発明の実施形態による、装置の実施形態4の概略的構造図である。
【図１７】本発明の実施形態による、装置の実施形態5の概略的構造図である。
【発明を実施するための形態】
【００６３】
本発明の実施形態の目的、技術的解決策、および利点をより明確にするために、以下、本発明の実施形態における添付の図面を参照しながら、本発明の実施形態における技術的解決策を明確かつ十分に説明する。当然のことながら、説明される実施形態は、本発明の実施形態の一部に過ぎず、すべてではない。本発明の実施形態に基づいて、当業者によって創造的努力なしに得られるすべての他の実施形態は、本発明の保護範囲内に含まれるものとする。
【００６４】
本出願に含まれる基地局（例えば、アクセスポイント）は、アクセスネットワーク上にあり、無線インターフェース上で1つ以上のセクタを用いて無線端末と通信する装置を指すことがある。基地局は、受信した無線フレームおよびIPパケットを相互に変換し、また無線端末とアクセスネットワークの残りの部分との間のルータとして機能するように構成できる。アクセスネットワークの残りの部分は、インターネットプロトコル（IP）ネットワークを含み得る。例えば、基地局は、GSM(登録商標)またはCDMAにおけるベーストランシーバ基地局（BTS、base transceiver station）であってもよいし、WCDMA(登録商標)におけるNodeB（NodeB）であってもよいし、LTEにおける発展形NodeB（eNB、またはe−NodeB、evolutional Node B）であってもよい。このことは、本出願において限定されるものではない。
【００６５】
本出願に含まれるユーザ機器中継装置、すなわち、UE−relayは、中継機能を有する端末であり得る。端末は、無線端末であっても有線端末であってもよい。無線端末は、ユーザのために音声および／またはデータ接続性を提供する装置、無線接続機能を有する携帯機器、あるいは無線モデムに接続された他の処理装置を指し得る。無線端末は、無線アクセスネットワーク（例えば、RAN、radio access network）を用いて1つ以上のコアネットワークと通信できる。例えば、無線端末は、携帯電話（「セルラー」電話と呼ばれることもある）などのモバイル端末、モバイル端末を内蔵したコンピュータであってよい。
【００６６】
本出願に含まれるLPNは、無線ノード（radio node、略称RN）であり得る。例えば、LPNは、ピコ基地局（Pico）、フェムトセル（Femto）、中継ノード（relay）などであり得る。本出願に含まれるコアネットワーク要素は、コアネットワークにおけるサービスを提供するゲートウェイ（service gateway、略称S−GW）であってもよいし、コアネットワークにおける別のデータ制御ゲートウェイであってもよい。LPNおよびコアネットワーク要素の具体的な内容は、本出願において限定されるものではない。
【００６７】
本出願は、図1に示す、スモールセルを配備するネットワークに適用可能である。ネットワークは、少なくとも1つのUE−relayと、少なくとも1つのLPNと、基地局と、移動管理エンティティ（mobility management entity、略称MME）と、コアネットワーク要素と、を含む。UE−relayは、コアネットワーク要素に有線で接続され、UE−relayは、LPNに無線で接続される。加えて、基地局は、コアネットワーク要素に有線で接続され、基地局は、LPNに無線で接続される場合もあるし、有線で接続される場合もある。以下の実施形態では、基地局がLPNに無線で接続される例を用い、以下の実施形態で言及する上りリンク／下りリンクリソースは、基地局の上りリンク／下りリンクスペクトルリソースである。したがって、基地局とコアネットワーク要素との間のデータベアラは、S1ベアラであり、基地局とLPNとの間のデータベアラは、データ無線ベアラ（data radio bearer、略称DRB）である。発展形UMTS地上無線アクセスネットワーク（evolved UMTS terrestrial radio access network、略称E−UTRAN）無線アクセスベアラ（E−UTRAN Radios Access Bearer、略称E−RAB）は、S1ベアラとDRBベアラとを含む。E−RABベアラにおけるDRBベアラ（バックホールリンク）は、基地局の上りリンク／下りリンクリソースを共有する。例えば、コアネットワーク要素が、下りリンクデータをLPNに送信する必要がある場合、E−RABベアラにおけるDRBベアラが、基地局の下りリンクリソースを占有する。LPNが、上りリンクデータをコアネットワーク要素に送信する必要がある場合、E−RABベアラにおけるDRBベアラが、基地局の上りリンクリソースを占有する。1つのLPNは、複数のE−RABベアラを含む場合があり、各E−RABベアラは、基地局とLPNとの間のバックホールリンクを含む。図1では、実線は、有線接続を表し、破線は、無線接続を表す。図1に示す、LPNとUE−relayとの間の接続関係は、単に説明のためのものであることに留意されたい。LPNとUE−relayとの間の接続の方式は、本出願において限定されるものではない。
【００６８】
UE−relayがコアネットワーク要素に有線で接続されることは、UE−relayとコアネットワーク要素との間でデータ伝送能力があるケースを単に説明するためであることに留意されたい。しかしながら、UE−relayとコアネットワーク要素との間で実際のデータ伝送を行うことができるかどうかは、UE−relayとコアネットワーク要素との間のデータベアラに頼る必要がある。UE−relayとコアネットワーク要素とは、UE−relayとコアネットワーク要素との間のデータベアラが確立された後でのみ、実際のデータ伝送を行うことができる。同様に、UE−relayがLPNに無線で接続されることは、UE−relayとLPNとの間でデータ伝送能力があるケースを単に説明するためである。しかしながら、UE−relayとLPNとの間で実際のデータ伝送を行うことができるかどうかは、UE−relayとLPNとの間の無線ベアラに頼る必要がある。UE−relayとLPNとは、UE−relayとLPNとの間の無線ベアラが確立された後でのみ、実際のデータ伝送を行うことができる。加えて、本発明の実施形態に含まれるUE−relayは、データ中継機能を有し、かつコアネットワークとデータ通信を行うことができる、ユーザ機器である。本出願では、このような装置を総称して、UE−relayと呼ぶ。
【００６９】
以下、具体的な実施形態を用いて、本発明の技術的解決策を詳細に説明する。以下の具体的な実施形態は、相互に組み合わせてよく、一部の実施形態では、同じまたは類似の概念または処理を繰り返し説明しない場合がある。
【００７０】
図2は、本発明の実施形態による、バックホールリンク確立方法の実施形態1の概略的な流れ図である。図2に示すように、本方法は、以下のステップを含む。
【００７１】
S101．基地局は、MMEが送信したバックホールオフロード確立要求メッセージを受信し、バックホールオフロード確立要求メッセージが、第1のLPNの識別情報（identity、略称ID）と、第1のUE−relayのIDと、第1のLPNの第1の確立すべきベアラのIDと、第1の確立すべきベアラの第1のS1構成情報と、第1の確立すべきベアラが満たす必要があるサービス品質（quality of service、略称QoS）要件のための指示子と、を含み、第1のLPNが少なくとも1つのLPNのうちの1つであり、第1のUE−relayが少なくとも1つUE−relayのうちの1つである。
【００７２】
具体的には、基地局は、MMEが送信したバックホールオフロード確立要求メッセージを受信する。バックホールオフロード確立要求メッセージにおける第1のLPNのIDに対応する第1のLPNは、ベアラを確立する必要があるネットワークにあり、かつMMEによって判定される、LPNであり得る。場合により、第1のLPNは、ネットワークにあり、かつバックホール容量が制限されている、LPNである場合もあるし、UE−relayを用いて固有のE−RABベアラを確立する必要がある（つまり、LPNと基地局との間またはLPNとコアネットワーク要素との間でベアラが先に確立されていない）LPNである場合もある。第1のUE−relayは、第1のLPNのためのベアラを確立でき、かつMMEによって判定される、UE−relayであり得る。場合により、第1のUE−relayは、第1のLPNのためのオフロードベアラを確立でき、かつMMEによって判定される、UE−relayである場合もあるし（オフロードベアラを使用して、第1のLPNの1つ以上のオフロードすべきE−RABベアラをオフロードする）、第1のLPNのための固有のE−RABベアラを確立でき、かつMMEによって判定される、UE−relayである場合もある。
【００７３】
加えて、バックホールオフロード確立要求メッセージは、第1のLPNのIDと、第1のUE−relayのIDと、第1のLPNの第1の確立すべきベアラのIDと、第1の確立すべきベアラの第1のS1構成情報と、第1の確立すべきベアラが満たす必要があるQoS要件のための指示子と、を含む。基地局は、第1のLPNのIDを用いて、ネットワークにあり、かつベアラを現在確立する必要があるLPNを知り、第1のUE−relayのIDを用いて、第1のLPNのためのベアラを確立するように第1のLPNによって要求されるUE−relayを知り、第1の確立すべきベアラのIDを用いて、第1のUE−relayによって現在確立されるベアラのIDを知り、第1の確立すべきベアラの第1のS1構成情報を用いて、第1の確立すべきベアラにおけるS1ベアラに必要な情報を知り、第1の確立すべきベアラが満たす必要があるQoS要件のための指示子を用いて、第1の確立すべきベアラが満たす必要があるQoS要件を知ることができる。場合により、第1の確立すべきベアラのQoS要件指示子は、第1の確立すべきベアラの明示的なQoS要件である場合もあるし、第1の確立すべきベアラの暗黙的QoS要件である場合もある。例えば、第1の確立すべきベアラが、第1のLPNのE−RABベアラのオフロードベアラである場合、第1の確立すべきベアラのQoS要件指示子は、E−RABベアラのIDであり得る。このケースでは、基地局は、E−RABベアラのIDを用いて、第1の確立すべきベアラのQoS要件を暗黙的に通知される。
【００７４】
場合により、第1の確立すべきベアラの第1のS1構成情報は、第1の確立すべきベアラに関連する、トランスポート層アドレス（コアネットワーク要素のIPアドレス、例えば、S−GWのIPアドレス）もしくはGPRSトンネリングプロトコルトンネルエンド識別子（GPRS tunneling protocol tunnel endpoint identifier）または両方などの情報であり得る。
【００７５】
S102．基地局は、第1のLPNのIDに従って、オフロードベアラ要求メッセージを第1のLPNに送信し、オフロードベアラ要求メッセージが、第1のUE−relayのIDと、第1の確立すべきベアラのIDと、第1の確立すべきベアラが満たす必要があるQoS要件のための指示子と、を運び、オフロードベアラ要求メッセージが、第1のLPNに、第2の確立すべきベアラのデータ無線ベアラDRB構成情報を判定するように命令するために使用され、第2の確立すべきベアラが、第1のUE−relayによって確立され得、かつ第1のLPNによって、オフロードベアラ要求メッセージにある、第1の確立すべきベアラが満たす必要があるQoS要件のための指示子と第1の確立すべきベアラのIDとに従って、第1の確立すべきベアラから判定されるベアラである。
【００７６】
具体的には、基地局が、第1のLPNのIDに従って、現在の第1のLPNがベアラを確立する必要があるLPNであることを知った場合、基地局は、オフロードベアラ要求メッセージを第1のLPNに送信する。オフロードベアラ要求メッセージは、第1のLPNに、第2の確立すべきベアラのDRB構成情報を判定するように命令するために使用され得る。オフロードベアラ要求メッセージは、第1のUE−relayのIDと、第1の確立すべきベアラのIDと、第1の確立すべきベアラが満たす必要があるQoS要件のための指示子と、を運び得る。したがって、第1のLPNはさらに、オフロードベアラ要求メッセージにある、第1の確立すべきベアラが満たす必要があるQoS要件のための指示子と第1の確立すべきベアラのIDとに従って、第1の確立すべきベアラから第1のUE−relayによって確立され得る第2の確立すべきベアラを判定し、第2の確立すべきベアラのDRB構成情報を判定する。
【００７７】
場合により、第1のLPNが、複数の第1の確立すべきベアラを含み得ることから、第1のLPNは、第1の確立すべきベアラのIDおよび第1の確立すべきベアラが満たす必要があるQoS要件のための指示子に基づいて、かつ第1のUE−relayの送信容量情報または第1のLPNと第1のUE−relayとの間の無線インターフェースのステータスに関連して、第1のUE−relayによって確立され得る第2の確立すべきベアラを判定する場合もある。第2の確立すべきベアラを判定した後、第1のLPNは、第2の確立すべきベアラのDRB構成情報をさらに判定する。場合により、第2の確立すべきベアラのDRB構成情報は、第2の確立すべきベアラにおけるDRBベアラの識別情報である場合もあるし、以下の層、すなわち、パケットデータコンバージェンスプロトコル（packet data convergence protocol、略称PDCP）層、無線リンク制御（radio link control、略称RLC）層、媒体アクセス制御（media access control、略称MAC）層、および物理層における、第2の確立すべきベアラにおけるDRBベアラの構成に関する情報のうちの少なくとも1つである場合もある。
【００７８】
S103．基地局は、第1のLPNが送信し、かつ第2の確立すべきベアラのDRB構成情報と第2の確立すべきベアラのIDとを運ぶ、オフロードベアラ肯定応答メッセージを受信する。
【００７９】
具体的には、第2の確立すべきベアラのDRB構成情報を判定した後、第1のLPNは、オフロードベアラ肯定応答メッセージを基地局に送信する。オフロードベアラ肯定応答メッセージは、第2の確立すべきベアラのものであり、かつ第1のLPNによって判定される、DRB構成情報と、第2の確立すべきベアラのIDと、を含む。基地局は、第2の確立すべきベアラのIDを用いて、第1のUE−relayによって確立され得るベアラを知る。
【００８０】
第2の確立すべきベアラのIDが、実際には、第1のUE−relayによって確立され得、かつ第1のLPNによって第1の確立すべきベアラから判定される、第1の確立すべきベアラのIDであることに留意されたい。例えば、MMEが送信し、基地局が受信したバックホールオフロード確立要求メッセージには第1の確立すべきベアラのIDに対応する3つの第1の確立すべきベアラがあると仮定され、第1の確立すべきベアラのIDはそれぞれ、A、B、およびCであり、第1の確立すべきベアラの3つの第1のS1構成情報があり、それぞれ、Aの第1のS1構成情報、Bの第1のS1構成情報、およびCの第1のS1構成情報である。第1のUE−relayによって確立され得、かつ第1のLPNによって判定される、第2の確立すべきベアラが、AおよびBであると仮定すると、オフロードベアラ肯定応答メッセージにおける第2の確立すべきベアラのIDは、AおよびBである。
【００８１】
S104．基地局は、第2の確立すべきベアラのIDと第1の確立すべきベアラの第1のS1構成情報とに従って、第2の確立すべきベアラの第1のS1構成情報を判定する。
【００８２】
具体的には、第1の確立すべきベアラの第1のS1構成情報を知った後、基地局は、オフロードベアラ肯定応答メッセージにおける第2の確立すべきベアラのIDに従って、第2の確立すべきベアラの第1のS1構成情報を判定し得る。場合により、第2の確立すべきベアラの第1のS1構成情報は、第1の確立すべきベアラの一部またはすべての第1のS1構成情報と同じであり得る。例えば、S103の例によれば、第2の確立すべきベアラのIDはAおよびBであり、第2の確立すべきベアラの第1のS1構成情報は、Aの第1のS1構成情報およびBの第1のS1構成情報である。
【００８３】
S105．基地局は、第1のUE−relayのIDに従って、オフロードベアラ構成メッセージを第1のUE−relayに送信し、オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのサービスベアラを確立するように命令するために使用される。
【００８４】
具体的には、第2の確立すべきベアラおよび第2の確立すべきベアラのIDのDRB構成情報を受信した後、第1のUE−relayのIDに従って、基地局は、第2の確立すべきベアラのID、第2の確立すべきベアラのDRB構成情報、および第2の確立すべきベアラの第1のS1構成情報をオフロードベアラ構成メッセージに加え、オフロードベアラ構成メッセージを第1のUE−relayに送信する。ここでの第2の確立すべきベアラの第1のS1構成情報は、実際には、第1のUE−relayによって確立され得、かつ第1のLPNによって第1の確立すべきベアラから判定される、ベアラの第1のS1構成情報であることに留意されたい（つまり、第2の確立すべきベアラの第1のS1構成情報は、実際には、第1のUE−relayによって確立され得る、一部の第1の確立すべきベアラの第1のS1構成情報である。上述の例の説明によれば、第2の確立すべきベアラの第1のS1構成情報は、Aの第1のS1構成情報およびBの第1のS1構成情報である）。
【００８５】
さらに、第1のUE−relayは、オフロードベアラ構成メッセージに従って、第1のLPNのためのサービスベアラを確立する。場合により、第1のUE−relayによって確立されるサービスベアラは、有線ベアラおよび無線ベアラを含み得る。第1のLPNのアイドル状態の上りリンクリソースまたは下りリンクリソースは、無線ベアラのために使用される。本発明の本実施形態では、コアネットワーク要素が下りリンクデータを第1のLPNに送信する必要がある場合、第1のUE−relayを配備でき、その結果、第1のUE−relayは、第1のLPNのアイドル状態の上りリンクリソースを用いて、第1のLPNのためのバックホールリンク（このバックホールリンクは、上りリンク無線ベアラである）を確立し得る。したがって、下りリンクデータを送信するための、第1のLPNのための下りリンクバックホールリンクを確立するための、基地局の下りリンクリソースの使用が阻止され、基地局の下りリンクリソースのバックホール負荷が軽減される。本発明の本実施形態では、第1のLPNが上りリンクデータをコアネットワーク要素に送信する必要がある場合、第1のUE−relayを配備でき、その結果、第1のUE−relayは、第1のLPNのアイドル状態の下りリンクリソースを用いて、第1のLPNのためのバックホールリンク（このバックホールリンクは、下りリンク無線ベアラである）を確立し得る。したがって、上りリンクデータを送信するための、第1のLPNのための上りリンクバックホールリンクを確立するための、基地局の上りリンクリソースの使用が阻止され、基地局の上りリンクリソースのバックホール負荷が軽減される。
【００８６】
S106．基地局は、第1のUE−relayが送信した、サービスベアラの受信したIDとサービスベアラの受信した第2のS1構成情報とをMMEを用いてコアネットワーク要素に送信し、サービスベアラのIDが、第2の確立すべきベアラのIDである。
【００８７】
具体的には、第1のUE−relayが第1のLPNのためのサービスベアラを確立した後、第1のUE−relayは、基地局を用いて、サービスベアラのIDおよびサービスベアラの第2のS1構成情報をMMEに送信し、MMEは、サービスベアラのIDおよびサービスベアラの第2のS1構成情報をコアネットワーク要素に転送する。サービスベアラのIDは、第2の確立すべきベアラのIDであり、サービスベアラの第2のS1構成情報が、GTP−TEIDと第1のUE−relayのトランスポート層アドレスとをUE−relay側で運ぶことができ、その結果、コアネットワーク要素が、第2の確立すべきベアラの第2のS1構成情報を用いて、データを送信すべきUE relayを知り、サービスベアラのIDを用いて、データを第1のUE−relayに送信するためのサービスベアラを知ることに留意されたい。
【００８８】
スモールセルを配備する既存のネットワークでは、各LPNと基地局との間のバックホールリンクは、無線バックホールである場合もあるし、有線バックホールである場合もある。バックホールリンクが無線バックホールである場合、複数の無線バックホールが、基地局の上りリンク／下りリンクスペクトルリソースを共有する。バックホールリンクが有線バックホールである場合、複数の有線バックホールが、基地局の上りリンク／下りリンク物理伝送リソースを共有する。つまり、従来技術のバックホールリンクは、基地局の上りリンク／下りリンクリソースを共有する。LPNのカバレッジ内にいるユーザが、大規模なトラヒックのサービスを使用する場合、必要なバックホールリンク容量は、比較的大きい。したがって、LPNの複数のバックホールリンクは、複数のバックホールリンクによって共有される上りリンク／下りリンクリソースに、容量面で影響を与える。その結果、上りリンク／下りリンクリソースに対するバックホール負荷は増大し、データ伝送の信頼性に影響する。本発明の本実施形態で提供される解決策によれば、UE−relayが、ネットワークに配備され、E−RABベアラが、UE−relayおよびLPNのアイドル状態の上りリンク／下りリンクリソースを用いて一部のLPNのために確立される、すなわち、LPNのバックホールリンクがすべて、UE−relayおよびLPNのアイドル状態の上りリンク／下りリンクリソースを用いて（すなわち、先のLPNと基地局との間にベアラがない）確立され、その結果、基地局とLPNとの間の従来技術のバックホールリンクの数が低減され、基地局とLPNとの間のバックホールリンクによって引き起こされる基地局の上りリンク／下りリンクリソースへの影響が低減される。あるいは、LPNのものであり、かつその容量が制限される、一部のE−RABベアラは、UE−relayおよびLPNのアイドル状態の上りリンク／下りリンクリソースを用いて、オフロードされてもよい、すなわち、LPNのこれらのE−RABベアラのためのオフロードベアラを確立してもよく、E−RAB上のデータは、オフロードベアラを用いて送信されてもよく、その結果、E−RABベアラにおけるバックホールリンクの負荷が低減され、基地局とLPNとの間の従来技術のバックホールリンクによって引き起こされる、基地局の上りリンク／下りリンクリソースへの影響が低減される。
【００８９】
本発明の本実施形態で提供されるバックホールリンク確立方法によれば、基地局が、MMEが送信したバックホールオフロード確立要求メッセージを受信し、バックホールオフロード確立要求メッセージに従って、オフロードベアラ要求メッセージを第1のLPNに送信し、その結果、第1のLPNが、第1のUE−relayによって確立され得る第2の確立すべきベアラを判定する。次いで、基地局は、第1のLPNが送信し、かつ第2の確立すべきベアラのDRB構成情報と第2の確立すべきベアラのIDとを運ぶ、オフロードベアラ肯定応答メッセージを受信し、第2の確立すべきベアラのIDと、第2の確立すべきベアラのDRB構成情報と、第2の確立すべきベアラの第1のS1構成情報と、を運ぶ、オフロードベアラ構成メッセージを第1のUE−relayに送信し、その結果、第1のUE−relayが、オフロードベアラ構成メッセージに従って、第1のLPNのためのサービスベアラを確立する。本発明の本実施形態で提供される方法によれば、UE−relayが、ネットワークに配備され、バックホールリンクが、UE−relayおよび第1のLPNのアイドル状態の上りリンク／下りリンクリソースを用いて第1のLPNのために確立される、またはオフロードベアラが、UE−relayおよび第1のLPNのアイドル状態の上りリンク／下りリンクリソースを用いて、第1のLPNのものであり、かつその能力が制限された、一部のE−RABベアラのために確立され、その結果、基地局とLPNとの間の従来技術のバックホールリンクによって引き起こされる基地局の上りリンク／下りリンクリソースへの影響が低減され、基地局の上りリンク／下りリンクリソースへのバックホール負荷が軽減され、信頼できるデータ伝送が確保される。
【００９０】
さらに、基地局が送信したオフロードベアラ構成メッセージに従って、第1のUE−relayによって確立されるサービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含み得る。
【００９１】
図3Aおよび図3Bは、本発明の実施形態による、バックホールリンク確立方法の実施形態2の概略的な流れ図である。本実施形態は、第1のLPNと、基地局およびコアネットワーク要素のそれぞれとの間でサービスベアラが確立されていない場合に、第1のUE−relayが第1のLPNのためのサービスベアラを確立する、具体的な処理を含む。図3Aおよび図3Bに示すように、本方法は、以下のステップを含む。
【００９２】
S201．基地局は、少なくとも1つの第1の初期バックホールメッセージをMMEに送信し、各第1の初期バックホールメッセージが、1つのLPNのIDと、少なくとも1つのUE−relayのIDと、LPNの送信容量情報と、各UE−relayの送信容量情報と、を含む。
【００９３】
具体的には、ネットワークにおける各LPNは、1つの第1の初期バックホールメッセージに対応する。したがって、基地局は、少なくとも1つの第1の初期バックホールメッセージをMMEに送信する必要がある。各第1の初期バックホールメッセージは、第1の初期バックホールメッセージに対応するLPNのIDと、少なくとも1つのUE−relayのIDと、LPNの送信容量情報と、各UE−relayの送信容量情報と、を含む。第1の初期バックホールメッセージを含む少なくとも1つのUE−relayのIDに対応する少なくとも1つのUE−relayが、LPNのためのベアラを確立する容量を有するUE−relayで特にあり得ることに留意されたい。LPNの送信容量情報は、LPNのノンアクセスストラタムプロトコルデータユニット（non−access stratum protocol data unit、略称NAS−PDU）情報であり得、UE−relayの送信容量情報は、UE−relayのNAS−PDU情報で特にあり得る。
【００９４】
S202．基地局は、MMEが送信したバックホールオフロード確立要求メッセージを受信し、バックホールオフロード確立要求メッセージが、第1のLPNのIDと、第1のUE−relayのIDと、第1のLPNの第1の確立すべきベアラのIDと、第1の確立すべきベアラの第1のS1構成情報と、第1の確立すべきベアラが満たす必要があるQoS要件のための指示子と、を含む。
【００９５】
本実施形態では、第1の確立すべきベアラが満たす必要があるQoS要件のための指示子が、第1の確立すべきベアラが満たす必要があるQoS要件であり、第1のLPNが、ベアラを確立する必要があり、かつMMEによって各LPNの送信容量情報に従って判定される、LPNであり、第1のLPNのIDが、MMEによって、各LPNの送信容量情報および各LPNのIDに従って判定され、第1のUE−relayが、第1のLPNのためのベアラを確立でき、かつMMEによって各UE−relayの送信容量情報に従って判定される、UE−relayであり、第1のUE−relayのIDが、MMEによって各UE−relayの送信容量情報および各UE−relayのIDに従って判定される。
【００９６】
具体的には、基地局が送信した第1の初期バックホールメッセージを受信した後、MMEは、第1の初期バックホールメッセージにおける各LPNの送信容量情報に従って、第1のLPNが、ベアラを確立する必要があるLPNであると判定し、第1の初期バックホールメッセージにおける各UE−relayの送信容量情報に従って、第1のUE−relayが、第1のLPNのためのベアラを確立できるUE−relayであると判定する。次いで、MMEは、バックホールオフロード確立要求メッセージを基地局に送信する。
【００９７】
MMEが送信したバックホールオフロード確立要求メッセージを基地局が受信した後、基地局は、第1のLPNのIDを用いて、ベアラを現在確立する必要があるLPNを知り、第1のUE−relayのIDを用いて、第1のLPNのためのベアラを確立するように第1のLPNによって要求されるUE−relayを知り、第1の確立すべきベアラのIDを用いて、第1のUE−relayによって現在確立されるベアラのIDを知り、第1の確立すべきベアラの第1のS1構成情報を用いて、第1の確立すべきベアラにおけるS1ベアラに必要な情報を知り、第1の確立すべきベアラが満たす必要があるQoS要件のための指示子を用いて、第1の確立すべきベアラが満たす必要があるQoS要件を知ることができる。
【００９８】
S203．基地局は、第1のLPNのIDに従って、オフロードベアラ要求メッセージを第1のLPNに送信し、オフロードベアラ要求メッセージが、第1のLPNに、第2の確立すべきベアラのDRB構成情報を判定するように命令するために使用され、オフロードベアラ要求メッセージが、第1の確立すべきベアラのIDと、第1のUE−relayのIDと、第1の確立すべきベアラが満たす必要があるQoS要件のための指示子と、を含み、第2の確立すべきベアラが、第1のUE−relayによって確立され得、かつ第1のLPNによって、オフロードベアラ要求メッセージにある、第1の確立すべきベアラが満たす必要があるQoS要件のための指示子と第1の確立すべきベアラのIDとに従って、第1の確立すべきベアラから判定されるベアラである。
【００９９】
具体的には、基地局は、第1のLPNのIDを用いて、ベアラを現在確立する必要があるLPNを既に知っているため、第1のLPNのIDに従って、基地局は、バックホールオフロード確立要求メッセージにある、第1の確立すべきベアラのID、第1の確立すべきベアラが満たす必要があるQoS要件、および第1のUE−relayのIDをオフロードベアラ要求メッセージに加え、オフロードベアラ確立要求メッセージを第1のLPNに送信する。第1のLPNは、第1の確立すべきベアラが満たす必要があるQoS要件に従って、第1の確立すべきベアラが満たす必要があるDRB QoS要件を知る。DRB QoS要件は、実際には、第1の確立すべきベアラにおけるDRBベアラが満たす必要があるQoS要件である。次いで、第1のLPNは、第1のLPNと第1のUE−relayとの間の無線インターフェースのステータス（例えば、チャネル品質またはパケット損失率）を取得し、第2の確立すべきベアラを判定し、次いで第2の確立すべきベアラのDRB構成情報を判定するために、無線インターフェースステータスが判定したDRB QoS要件を満たすかどうかを判定する（すなわち、第1のLPNと第1のUE−relayとの間の無線インターフェースのステータスが第1の確立すべきベアラにDRBベアラを確立するのに適切であると判定する）。
【０１００】
実施形態1の例によれば、バックホールオフロード確立要求メッセージに第1の確立すべきベアラのIDに対応する3つの第1の確立すべきベアラがあり、第1の確立すべきベアラのIDがそれぞれA、B、およびCであると仮定すると、基地局が第1のLPNに送信したオフロードベアラ要求メッセージにも第1の確立すべきベアラのIDに対応する3つの第1の確立すべきベアラがあり、第1の確立すべきベアラのIDがそれぞれA、B、およびCである。次いで、第1のLPNと第1のUE−relayとの間の無線インターフェースのステータスが、IDがAおよびBである第1の確立すべきベアラを確立するのに適する、と第1のLPNが判定し、第1のLPNが、2つの第1の確立すべきベアラを第2の確立すべきベアラとして判定する。第2の確立すべきベアラのIDは、AおよびBである。
【０１０１】
次いで、第1のLPNは、オフロードベアラ肯定応答メッセージを基地局に送信する。オフロードベアラ肯定応答メッセージは、第2の確立すべきベアラのDRB構成情報と第2の確立すべきベアラのIDとを運ぶ。
【０１０２】
S204．基地局は、第1のLPNが送信し、かつ第2の確立すべきベアラのDRB構成情報と第2の確立すべきベアラのIDとを運ぶ、オフロードベアラ肯定応答メッセージを受信する。
【０１０３】
S205．基地局は、第2の確立すべきベアラのIDと第1の確立すべきベアラの第1のS1構成情報とに従って、第2の確立すべきベアラの第1のS1構成情報を判定する。
【０１０４】
S206．基地局は、第1のUE−relayのIDに従って、オフロードベアラ構成メッセージを第1のUE−relayに送信し、オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのサービスベアラを確立するように命令するために使用される。
【０１０５】
第2の確立すべきベアラの第1のS1構成情報が、実際には、第1のUE−relayによって確立され得、かつ第1のLPNによって判定される、第1の確立すべきベアラの第1のS1構成情報であることに留意されたい。上述の例の説明によれば、第2の確立すべきベアラの第1のS1構成情報は、上述の例におけるAの第1のS1構成情報およびBの第1のS1構成情報である。
【０１０６】
具体的には、第1のUE−relayは、オフロードベアラ構成メッセージに従って、第1のLPNのためのサービスベアラを確立する。場合により、第1のUE−relayによって確立されるサービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含み得る。本発明の本実施形態では、コアネットワーク要素が下りリンクデータを第1のLPNに送信する必要がある場合、第1のUE−relayを配備でき、その結果、第1のUE−relayは、第1のLPNのアイドル状態の上りリンクリソースを用いて、第1のLPNのための上りリンクバックホールリンク（すなわち、上りリンクDRBベアラ）を確立し得る。したがって、下りリンクデータを送信するための、第1のLPNのための下りリンクDRBベアラを確立するための、基地局の下りリンクリソースの使用が阻止され、基地局の下りリンクリソースのバックホール負荷が軽減される。本発明の本実施形態では、第1のLPNが上りリンクデータをコアネットワーク要素に送信する必要がある場合、第1のUE−relayを配備でき、その結果、第1のUE−relayは、第1のLPNのアイドル状態の下りリンクリソースを用いて、第1のLPNのための下りリンクバックホールリンク（すなわち、下りリンクDRBベアラである）を確立し得る。したがって、上りリンクデータを送信するための、第1のLPNのための上りリンクDRBベアラを確立するための、基地局の上りリンクリソースの使用が阻止され、基地局の上りリンクリソースのバックホール負荷が軽減される。したがって、第1のUE−relayが、第1のLPNのアイドル状態の上りリンクリソースを用いて、第1のLPNのための上りリンクDRBベアラを確立する場合、第1のLPNのための下りリンクDRBベアラを確立するための、基地局の下りリンクリソースの使用が阻止され、基地局の下りリンクリソースのバックホール負荷が軽減される。第1のUE−relayが、第1のLPNの下りリンクリソースを用いて、第1のLPNのための下りリンクDRBベアラを確立する場合、第1のLPNのための上りリンクDRBベアラを確立するための、基地局の上りリンクリソースの使用が阻止され、基地局の上りリンクリソースのバックホール負荷が軽減される。
【０１０７】
S207．基地局は、第1のUE−relayが送信したオフロードベアラ構成肯定応答メッセージを受信し、オフロードベアラ構成肯定応答メッセージが、サービスベアラのIDと、サービスベアラの第2のS1構成情報と、を含む。
【０１０８】
具体的には、第1のUE−relayが第1のLPNのためのサービスベアラを確立した後、第1のUE−relayは、サービスベアラのIDおよびサービスベアラの第2のS1構成情報をオフロードベアラ構成肯定応答メッセージに加え、オフロードベアラ構成肯定応答メッセージを基地局に送信する。サービスベアラのIDは、第2の確立すべきベアラのIDであり、サービスベアラの第2のS1構成情報が、GTP−TEIDと第1のUE−relayのトランスポート層アドレスとをUE−relay側で運ぶことができることに留意されたい。
【０１０９】
S208．基地局は、バックホールオフロード確立要求肯定応答メッセージをMMEに送信し、バックホールオフロード確立要求肯定応答メッセージは、サービスベアラのIDとサービスベアラの第2のS1構成情報とを含み、バックホールオフロード確立要求肯定応答メッセージは、MMEに、サービスベアラのIDとサービスベアラの第2のS1構成情報とを運ぶベアラ修正要求メッセージをコアネットワーク要素に送信するように命令するために使用され、ベアラ修正要求メッセージが、サービスベアラをコアネットワーク要素に示すために使用される。
【０１１０】
具体的には、基地局は、オフロードベアラ構成肯定応答メッセージからサービスベアラのIDとサービスベアラの第2のS1構成情報とを読み取り、サービスベアラのIDおよびサービスベアラの第2のS1構成情報をバックホールオフロード確立要求肯定応答メッセージに加え、バックホールオフロード確立要求肯定応答メッセージをMMEに送信し、その結果、MMEは、サービスベアラのIDおよびサービスベアラの第2のS1構成情報を運ぶベアラ修正要求メッセージをコアネットワーク要素に送信し、ベアラ修正要求メッセージを用いて、サービスベアラの具体的な内容をコアネットワーク要素に示す。このケースでは、コアネットワーク要素が、ベアラ修正要求メッセージにおける第2の確立すべきベアラの第2のS1構成情報を用いて、データを送信すべきUE−relayを知り、サービスベアラのIDを用いて、データを第1のUE−relayに送信するためのベアラを知る。
【０１１１】
場合により、バックホールオフロード確立要求メッセージが、第1のUE−relayのトラヒックフローテンプレートをさらに含んでもよく、オフロードベアラ構成メッセージが、第1のUE−relayのトラヒックフローテンプレートをさらに含んでもよく、第1のUE−relayのトラヒックフローテンプレートが、第1のUE−relayに、サービスベアラにおけるDRBベアラとS1ベアラとの間のマッピング関係を確立するように命令するために使用され、その結果、データ転送処理における有線ベアラと無線ベアラとの間の対応関係が明示的にわかり、データが誤って伝わることを防ぎ、データ伝送の信頼性がさらに改善される。
【０１１２】
本発明の本実施形態で提供されるバックホールリンク確立方法によれば、第1の初期バックホールメッセージをMMEに送信した後、基地局が、MMEが送信したバックホールオフロード確立要求メッセージを受信し、バックホールオフロード確立要求メッセージに従って、第1の確立すべきベアラのIDと、第1のUE−relayのIDと、第1の確立すべきベアラが満たす必要があるQoS要件と、を運ぶ、オフロードベアラ要求メッセージを第1のLPNに送信し、その結果、第1のLPNが、第1のUE−relayによって確立され得る第2の確立すべきベアラを判定する。次いで、基地局は、第1のLPNが送信し、かつ第2の確立すべきベアラのDRB構成情報と第2の確立すべきベアラのIDとを運ぶ、オフロードベアラ肯定応答メッセージを受信し、第2の確立すべきベアラのIDと、第2の確立すべきベアラのDRB構成情報と、第2の確立すべきベアラの第1のS1構成情報と、を運ぶ、オフロードベアラ構成メッセージを第1のUE−relayに送信し、その結果、第1のUE−relayが、オフロードベアラ構成メッセージに従って、第1のLPNのためのサービスベアラを確立する。本発明の本実施形態で提供される方法によれば、UE−relayが、ネットワークに配備され、E−RABベアラが、UE−relayおよびLPNのアイドル状態の上りリンク／下りリンクリソースを用いてLPNのために確立される、すなわち、基地局とLPNとの間の一部のバックホールリンクが、第1のLPNの上りリンク／下りリンクリソースを用いて、確立され、その結果、基地局とLPNとの間の従来技術のバックホールリンクの数が低減され、次いで、LPNと基地局との間のバックホールリンクによって引き起こされる基地局の上りリンク／下りリンクリソースへの影響が低減され、基地局の上りリンク／下りリンクリソースへのバックホール負荷が軽減され、信頼できるデータ伝送が確保される。
【０１１３】
図4Aおよび図4Bは、本発明の実施形態による、バックホールリンク確立方法の実施形態3の概略的な流れ図である。本実施形態は、ネットワークにおける一部のLPNのバックホール容量が制限されていることを基地局が知った後、UE−relayは、バックホール容量が制限されているLPNをオフロードする具体的な処理を含む。図4Aおよび図4Bに示すように、本方法は、以下のステップを含む。
【０１１４】
S301．基地局は、少なくとも1つのLPNから、バックホール容量が制限されている第2のLPNを取得する。
【０１１５】
具体的には、基地局は、LPNとのシグナリング相互作用によって、LPNのバックホール容量が制限されているかどうかを知る。場合により、LPNは、LPNのバックホール容量が制限されているかどうかを示す明示的なシグナリングメッセージを基地局に報告する場合もあるし、バックホール容量に関連する測定データを基地局に報告する場合もあり、基地局は、LPNのバックホール容量が制限されているかどうかを判定し、その結果、バックホール容量が制限されている第2のLPNを判定する。
【０１１６】
S302．基地局は、少なくとも1つの第2の初期バックホールメッセージをMMEに送信し、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含む。
【０１１７】
具体的には、ネットワークにおける各第2のLPNは、1つの第2の初期バックホールメッセージに対応する。したがって、基地局は、少なくとも1つの第2の初期バックホールメッセージをMMEに送信する必要がある。各第2の初期バックホールメッセージは、第2の初期バックホールメッセージに対応する第2のLPNのIDと、少なくとも1つのUE−relayのIDと、第2のLPNの送信容量情報と、各UE−relayの送信容量情報と、を含む。第2の初期バックホールメッセージに含まれる少なくとも1つのUE−relayが、第2のLPNのためのオフロードベアラを確立する容量を有するUE−relayで特にあり得ることに留意されたい。第2のLPNの送信容量情報は、第2のLPNのNAS−PDU情報であり得、UE−relayの送信容量情報は、UE−relayのNAS−PDU情報で特にあり得る。
【０１１８】
S303．基地局は、MMEが送信したバックホールオフロード確立要求メッセージを受信し、バックホールオフロード確立要求メッセージが、第1のLPNのIDと、第1のUE−relayのIDと、第1のLPNの第1の確立すべきベアラのIDと、第1の確立すべきベアラの第1のS1構成情報と、第1の確立すべきベアラが満たす必要があるQoS要件のための指示子と、を含む。
【０１１９】
本実施形態では、第1の確立すべきベアラが満たす必要があるQoS要件のための指示子は、以下の第2のオフロードすべきベアラのIDで特にあり得る。第1のLPNが、オフロードベアラを確立する必要があり、かつMMEによって第2のLPNから各第2のLPNの送信容量情報に従って判定される、LPNであり、第1のLPNのIDが、MMEによって各第2のLPNの送信容量情報および各第2のLPNのIDに従って判定され、第1のUE−relayが、第1のLPNのためにオフロードベアラを確立でき、かつMMEによって各UE−relayの送信容量情報に従って判定される、UE−relayであり、第1のUE−relayのIDが、MMEによって各UE−relayの送信容量情報および各UE−relayのIDに従って判定され、第1の確立すべきベアラが、MMEによって判定され、かつ第1のLPNの第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のオフロードすべきベアラのIDならびに第1のUE−relayの送信容量情報および／または第1のLPNの送信容量情報に従って判定される、オフロードすべきベアラである。
【０１２０】
具体的には、基地局が送信した第2の初期バックホールメッセージを受信した後、MMEは、第2のLPNから、第2の初期バックホールメッセージにおける各第2のLPNの送信容量情報に従って、第1のLPNが、オフロードベアラを確立する必要があるLPNであると判定し（つまり、第1のLPNが、現在オフロードする必要があるLPNであると判定する。すべての第2のLPNのバックホール容量は制限されているが、MMEは、バックホール容量が大幅に制限されていない一部の第2のLPNは、最初にオフロードされないことを判定し、MMEは、バックホール容量が大幅に制限されている第2のLPNを第1のLPNとしてまず選択し、第2のLPNをオフロードする）、第2の初期バックホールメッセージにおける各UE−relayの送信容量情報に従って、第1のUE−relayが、第1のLPNのためのオフロードベアラを確立できるUE−relayであると判定する。
【０１２１】
加えて、第1のLPNおよび第1のUE−relayを判定した後、MMEは、第1のLPNの第1のオフロードすべきベアラを選択して、第1のLPNの第2のオフロードすべきベアラを判定する（第2のオフロードすべきベアラは、現在オフロードすべきベアラである）。具体的には、MMEは、第1のLPNのすべての第1のオフロードすべきベアラから、第1のLPNの第1のオフロードすべきベアラのIDならびに第1のUE−relayの送信容量情報および／または第1のLPNの送信容量情報に従って、第1のUE−relayを用いてオフロードされ得るオフロードすべきベアラを判定する。例えば、第1のUE−relayが、オフロードのために最大1Mの有線ファイバを使用すると仮定すると（1Mの有線ファイバは、S1ベアラの容量限界と考えられる）、MMEは、第1のLPNの各第1のオフロードすべきベアラの容量を知っているため、MMEは、第2のオフロードすべきベアラを判定するために、現在の第1のUE−relayがオフロードベアラを確立できる第1のオフロードすべきベアラを知り得る。別の例では、MMEによって判定される現在の第1のLPN1＃第1のオフロードすべきベアラと2＃第1のオフロードすべきベアラとの両方の負荷がかなり重いが、第1のLPNは、2＃第1のオフロードすべきベアラ上の負荷にまだ耐えることができると仮定すると、MMEは、1＃第1のオフロードすべきベアラ上でのみオフロードを行う必要があると判定し、したがって、1＃第1のオフロードすべきベアラが第2のオフロードすべきベアラであると判定する。加えて、第1の確立すべきベアラは、第2のオフロードすべきベアラに対応するオフロードベアラである、すなわち、第1の確立すべきベアラは、第2のオフロードすべきベアラのオフロードベアラとして使用されて、第2のオフロードすべきベアラをオフロードする。つまり、本実施形態では、第2のオフロードすべきベアラのIDと、第1の確立すべきベアラのIDとの間にはマッピング関係がある。MMEが、第1のLPN、第1のUE−relay、および第1の確立すべきベアラを判定した後、MMEは、バックホールオフロード確立要求メッセージを基地局に送信する。
【０１２２】
基地局は、MMEが送信したバックホールオフロード確立要求メッセージを受信し、基地局は、第1のLPNのIDを用いて、オフロードベアラを現在確立する必要があるLPNを知り、第1のUE−relayのIDを用いて、第1のLPNのためのオフロードベアラを確立するように第1のLPNによって要求されるUE−relayを知り、第1の確立すべきベアラのIDを用いて、第1のUE−relayによって現在確立されるオフロードベアラのIDを知り（すなわち、第1の確立すべきベアラは、オフロードベアラである）、第1の確立すべきベアラの第1のS1構成情報を用いて、第1の確立すべきベアラにおけるS1ベアラに必要な情報を知り、第2のオフロードすべきベアラに対応する第1の確立すべきベアラが満たす必要があるQoS要件を知るために、第2のオフロードすべきベアラのIDを用いて、第2のオフロードすべきベアラが満たす必要があるQoS要件を知ることができる。
【０１２３】
S304．基地局は、オフロードベアラ要求メッセージを第1のLPNに送信し、オフロードベアラ要求メッセージが、第1のLPNに、第2の確立すべきベアラのDRB構成情報を判定するように命令するために使用され、オフロードベアラ要求メッセージが、第1の確立すべきベアラのIDと、第1のUE−relayのIDと、第2のオフロードすべきベアラのID（すなわち、第1の確立すべきベアラが満たす必要があるQoS要件のための指示子）と、を含み、第2の確立すべきベアラが、第1のUE−relayによって確立され得、かつ第1のLPNによって、オフロードベアラ要求メッセージにある、第1の確立すべきベアラのIDと第2のオフロードすべきベアラのIDとに従って、第1の確立すべきベアラから判定されるベアラである。
【０１２４】
具体的には、基地局は、バックホールオフロード確立要求メッセージにある、第1の確立すべきベアラのID、第1のUE−relayのID、および第2のオフロードすべきベアラのIDをオフロードベアラ確立要求メッセージに加え、オフロードベアラ確立要求メッセージを第1のLPNに送信する。第1のLPNは、第2のオフロードすべきベアラに対応する第1の確立すべきベアラが満たす必要があるQoS要件を知るために、第2のオフロードすべきベアラのIDに従って、第2のオフロードすべきベアラが満たす必要があるQoS要件を知り、次いで第1の確立すべきベアラが満たす必要があるDRB QoSを知る。DRB QoS要件は、実際には、第1の確立すべきベアラにおけるDRBベアラが満たす必要があるQoS要件である。次いで、第1のLPNは、第1のLPNと第1のUE−relayとの間の無線インターフェースのステータス（例えば、チャネル品質またはパケット損失率）を取得し、第2の確立すべきベアラを判定し、次いで第2の確立すべきベアラのDRB構成情報を判定するために、無線インターフェースステータスが判定したDRB QoS要件を満たすかどうかを判定する（すなわち、第1のLPNと第1のUE−relayとの間の無線インターフェースのステータスが第1の確立すべきベアラにDRBベアラを確立するのに適切であると判定する）。
【０１２５】
例えば、基地局がMMEに送信した第2の初期バックホールメッセージで運ばれる第2のLPNは、それぞれ、A＃第2のLPN、B＃第2のLPN、およびC＃第2のLPNであり、第2のLPNのIDは、それぞれ、A、B、およびCであり、各第2のLPNが、少なくとも1つの第1のオフロードすべきベアラを含むと仮定される。基地局は、A＃第2のLPNが第1のLPNであり、A＃第2のLPNの第1のオフロードすべきベアラのIDが、それぞれ、1＃、2＃、および3＃であると判定すると仮定される。MMEは、A＃第2のLPNの第1のオフロードすべきベアラのIDおよびA＃第2のLPNの送信容量情報および／または第1のUE−relayの送信容量情報に従って、1＃および2＃が、第1のUE−relayを用いてオフロードされ得るオフロードすべきベアラであると判定する、すなわち、1＃および2＃が、第2のオフロードすべきベアラであると判定し、1＃’が1＃第2のオフロードすべきベアラに対応する第1の確立すべきベアラのIDであり、2＃’が、2＃第2のオフロードすべきベアラに対応する第1の確立すべきベアラのIDであると判定する。次いで、MMEは、バックホールオフロード確立要求メッセージは、第1のLPNのIDと、第1のUE−relayのIDと、1＃’と、2＃’と、1＃’第1の確立すべきベアラの第1のS1構成情報と、2＃’第1の確立すべきベアラの第1のS1構成情報と、1＃と、2＃と、を運ぶ、バックホールオフロード確立要求メッセージを基地局に送信する。
【０１２６】
次いで、基地局は、第1のLPNのID、第1のUE−relayのID、1＃、および2＃をオフロードベアラ要求メッセージに加え、オフロードベアラ要求メッセージを第1のLPNに送信し、第1のLPNは、第2のオフロードすべきベアラに対応する第1の確立すべきベアラ（1＃’、2＃’）が満たす必要があるQoS要件を知るために、第2のオフロードすべきベアラのID（1＃、2＃）に従って、第2のオフロードすべきベアラが満たす必要があるQoS要件を知り、次いで第1の確立すべきベアラ（1＃’、2＃’）が満たす必要があるDRB QoS要件を知る。次いで、第1のLPNは、第1のLPNと第1のUE−relayとの間の無線インターフェースのステータスを取得し、無線インターフェースステータスが判定したDRB QoS要件を満たすかどうかを判定する（すなわち、第1のLPNと第1のUE−relayとの間の無線インターフェースのステータスが第1の確立すべきベアラにDRBベアラを確立するのに適切であると判定する）。第1のLPNが、第1のLPNと第1のUE−relayとの間の無線インターフェースのステータスが1＃’のDRB QoS要件と一致すると判定すると仮定すると、第1のLPNは、1＃’が第2の確立すべきベアラであると判定し、1＃’のDRB構成情報を判定する。
【０１２７】
次いで、第1のLPN（すなわち、A＃第2のLPN）は、オフロードベアラ肯定応答メッセージを基地局に送信する。オフロードベアラ肯定応答メッセージは、第2の確立すべきベアラのDRB構成情報と第2の確立すべきベアラのIDとを運ぶ。
【０１２８】
S305．基地局は、第1のLPNが送信し、かつ第2の確立すべきベアラのDRB構成情報と第2の確立すべきベアラのIDとを運ぶ、オフロードベアラ肯定応答メッセージを受信する。
【０１２９】
S306．基地局は、第2の確立すべきベアラのIDと第1の確立すべきベアラの第1のS1構成情報とに従って、第2の確立すべきベアラの第1のS1構成情報を判定する。
【０１３０】
S307．基地局は、オフロードベアラ構成メッセージを第1のUE−relayに送信し、オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのサービスベアラを確立するように命令するために使用される。
【０１３１】
第2の確立すべきベアラの第1のS1構成情報が、実際には、一部の第1のUE−relayによって確立され得、かつ第1のLPNによって判定される、第1の確立すべきベアラの第1のS1構成情報であることに留意されたい。上述の例の説明によれば、第2の確立すべきベアラの第1のS1構成情報は、上述の例における1＃’の第1のS1構成情報である。
【０１３２】
具体的には、第1のUE−relayは、オフロードベアラ構成メッセージに従って、第1のLPNのためのサービスベアラを確立する。場合により、第1のUE−relayによって確立されるサービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含み得る。加えて、第2のオフロードすべきベアラにおけるDRBベアラが下りリンクDRBベアラである場合、第1のUE−relayが確立したベアラにおけるDRBベアラは上りリンクDRBベアラである、または第2のオフロードすべきベアラにおけるDRBベアラが上りリンクDRBベアラである場合、第1のUE−relayが確立したベアラにおけるDRBベアラは下りリンクDRBベアラである。加えて、第1のUE−relayによって確立されるサービスベアラが上りリンクDRBベアラである場合、第1のLPNのアイドル状態の上りリンクリソースは、DRBベアラのために使用され、その結果、第1のLPNのためのDRBベアラを確立するための、基地局の下りリンクリソースの使用が阻止される。第1のUE−relayによって確立されるサービスベアラにあるDRBベアラが下りリンクDRBベアラである場合、第1のLPNのアイドル状態の下りリンクリソースが、DRBベアラのために使用され、その結果、第1のLPNのためのDRBベアラを確立するための、基地局の上りリンクリソースの使用が阻止され、基地局の上りリンクリソースのバックホール負荷が軽減される。
【０１３３】
S308．基地局は、第1のUE−relayが送信したオフロードベアラ構成肯定応答メッセージを受信し、オフロードベアラ構成肯定応答メッセージが、サービスベアラのIDと、サービスベアラの第2のS1構成情報と、を含む。
【０１３４】
具体的には、第1のUE−relayが第1のLPNのためのサービスベアラを確立した後、第1のUE−relayは、サービスベアラのIDおよびサービスベアラの第2のS1構成情報をオフロードベアラ構成肯定応答メッセージに加え、オフロードベアラ構成肯定応答メッセージを基地局に送信する。サービスベアラのIDは、第2の確立すべきベアラのIDであり、サービスベアラの第2のS1構成情報が、GTP−TEIDと第1のUE−relayのトランスポート層アドレスとをUE−relay側で運ぶことができることに留意されたい。
【０１３５】
S309．基地局は、バックホールオフロード確立要求肯定応答メッセージをMMEに送信し、バックホールオフロード確立要求肯定応答メッセージは、サービスベアラのIDとサービスベアラの第2のS1構成情報とを含み、バックホールオフロード確立要求肯定応答メッセージは、MMEに、サービスベアラのIDとサービスベアラの第2のS1構成情報とを運ぶベアラ修正要求メッセージをコアネットワーク要素に送信するように命令するために使用され、ベアラ修正要求メッセージが、サービスベアラをコアネットワーク要素に示すために使用される。
【０１３６】
具体的には、基地局は、オフロードベアラ構成肯定応答メッセージからサービスベアラのIDとサービスベアラの第2のS1構成情報とを読み取り、サービスベアラのIDおよびサービスベアラの第2のS1構成情報をバックホールオフロード確立要求肯定応答メッセージに加え、バックホールオフロード確立要求肯定応答メッセージをMMEに送信し、その結果、MMEは、サービスベアラのIDおよびサービスベアラの第2のS1構成情報を運ぶベアラ修正要求メッセージをコアネットワーク要素に送信し、ベアラ修正要求メッセージを用いて、サービスベアラの具体的な内容をコアネットワーク要素に示す。このケースでは、コアネットワーク要素が、ベアラ修正要求メッセージにおける第2の確立すべきベアラの第2のS1構成情報を用いて、データを送信すべきUE−relayを知り、サービスベアラのIDを用いて、サービスベアラを用いて現在オフロードすべき第2のオフロードすべきベアラを知る。
【０１３７】
場合により、バックホールオフロード確立要求メッセージが、第1のUE−relayのトラヒックフローテンプレートをさらに含んでもよく、オフロードベアラ構成メッセージが、第1のUE−relayのトラヒックフローテンプレートをさらに含んでもよく、第1のUE−relayのトラヒックフローテンプレートが、第1のUE−relayに、サービスベアラにおけるDRBベアラとS1ベアラとの間のマッピング関係を確立するように命令するために使用され、その結果、データ転送処理における有線ベアラと無線ベアラとの間の対応関係が明示的にわかり、データが誤って伝わることを防ぎ、データ伝送の信頼性がさらに改善される。
【０１３８】
本発明の本実施形態で提供されるバックホールリンク確立方法によれば、第2の初期バックホールメッセージをMMEに送信した後、基地局が、MMEが送信したバックホールオフロード確立要求メッセージを受信し、バックホールオフロード確立要求メッセージに従って、第1の確立すべきベアラのIDと、第1のUE−relayのIDと、第2のオフロードすべきベアラのIDと、を運ぶ、オフロードベアラ要求メッセージを第1のLPNに送信し、その結果、第1のLPNが、第1のUE−relayによって確立され得る第2の確立すべきベアラを判定する。次いで、基地局は、第1のLPNが送信し、かつ第2の確立すべきベアラのDRB構成情報と第2の確立すべきベアラのIDとを運ぶ、オフロードベアラ肯定応答メッセージを受信し、第2の確立すべきベアラのIDと、第2の確立すべきベアラのDRB構成情報と、第2の確立すべきベアラの第1のS1構成情報と、を運ぶ、オフロード構成メッセージを第1のUE−relayに送信し、その結果、第1のUE−relayが、オフロードベアラ構成メッセージに従って、第1のLPNのためのサービスベアラを確立する。本発明の本実施形態で提供される方法によれば、UE−relayが、ネットワークに配備され、オフロードベアラが、UE−relayを用いて、かつ第1のLPNのアイドル状態の上りリンク／下りリンクリソースおよび固定ネットワークリソースに関連して、ネットワークにあり、そのバックホール容量が制限されているLPNのために確立され、その結果、基地局とLPNとの間の従来技術のバックホールリンクによって引き起こされる基地局の上りリンク−下りリンクリソースへの影響が低減され、基地局の上りリンク−下りリンクリソースへのバックホール負荷が軽減され、信頼できるデータ伝送が確保される。
【０１３９】
図5は、本発明の実施形態による、バックホールリンク確立方法の実施形態4の概略的な流れ図である。本方法は、図1に示す、スモールセルを配備するネットワークに適用可能である。図5に示すように、本方法は、以下のステップを含む。
【０１４０】
S401．第1のLPNは、MMEが送信したバックホールオフロード確立要求メッセージにおける第1のLPNの識別情報IDに従って、基地局が送信したオフロードベアラ要求メッセージを受信し、バックホールオフロード確立要求メッセージが、第1のLPNのIDと、第1のUE−relayのIDと、第1のLPNの第1の確立すべきベアラのIDと、第1の確立すべきベアラの第1のS1構成情報と、第1の確立すべきベアラが満たす必要があるサービス品質QoS要件のための指示子と、を含み、オフロードベアラ要求メッセージが、第1のUE−relayのIDと、第1のLPNの第1の確立すべきベアラのIDと、第1の確立すべきベアラが満たす必要があるQoS要件のための指示子と、を運び、第1のLPNが、少なくとも1つのLPNのうちの1つであり、第1のUE−relayが、少なくとも1つのUE−relayのうちの1つである。
【０１４１】
具体的には、基地局が送信したオフロードベアラ要求メッセージを第1のLPNが受信する前に、基地局は、MMEが送信したバックホールオフロード確立要求メッセージを受信する。次いで、基地局が、バックホールオフロード確立要求メッセージにおける第1のLPNのIDに従って、現在の第1のLPNがベアラを確立する必要があるLPNであることを知った場合、基地局は、オフロードベアラ要求メッセージを第1のLPNに送信する。
【０１４２】
バックホールオフロード確立要求メッセージにおける第1のLPNのIDに対応する第1のLPNは、ベアラを確立する必要があるネットワークにあり、かつMMEによって判定される、LPNであり得ることに留意されたい。場合により、第1のLPNは、ネットワークにあり、かつバックホール容量が制限されている、LPNである場合もあるし、UE−relayを用いて固有のE−RABベアラを確立する必要がある（つまり、LPNと基地局との間またはLPNとコアネットワーク要素との間でベアラが先に確立されていない）LPNである場合もある。第1のUE−relayは、第1のLPNのためのベアラを確立でき、かつMMEによって判定される、UE−relayであり得る。場合により、第1のUE−relayは、第1のLPNのためのオフロードベアラを確立でき、かつMMEによって判定される、UE−relayである場合もあるし（オフロードベアラを使用して、第1のLPNの1つ以上のオフロードすべきE−RABベアラをオフロードする）、第1のLPNのための固有のE−RABベアラを確立でき、かつMMEによって判定される、UE−relayである場合もある。
【０１４３】
加えて、場合により、第1の確立すべきベアラが満たす必要があるQoS要件のための、バックホールオフロード要求メッセージにおける、指示子は、第1の確立すべきベアラの明示的なQoS要件である場合もあるし、第1の確立すべきベアラの暗黙的QoS要件である場合もある。例えば、第1の確立すべきベアラが、第1のLPNのE−RABベアラのオフロードベアラである場合、第1の確立すべきベアラが満たす必要があるQoS要件のための指示子は、E−RABベアラのIDであり得る。このケースでは、基地局は、E−RABベアラのIDを用いて、第1の確立すべきベアラのQoS要件を暗黙的に通知される。場合により、第1の確立すべきベアラの第1のS1構成情報は、第1の確立すべきベアラに関連する、トランスポート層アドレス（コアネットワーク要素のIPアドレス、例えば、S−GWのIPアドレス）もしくはGTP TEIDまたは両方などの情報であり得る。
【０１４４】
S402．第1のLPNは、オフロードベアラ要求メッセージに従って、第1のUE−relayによって確立され得る第2の確立すべきベアラのデータ無線ベアラDRB構成情報を判定し、第2の確立すべきベアラが、第1のUE−relayによって確立され得、かつ第1のLPNによってオフロードベアラ要求メッセージにある、第1の確立すべきベアラが満たす必要があるQoS要件のための指示子および第1の確立すべきベアラのIDに従って第1のLPNの第1の確立すべきベアラから判定されるベアラである。
【０１４５】
具体的には、第1のLPNはさらに、オフロードベアラ要求メッセージにある、第1の確立すべきベアラが満たす必要があるQoS要件のための指示子と第1の確立すべきベアラのIDとに従って、第1の確立すべきベアラから第1のUE−relayによって確立され得る第2の確立すべきベアラを判定し、第2の確立すべきベアラのDRB構成情報を判定する。場合により、第1のLPNは、第1の確立すべきベアラのIDおよび第1の確立すべきベアラが満たす必要があるQoS要件のための指示子に基づいて、かつ第1のUE−relayの送信容量情報または第1のLPNと第1のUE−relayとの間の無線インターフェースのステータスに関連して、第2の確立すべきベアラが第1のUE−relayによって確立され得ると判定する場合もある。第2の確立すべきベアラを判定した後、第1のLPNは、第2の確立すべきベアラのDRB構成情報をさらに判定する。
【０１４６】
S403．第1のLPNは、オフロードベアラ肯定応答メッセージを基地局に送信し、オフロードベアラ肯定応答メッセージが、第2の確立すべきベアラのDRB構成情報と、第2の確立すべきベアラのIDと、を含み、オフロードベアラ肯定応答メッセージが、基地局に、第1のUE−relayのIDに従って、オフロードベアラ構成メッセージを第1のUE−relayへ送信するように命令するために使用され、オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのサービスベアラを確立するように命令するために使用され、第2の確立すべきベアラの第1のS1構成情報が、第2の確立すべきベアラのIDおよび第1の確立すべきベアラの第1のS1構成情報に従って基地局によって判定される。
【０１４７】
具体的には、第2の確立すべきベアラのDRB構成情報を判定した後、第1のLPNは、オフロードベアラ肯定応答メッセージを基地局に送信する。オフロードベアラ肯定応答メッセージは、第2の確立すべきベアラのものであり、かつ第1のLPNによって判定される、DRB構成情報と、第2の確立すべきベアラのIDと、を含む。基地局は、第2の確立すべきベアラのIDを用いて、第1のUE−relayによって確立され得るベアラのIDを知る。第2の確立すべきベアラのIDが、実際には、第1のUE−relayによって確立され得、かつ第1のLPNによって第1の確立すべきベアラから判定される、第1の確立すべきベアラのIDであることに留意されたい。詳細については、実施形態1の例を参照されたい。ここでは細部を繰り返し説明しない。加えて、基地局によって、第2の確立すべきベアラのIDと第1の確立すべきベアラの第1のS1構成情報とに従って、第2の確立すべきベアラの第1のS1構成情報を判定することについては、実施形態1の例を参照されたい。ここでは細部を繰り返し説明しない。
【０１４８】
第2の確立すべきベアラおよび第2の確立すべきベアラのIDのDRB構成情報を受信した後、基地局は、第2の確立すべきベアラのID、第2の確立すべきベアラのDRB構成情報、および第2の確立すべきベアラの第1のS1構成情報をオフロードベアラ構成メッセージに加え、オフロードベアラ構成メッセージを第1のUE−relayに送信する。ここでの第2の確立すべきベアラの第1のS1構成情報は、実際には、第1のUE−relayによって確立され得、かつ第1のLPNによって第1の確立すべきベアラから判定される、ベアラの第1のS1構成情報であることに留意されたい（つまり、第2の確立すべきベアラの第1のS1構成情報は、実際には、第1のUE−relayによって確立され得る、一部の第1の確立すべきベアラの第1のS1構成情報である）。
【０１４９】
さらに、第1のUE−relayは、オフロードベアラ構成メッセージに従って、第1のLPNのためのサービスベアラを確立する。場合により、第1のUE−relayによって確立されるサービスベアラは、有線ベアラおよび無線ベアラを含み得る。第1のLPNのアイドル状態の上りリンクリソースまたは下りリンクリソースは、無線ベアラのために使用される。本発明の本実施形態では、コアネットワーク要素が下りリンクデータを第1のLPNに送信する必要がある場合、第1のUE−relayを配備でき、その結果、第1のUE−relayは、第1のLPNのアイドル状態の上りリンクリソースを用いて、第1のLPNのためのバックホールリンク（このバックホールリンクは、上りリンク無線ベアラである）を確立し得る。したがって、下りリンクデータを送信するための、第1のLPNのための下りリンクバックホールリンクを確立するための、基地局の下りリンクリソースの使用が阻止され、基地局の下りリンクリソースのバックホール負荷が軽減される。本発明の本実施形態では、第1のLPNが上りリンクデータをコアネットワーク要素に送信する必要がある場合、第1のUE−relayを配備でき、その結果、第1のUE−relayは、第1のLPNのアイドル状態の下りリンクリソースを用いて、第1のLPNのためのバックホールリンク（このバックホールリンクは、下りリンク無線ベアラである）を確立し得る。したがって、上りリンクデータを送信するための、第1のLPNのための上りリンクバックホールリンクを確立するための、基地局の上りリンクリソースの使用が阻止され、基地局の上りリンクリソースのバックホール負荷が軽減される。
【０１５０】
またさらに、第1のUE−relayが第1のLPNのためのサービスベアラを確立した後、第1のUE−relayは、サービスベアラのIDおよびサービスベアラの第2のS1構成情報をMMEに送信し、MMEは、サービスベアラのIDおよびサービスベアラの第2のS1構成情報をコアネットワーク要素に転送する。サービスベアラのIDは、第2の確立すべきベアラのIDであり、サービスベアラの第2のS1構成情報が、GTP−TEIDと第1のUE−relayのトランスポート層アドレスとをUE−relay側で運ぶことができ、その結果、コアネットワーク要素が、第2の確立すべきベアラの第2のS1構成情報を用いて、データを送信すべきUE−relayを知り、サービスベアラのIDを用いて、データを第1のUE−relayに送信するためのベアラを知ることに留意されたい。
【０１５１】
本発明の本実施形態で提供されるバックホールリンク確立方法によれば、第1のLPNは、基地局が送信した、受信したオフロードベアラ要求メッセージに従って、第1のUE−relayによって確立され得る第2の確立すべきベアラのDRB構成情報を判定し、第2の確立すべきベアラのDRB構成情報第2の確立すべきベアラのIDを運ぶオフロードベアラ肯定応答メッセージを基地局に送信し、その結果、基地局が、第2の確立すべきベアラのID、第2の確立すべきベアラのDRB構成情報、および第2の確立すべきベアラの第1のS1構成情報を運ぶオフロードベアラ構成メッセージを第1のUE−relayに送信する。このケースでは、第1のUE−relayは、オフロードベアラ構成メッセージに従って、第1のLPNのためのサービスベアラを確立する。本発明の本実施形態で提供される方法によれば、UE−relayが、ネットワークに配備され、バックホールリンクが、UE−relayおよびLPNのアイドル状態の上りリンク／下りリンクリソースを用いて第1のLPNのために確立される、またはオフロードベアラが、UE−relayおよび第1のLPNのアイドル状態の上りリンク／下りリンクリソースを用いて、LPNのものであり、かつその容量が制限された、E−RABベアラのために確立され、その結果、基地局とLPNとの間の従来技術のバックホールリンクによって引き起こされる基地局の上りリンク／下りリンクリソースへの影響が低減され、基地局の上りリンク／下りリンクリソースへのバックホール負荷が軽減され、信頼できるデータ伝送が確保される。
【０１５２】
さらに、基地局が送信したオフロードベアラ構成メッセージに従って、第1のUE−relayによって確立されるサービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含み得る。
【０１５３】
図6は、本発明の実施形態による、バックホールリンク確立方法の実施形態5の概略的な流れ図である。本実施形態は、第1のLPNと基地局との間または第1のLPNとコアネットワーク要素との間でベアラが確立されていない場合に、オフロードベアラ要求メッセージの内容に従って、第1のLPNが、第2の確立すべきベアラのDRB構成情報を判定する、具体的な処理を含む。本実施形態では、第1の確立すべきベアラが満たす必要があるQoS要件のための指示子が、第1の確立すべきベアラが満たす必要があるQoS要件で特にあり、第1のLPNが、ベアラを確立する必要があり、かつMMEによって、基地局が送信した少なくとも1つの第1の初期バックホールメッセージにおけるLPNの送信容量情報に従って判定される、LPNであり、第1のLPNのIDが、MMEによって、LPNの送信容量情報およびLPNのIDに従って判定され、第1のUE−relayが、第1のLPNのためのベアラを確立でき、かつMMEによって、基地局が送信した少なくとも1つの第1の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第1の初期バックホールメッセージが、1つのLPNのIDと、少なくとも1つのUE−relayのIDと、LPNの送信容量情報と、各UE−relayの送信容量情報と、を含む。オフロードベアラ要求メッセージは、第1の確立すべきベアラのIDと、第1のUE−relayと、第1の確立すべきベアラが満たす必要があるQoS要件と、を特に含み得る。図6に示すように、本方法は、以下のステップを含む。
【０１５４】
S501．第1のLPNは、第1の確立すべきベアラが満たす必要があるQoS要件のための、オフロードベアラ要求メッセージにおける、指示子に従って、第1の確立すべきベアラが満たす必要があるDRB QoS要件を判定する。
【０１５５】
具体的には、本実施形態では、第1の確立すべきベアラが満たす必要があるQoS要件のための指示子は、第1の確立すべきベアラが満たす必要があるQoS要件である。したがって、第1のLPNは、第1の確立すべきベアラが満たす必要があるQoS要件に従って、第1の確立すべきベアラが満たす必要があるDRB QoS要件を直接知り得る。DRB QoS要件は、実際には、第1の確立すべきベアラにおけるDRBベアラが満たす必要があるQoS要件である。
【０１５６】
本実施形態は、第1のLPNと基地局との間または第1のLPNとコアネットワーク要素との間でベアラが確立されていないシナリオを含むことに留意されたい。したがって、実施形態4に基づいて、場合により、MMEが送信したバックホールオフロード確立要求メッセージを基地局が受信する前に、基地局は、少なくとも1つの第1の初期バックホールメッセージをMMEに送信し得る。各第1の初期バックホールメッセージは、ネットワークにおける1つのLPNのIDと、少なくとも1つのUE−relayのIDと、LPNの送信容量情報と、各UE−relayの送信容量情報と、を含む。第1の初期バックホールメッセージに含まれる少なくとも1つのUE−relayが、LPNのためのベアラを確立する容量を有するUE−relayで特にあり得ることに留意されたい。LPNの送信容量情報は、LPNのNAS−PDU情報であり得、UE−relayの送信容量情報は、UE−relayのNAS−PDU情報で特にあり得る。
【０１５７】
基地局が送信した第1の初期バックホールメッセージを受信した後、MMEは、第1の初期バックホールメッセージにおける各LPNの送信容量情報に従って、第1のLPNが、ベアラを確立する必要があるLPNであると判定し、第1の初期バックホールメッセージにおける各UE−relayの送信容量情報に従って、第1のUE−relayが、第1のLPNのためのベアラを確立できるUE−relayであると判定する。次いで、MMEは、バックホールオフロード確立要求メッセージを基地局に送信し、その結果、基地局は、第1の確立すべきベアラのID、第1のUE−relayのID、および第1の確立すべきベアラが満たす必要があるQoS要件を運ぶオフロードベアラ要求メッセージを第1のLPNに送信する。
【０１５８】
S502．第1のLPNは、第1のLPNと第1のUE−relayとの間の無線インターフェースのステータスを取得し、無線インターフェースステータスおよび第1の確立すべきベアラが満たす必要があるDRB QoS要件に従って、第2の確立すべきベアラを判定し、第2の確立すべきベアラが、第1のLPNが第1の確立すべきベアラから判定し、かつそのDRB QoS要件が、無線インターフェースステータスと一致する、第1の確立すべきベアラである。
【０１５９】
具体的には、第1のLPNは、第1のLPNと第1のUE−relayとの間の無線インターフェースのステータス（例えば、チャネル品質またはパケット損失率）を取得し、第2の確立すべきベアラを判定するために、無線インターフェースステータスが判定したDRB QoS要件を満たすかどうかを判定する（すなわち、第1のLPNと第1のUE−relayとの間の無線インターフェースのステータスが第1の確立すべきベアラにDRBベアラを確立するのに適切であると判定する）。場合により、第1のLPNは、第1のLPNと第1のUE−relayとの間の無線インターフェースのステータスを能動的に測定する場合もあるし、第1のUE−relayは、無線インターフェースステータスを第1のLPNに報告する場合もある。
【０１６０】
S503．第1のLPNは、第2の確立すべきベアラのDRB構成情報を判定する。
【０１６１】
第1のLPNが第2の確立すべきベアラのDRB構成情報を判定した後、第1のLPNは、第2の確立すべきベアラのIDと、第2の確立すべきベアラのDRB構成情報と、第2の確立すべきベアラの第1のS1構成情報と、を運ぶ、オフロードベアラ構成メッセージを第1のUE−relayに送信するように基地局にトリガをかけるために、オフロードベアラ肯定応答メッセージを基地局に送信し、オフロードベアラ肯定応答メッセージが、第2の確立すべきベアラのDRB構成情報と第2の確立すべきベアラのIDとを運ぶ。加えて、オフロードベアラ構成メッセージは、第1のUE−relayに、第1のLPNのためのサービスベアラを確立するように命令するために使用される。
【０１６２】
場合により、第1のUE−relayによって確立されるサービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含み得る。本発明の本実施形態では、コアネットワーク要素が下りリンクデータを第1のLPNに送信する必要がある場合、第1のUE−relayを配備でき、その結果、第1のUE−relayは、第1のLPNのアイドル状態の上りリンクリソースを用いて、第1のLPNのための上りリンクバックホールリンク（すなわち、上りリンクDRBベアラ）を確立し得る。したがって、第1のLPNのための下りリンクDRBベアラを確立するための、基地局の下りリンクリソースの使用が阻止され、基地局の下りリンクリソースのバックホール負荷が軽減される。本発明の本実施形態では、第1のLPNが上りリンクデータをコアネットワーク要素に送信する必要がある場合、第1のUE−relayを配備でき、その結果、第1のUE−relayは、第1のLPNのアイドル状態の下りリンクリソースを用いて、第1のLPNのための下りリンクバックホールリンク（すなわち、下りリンクDRBベアラである）を確立し得る。したがって、第1のLPNのための上りリンクDRBベアラを確立するための、基地局の上りリンクリソースの使用が阻止され、基地局の上りリンクリソースのバックホール負荷が軽減される。したがって、第1のUE−relayが、第1のLPNのアイドル状態の上りリンクリソースを用いて、第1のLPNのための上りリンクDRBベアラを確立する場合、第1のLPNのための下りリンクDRBベアラを確立するための、基地局の下りリンクリソースの使用が阻止され、基地局の下りリンクリソースのバックホール負荷が軽減される。第1のUE−relayが、第1のLPNの下りリンクリソースを用いて、第1のLPNのための下りリンクDRBベアラを確立する場合、第1のLPNのための上りリンクDRBベアラを確立するための、基地局の上りリンクリソースの使用が阻止され、基地局の上りリンクリソースのバックホール負荷が軽減される。
【０１６３】
第2の確立すべきベアラの第1のS1構成情報が、実際には、第1のUE−relayによって確立され得、かつ第1のLPNによって判定される、第1の確立すべきベアラの第1のS1構成情報であることに留意されたい。
【０１６４】
本発明の本実施形態で提供されるバックホールリンク確立方法によれば、第1の初期バックホールメッセージをMMEに送信した後、基地局が、MMEが送信したバックホールオフロード確立要求メッセージを受信し、バックホールオフロード確立要求メッセージに従って、第1の確立すべきベアラのIDと、第1のUE−relayのIDと、第1の確立すべきベアラが満たす必要があるQoS要件のための指示子と、を運ぶ、オフロードベアラ要求メッセージを第1のLPNに送信し、その結果、第1のLPNが、第1のUE−relayによって確立され得る第2の確立すべきベアラのDRB構成情報を判定し、第2の確立すべきベアラのDRB構成情報第2の確立すべきベアラのIDを運ぶオフロードベアラ肯定応答メッセージを基地局に送信する。このケースでは、基地局は、第2の確立すべきベアラのIDと、第2の確立すべきベアラのDRB構成情報と、第2の確立すべきベアラの第1のS1構成情報と、を運ぶオフロード構成メッセージを第1のUE−relayに送信し、その結果、オフロードベアラ構成メッセージに従って、第1のUE−relayが、第1のLPNのためのサービスベアラを確立する。本発明の本実施形態で提供される方法によれば、UE−relayが、ネットワークに配備され、E−RABベアラが、UE−relayおよびLPNの上りリンク／下りリンクリソースを用いて第1のLPNのために確立される、すなわち、基地局とLPNとの間の一部のバックホールリンクが、第1のLPNの上りリンク／下りリンクリソースを用いて、確立され、その結果、基地局とLPNとの間の従来技術のバックホールリンクの数が低減され、次いで、LPNと基地局との間のバックホールリンクによって引き起こされる基地局の上りリンク／下りリンクリソースへの影響が低減され、基地局の上りリンク／下りリンクリソースへのバックホール負荷が軽減され、信頼できるデータ伝送が確保される。
【０１６５】
図7は、本発明の実施形態による、バックホールリンク確立方法の実施形態6の概略的な流れ図である。本実施形態は、ネットワークにおける第2のLPNのバックホール容量が制限されていると基地局が知ったときに、オフロードベアラ要求メッセージの内容に従って、第1のLPNが、第2の確立すべきベアラのDRB構成情報を判定する、具体的な処理を含む。本実施形態では、第1のLPNが、オフロードベアラを確立する必要があり、かつMMEによって第2のLPNから、基地局が送信した少なくとも1つの第2の初期バックホールメッセージにおける第2のLPNの送信容量情報に従って判定される、LPNであり、第1のLPNのIDが、MMEによって、第2のLPNの送信容量情報および第2のLPNのIDに従って判定され、第2のLPNが、バックホール容量が制限され、かつ基地局によって少なくとも1つのLPNから判定される、LPNであり、第1のUE−relayが、第1のLPNのためのオフロードベアラを確立でき、かつMMEによって、基地局が送信した少なくとも1つの第2の初期バックホールメッセージにおける各UE−relayの送信容量情報に従って判定される、第1のUE−relayであり、第1のUE−relayのIDが、MMEによって各UE−relayの送信容量情報および各UE−relayのIDに従って判定され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含む。第1の確立すべきベアラが、MMEによって判定され、かつ第1のLPNの第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のLPNの第1のオフロードすべきベアラのIDならびに第1のUE−relayの送信容量情報および／または第1のLPNの送信容量情報に従って判定される、オフロードすべきベアラである。加えて、本実施形態では、第1の確立すべきベアラが満たす必要があるQoS要件のための指示子が、第2のオフロードすべきベアラのIDで特にある。オフロードベアラ要求メッセージは、第1の確立すべきベアラのIDと、第1のUE−relayと、第2のオフロードすべきベアラのIDと、を特に含む。上述の実施形態に基づいて、図7に示すように、本方法は、以下のステップを含む。
【０１６６】
S601．第1の確立すべきベアラは、第2のオフロードすべきベアラのIDに従って、第1の確立すべきベアラが満たす必要があるDRB QoS要件を判定する。
【０１６７】
具体的には、第1のLPNは、第2のオフロードすべきベアラのIDに従って、第2のオフロードすべきベアラのQoS要件を判定し得る。第2のオフロードすべきベアラに対応する第1の確立すべきベアラが満たす必要があるQoS要件は、実際には、第2のオフロードすべきベアラのQoS要件であることから、第1のLPNは、第1の確立すべきベアラのQoS要件を知る。したがって、第1のLPNは、第1の確立すべきベアラのQoS要件に従って、第1の確立すべきベアラが満たす必要があるDRB QoS要件を知り得る。DRB QoS要件は、実際には、第1の確立すべきベアラにおけるDRBベアラが満たす必要があるQoS要件である。
【０１６８】
本実施形態は、ネットワークにおける第2のLPNのバックホール容量が制限され、第1のUE−relayが、バックホール容量が制限されているLPNのためのオフロードベアラを確立する必要があるシナリオを含むことに留意されたい。したがって、実施形態4に基づいて、場合により、MMEが送信したバックホールオフロード確立要求メッセージを基地局が受信する前に、基地局は、ネットワークにおける少なくとも1つのLPNから、バックホール容量が制限されている第2のLPNを取得する必要がある。場合により、基地局は、バックホール容量が制限されている第2のLPNを判定するために、LPNとのシグナリング相互作用によって、LPNのバックホール容量が制限されているかどうかを知り得る。次いで、基地局は、少なくとも1つの第2の初期バックホールメッセージをMMEに送信する。各第2の初期バックホールメッセージは、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含む。第2の初期バックホールメッセージに含まれる少なくとも1つのUE−relayが、第2のLPNのためのオフロードベアラを確立する容量を有するUE−relayで特にあり得ることに留意されたい。第2のLPNの送信容量情報は、第2のLPNのNAS−PDU情報であり得、UE−relayの送信容量情報は、UE−relayのNAS−PDU情報で特にあり得る。
【０１６９】
基地局が送信した第2の初期バックホールメッセージを受信した後、MMEは、第2のLPNから、各第2のLPNの送信容量情報に従って、第1のLPNが、オフロードベアラを確立する必要があるLPNであると判定し（つまり、第1のLPNが、現在オフロードする必要があるLPNであると判定する。すべての第2のLPNのバックホール容量は制限されているが、MMEは、バックホール容量が大幅に制限されていない一部の第2のLPNは、最初にオフロードされないことを判定し、MMEは、バックホール容量が大幅に制限されている第2のLPNを第1のLPNとしてまず選択し、第2のLPNをオフロードする）、各UE−relayの送信容量情報に従って、第1のUE−relayが、第1のLPNのためのオフロードベアラを確立できるUE−relayであると判定する。
【０１７０】
加えて、第1のLPNおよび第1のUE−relayを判定した後、MMEは、第1のLPNの第1のオフロードすべきベアラを選択して、第1のLPNの第2のオフロードすべきベアラを判定する（第2のオフロードすべきベアラは、現在オフロードすべきベアラである）。具体的には、MMEは、第2のオフロードすべきベアラとして、第1のLPNのすべての第1のオフロードすべきベアラから、第1のLPNの第1のオフロードすべきベアラのIDならびに第1のUE−relayの送信容量情報および／または第1のLPNの送信容量情報に従って、第1のUE−relayを用いてオフロードされ得るオフロードすべきベアラを判定する。例えば、第1のUE−relayが、オフロードのために最大1Mの有線ファイバを使用すると仮定すると（1Mの有線ファイバは、S1ベアラの容量限界と考えられる）、MMEは、第1のLPNの各第1のオフロードすべきベアラの容量を知っているため、MMEは、第2のオフロードすべきベアラを判定するために、現在の第1のUE−relayがオフロードベアラを確立できる第1のオフロードすべきベアラを知り得る。別の例では、MMEによって判定される現在の第1のLPN1＃第1のオフロードすべきベアラと2＃第1のオフロードすべきベアラとの両方の負荷がかなり重いが、第1のLPNは、2＃第1のオフロードすべきベアラ上の負荷にまだ耐えることができると仮定すると、MMEは、1＃第1のオフロードすべきベアラ上でのみオフロードを行う必要があると判定し、したがって、1＃第1のオフロードすべきベアラが第2のオフロードすべきベアラであると判定する。加えて、第1の確立すべきベアラは、第2のオフロードすべきベアラに対応するオフロードベアラである、すなわち、第1の確立すべきベアラは、第2のオフロードすべきベアラのオフロードベアラとして使用されて、第2のオフロードすべきベアラをオフロードする。つまり、本実施形態では、第2のオフロードすべきベアラのIDと、第1の確立すべきベアラのIDとの間にはマッピング関係がある。MMEが、第1のLPN、第1のUE−relay、および第1の確立すべきベアラを判定した後、MMEは、バックホールオフロード確立要求メッセージを基地局に送信する。
【０１７１】
基地局は、MMEが送信したバックホールオフロード確立要求メッセージを受信し、バックホールオフロード確立要求メッセージに従って、第1の確立すべきベアラのID、第1のUE−relayのID、および第2のオフロードすべきベアラのIDを運ぶオフロードベアラ要求メッセージを第1のLPNに送信し、その結果、第1のLPNが、第2のオフロードすべきベアラのIDに従って、第1の確立すべきベアラが満たす必要があるDRB QoS要件を判定する。
【０１７２】
S602．第1のLPNは、第1のLPNと第1のUE−relayとの間の無線インターフェースのステータスを取得し、無線インターフェースステータスおよび第1の確立すべきベアラが満たす必要があるDRB QoS要件に従って、第2の確立すべきベアラを判定し、第2の確立すべきベアラが、第1のLPNが第1の確立すべきベアラから判定し、かつそのDRB QoS要件が、無線インターフェースステータスと一致する、第1の確立すべきベアラである。
【０１７３】
具体的には、第1のLPNは、第1のLPNと第1のUE−relayとの間の無線インターフェースのステータス（例えば、チャネル品質またはパケット損失率）を取得し、第2の確立すべきベアラを判定するために、無線インターフェースステータスが判定したDRB QoS要件を満たすかどうかを判定する（すなわち、第1のLPNと第1のUE−relayとの間の無線インターフェースのステータスが第1の確立すべきベアラにDRBベアラを確立するのに適切であると判定する）。場合により、第1のLPNは、第1のLPNと第1のUE−relayとの間の無線インターフェースのステータスを能動的に測定する場合もあるし、第1のUE−relayは、無線インターフェースステータスを第1のLPNに報告する場合もある。
【０１７４】
S603．第1のLPNは、第2の確立すべきベアラのDRB構成情報を判定する。
【０１７５】
第1のLPNが第2の確立すべきベアラのDRB構成情報を判定した後、第1のLPNは、第2の確立すべきベアラのIDと、第2の確立すべきベアラのDRB構成情報と、第2の確立すべきベアラの第1のS1構成情報と、を運ぶ、オフロードベアラ構成メッセージを第1のUE−relayに送信するように基地局にトリガをかけるために、第2の確立すべきベアラのDRB構成情報と第2の確立すべきベアラのIDとを運ぶオフロードベアラ肯定応答メッセージを基地局に送信する。加えて、オフロードベアラ構成メッセージは、第1のUE−relayに、第1のLPNのためのサービスベアラを確立するように命令するために使用される（本実施形態では、サービスベアラは、オフロードベアラである）。
【０１７６】
場合により、第1のUE−relayによって確立されるサービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含み得る。加えて、第2のオフロードすべきベアラにおけるDRBベアラが下りリンクDRBベアラである場合、第1のUE−relayが確立したサービスベアラにおけるDRBベアラは上りリンクDRBベアラである、または第2のオフロードすべきベアラにおけるDRBベアラが上りリンクDRBベアラである場合、第1のUE−relayが確立したサービスベアラにおけるDRBベアラは下りリンクDRBベアラである。加えて、第1のUE−relayによって確立されるサービスベアラが上りリンクDRBベアラである場合、第1のLPNのアイドル状態の上りリンクリソースは、DRBベアラのために使用され、その結果、第1のLPNのためのDRBベアラを確立するための、基地局の下りリンクリソースの使用が阻止される。第1のUE−relayによって確立されるサービスベアラにあるDRBベアラが下りリンクDRBベアラである場合、第1のLPNのアイドル状態の下りリンクリソースが、DRBベアラのために使用され、その結果、第1のLPNのためのDRBベアラを確立するための、基地局の上りリンクリソースの使用が阻止され、基地局の上りリンクリソースのバックホール負荷が軽減される。
【０１７７】
第2の確立すべきベアラの第1のS1構成情報が、実際には、第1のUE−relayによって確立され得、かつ第1のLPNによって判定される、第1の確立すべきベアラの第1のS1構成情報であることに留意されたい。
【０１７８】
本発明の本実施形態で提供されるバックホールリンク確立方法によれば、第2の初期バックホールメッセージをMMEに送信した後、基地局が、MMEが送信したバックホールオフロード確立要求メッセージを受信し、バックホールオフロード確立要求メッセージに従って、第1の確立すべきベアラのIDと、第1のUE−relayのIDと、第2のオフロードすべきベアラのIDと、を運ぶ、オフロードベアラ要求メッセージを第1のLPNに送信し、その結果、第1のLPNが、第1のUE−relayによって確立され得る第2の確立すべきベアラのDRB構成情報を判定し、第2の確立すべきベアラのDRB構成情報第2の確立すべきベアラのIDを運ぶオフロードベアラ肯定応答メッセージを基地局に送信する。このケースでは、基地局は、第2の確立すべきベアラのIDと、第2の確立すべきベアラのDRB構成情報と、第2の確立すべきベアラの第1のS1構成情報と、を運ぶオフロード構成メッセージを第1のUE−relayに送信し、その結果、オフロードベアラ構成メッセージに従って、第1のUE−relayが、第1のLPNのためのオフロードベアラを確立する。本発明の本実施形態で提供される方法によれば、UE−relayが、ネットワークに配備され、オフロードベアラが、UE−relayを用いて、かつ第1のLPNのアイドル状態の上りリンク／下りリンクリソースおよび固定ネットワークリソースに関連して、ネットワークにあり、そのバックホール容量が制限されているLPNのために確立され、その結果、基地局とLPNとの間の従来技術のバックホールリンクによって引き起こされる基地局の上りリンク−下りリンクリソースへの影響が低減され、基地局の上りリンク−下りリンクリソースへのバックホール負荷が軽減され、信頼できるデータ伝送が確保される。
【０１７９】
図8は、本発明の実施形態による、バックホールリンク確立方法の実施形態7の概略的な流れ図である。本実施形態における本方法は、図1に示す、スモールセルを配備するネットワークに適用可能である。図8に示すように、本方法は、以下のステップを特に含む。
【０１８０】
S701．第1のUE−relayは、第1のUE−relayの識別情報IDに従って、基地局が送信したオフロードベアラ構成メッセージを受信し、オフロードベアラ構成メッセージが、第2の確立すべきベアラのIDと、第2の確立すべきベアラの第1のS1構成情報と、第2の確立すべきベアラのDRB構成情報と、を含み、第2の確立すべきベアラが、第1のUE−relayによって確立され得、かつ第1のLPNによって第1のLPNの第1の確立すべきベアラから、基地局が送信したオフロードベアラ要求メッセージにおける、第1の確立すべきベアラが満たす必要があるQoS要件のための指示子および第1のLPNの第1の確立すべきベアラのIDに従って判定される、ベアラであり、オフロードベアラ要求メッセージが、第1のUE−relayのIDと、第1の確立すべきベアラのIDと、第1の確立すべきベアラが満たす必要があるQoS要件のための指示子と、を運び、オフロードベアラ要求メッセージが、第1のLPNに、第2の確立すべきベアラのDRB構成情報を判定するように命令するために使用され、第1のLPNが、1つのLPNのうちの1つであり、第1のUE−relayが、少なくとも1つのUE−relayのうちの1つである。
【０１８１】
具体的には、場合により、基地局がオフロードベアラ構成メッセージを第1のUE−relayに送信する前に、基地局は、MMEが送信した、受信したバックホールオフロード確立要求メッセージに従って、オフロードベアラ要求メッセージを第1のLPNに送信する。オフロードベアラ要求メッセージは、第1のLPNに、第2の確立すべきベアラおよび第2の確立すべきベアラのDRB構成情報を判定するように命令するために使用され得る。場合により、バックホールオフロード確立要求メッセージは、第1のLPNのIDと、第1のUE−relayのIDと、第1のLPNの第1の確立すべきベアラのIDと、第1の確立すべきベアラの第1のS1構成情報と、第1の確立すべきベアラが満たす必要があるQoS要件のための指示子と、を含み得る。第1のLPNは、ベアラを確立する必要があるネットワークにあり、かつMMEによって判定される、LPNである。場合により、第1のLPNは、ネットワークにあり、かつバックホール容量が制限されている、LPNである場合もあるし、UE−relayを用いて固有のE−RABベアラを確立する必要がある（つまり、LPNと基地局との間またはLPNとコアネットワーク要素との間でベアラが先に確立されていない）LPNである場合もある。第1のUE−relayは、第1のLPNのためのベアラを確立でき、かつMMEによって判定される、UE−relayであり得る。場合により、第1のUE−relayは、第1のLPNのためのオフロードベアラを確立でき、かつMMEによって判定される、UE−relayである場合もあるし、第1のLPNのための固有のE−RABベアラを確立でき、かつMMEによって判定される、UE−relayである場合もある。場合により、第1の確立すべきベアラの第1のS1構成情報は、第1の確立すべきベアラに関連する、トランスポート層アドレスまたはGTP TEIDなどの情報であり得る。
【０１８２】
さらに、基地局が、第1のLPNのIDに従って、現在の第1のLPNがベアラを確立する必要があるLPNであると知った場合、基地局は、オフロードベアラ要求メッセージを第1のLPNに送信し、その結果、オフロードベアラ要求メッセージにある第1の確立すべきベアラが満たす必要があるサービス品質QoS要件のための指示子および第1のLPNの第1の確立すべきベアラのIDに従って、第2の確立すべきベアラおよび第2の確立すべきベアラのDRB構成情報を判定した後、第1のLPNは、第2の確立すべきベアラのIDおよび第2の確立すべきベアラのDRB構成情報を、基地局にフィードバックする。このケースでは、基地局は、第2の確立すべきベアラのID、第2の確立すべきベアラのDRB構成情報、および第2の確立すべきベアラの第1のS1構成情報をオフロードベアラ構成メッセージに加え、オフロードベアラ構成メッセージを第1のUE−relayに送信する。場合により、第2の確立すべきベアラのDRB構成情報は、第2の確立すべきベアラにおけるDRBベアラの識別情報である場合もあるし、以下の層、すなわち、PDCP層、RLC層、MAC層、および物理層における、第2の確立すべきベアラにおけるDRBベアラの構成に関する情報のうちの少なくとも1つである場合もある。
【０１８３】
第2の確立すべきベアラの第1のS1構成情報は、実際には、第1のUE−relayによって確立され得、かつ第1のLPNによって第1の確立すべきベアラから判定される、ベアラの第1のS1構成情報であることに留意されたい（つまり、第2の確立すべきベアラの第1のS1構成情報は、実際には、第1のUE−relayによって確立され得る、一部の第1の確立すべきベアラの第1のS1構成情報である）。
【０１８４】
S702．第1のUE−relayは、第2の確立すべきベアラの第1のS1構成情報および第2の確立すべきベアラのDRB構成情報に従って、第1のLPNためのサービスベアラを確立する。
【０１８５】
場合により、第1のUE−relayによって確立されるサービスベアラは、有線ベアラおよび無線ベアラを含み得る。第1のLPNのアイドル状態の上りリンクリソースまたは下りリンクリソースは、無線ベアラのために使用される。本発明の本実施形態では、コアネットワーク要素が下りリンクデータを第1のLPNに送信する必要がある場合、第1のUE−relayを配備でき、その結果、第1のUE−relayは、第1のLPNのアイドル状態の上りリンクリソースを用いて、第1のLPNのためのバックホールリンク（このバックホールリンクは、上りリンク無線ベアラである）を確立し得る。したがって、第1のLPNのための下りリンクバックホールリンクを確立するための、基地局の下りリンクリソースの使用が阻止され、基地局の下りリンクリソースのバックホール負荷が軽減される。本発明の本実施形態では、第1のLPNが上りリンクデータをコアネットワーク要素に送信する必要がある場合、第1のUE−relayを配備でき、その結果、第1のUE−relayは、第1のLPNのアイドル状態の下りリンクリソースを用いて、第1のLPNのためのバックホールリンク（このバックホールリンクは、下りリンク無線ベアラである）を確立し得る。したがって、第1のLPNのための上りリンクバックホールリンクを確立するための、基地局の上りリンクリソースの使用が阻止され、基地局の上りリンクリソースのバックホール負荷が軽減される。
【０１８６】
S703．第1のUE−relayは、基地局およびMMEを使用して、サービスベアラのIDとサービスベアラの第2のS1構成情報とをコアネットワーク要素に送信し、サービスベアラのIDが、第2の確立すべきベアラのIDである。
【０１８７】
具体的には、第1のUE−relayが第1のLPNのためのサービスベアラを確立した後、第1のUE−relayは、基地局を用いて、サービスベアラのIDおよびサービスベアラの第2のS1構成情報をMMEに送信し、MMEは、サービスベアラのIDおよびサービスベアラの第2のS1構成情報をコアネットワーク要素に転送する。サービスベアラのIDは、第2の確立すべきベアラのIDであり、サービスベアラの第2のS1構成情報が、GTP−TEIDと第1のUE−relayのトランスポート層アドレスとをUE−relay側で運ぶことができ、その結果、コアネットワーク要素が、第2の確立すべきベアラの第2のS1構成情報を用いて、データを送信すべきUE−relayを知り、サービスベアラのIDを用いて、データを第1のUE−relayに送信するためのベアラを知ることに留意されたい。
【０１８８】
本発明の本実施形態で提供されるバックホールリンク確立方法によれば、基地局は、第2の確立すべきベアラのIDと、第2の確立すべきベアラのDRB構成情報と、第2の確立すべきベアラの第1のS1構成情報と、を運ぶオフロードベアラ構成メッセージを第1のUE−relayに送信し、その結果、オフロードベアラ構成メッセージおよび第1のLPNの上りリンク／下りリンクリソースに従って、第1のUE−relayが、第1のLPNのためのサービスベアラを確立する。本発明の本実施形態で提供される方法によれば、UE−relayが、ネットワークに配備され、バックホールリンクが、UE−relayおよびLPNのアイドル状態の上りリンク／下りリンクリソースを用いて一部のLPNのために確立される、またはオフロードベアラが、UE−relayおよびLPNのアイドル状態の上りリンク／下りリンクリソースを用いて、LPNのものであり、かつその能力が制限された、一部のE−RABベアラのために確立され、その結果、基地局とLPNとの間の従来技術のバックホールリンクによって引き起こされる基地局の上りリンク／下りリンクリソースへの影響が低減され、基地局の上りリンク／下りリンクリソースへのバックホール負荷が軽減され、信頼できるデータ伝送が確保される。
【０１８９】
上述の実施形態に基づいて、本発明の本実施形態の可能な実施では、本実施形態は、第1のLPNと基地局との間および第1のLPNとコアネットワーク要素との間でサービスベアラが確立されていない場合に、第1のUE−relayが第1のLPNのためのサービスベアラを確立する、具体的な処理を含む。このケースでは、S702は、第1のUE−relayによって、第2の確立すべきベアラの第1のS1構成情報に従って、第1のUE−relayとコアネットワーク要素との間のS1ベアラを確立するステップと、第2の確立すべきベアラのDRB構成情報に従って、第1のUE−relayと第1のLPNとの間のDRBベアラを確立するステップと、を特に含む。
【０１９０】
本実施形態では、第1の確立すべきベアラが満たす必要があるQoS要件のための指示子が、第1の確立すべきベアラが満たす必要がある明示的なQoS要件であり得、オフロードベアラ要求メッセージが、第1の確立すべきベアラのID、第1のUE−relayのID、および第1の確立すべきベアラが満たす必要があるQoS要件を特に含み得、第1のLPNが、ベアラを確立する必要があり、かつMMEによって、基地局が送信した少なくとも1つの第1の初期バックホールメッセージにおけるLPNの送信容量情報に従って判定される、LPNであり、第1のLPNのIDが、MMEによって、LPNの送信容量情報およびLPNのIDに従って判定され、第1のUE−relayが、第1のLPNのためのベアラを確立でき、かつMMEによって、基地局が送信した少なくとも1つの第1の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第1の初期バックホールメッセージが、1つのLPNのIDと、少なくとも1つのUE−relayのIDと、LPNの送信容量情報と、各UE−relayの送信容量情報と、を含む。
【０１９１】
具体的には、第1のLPNは、第1の確立すべきベアラが満たす必要があるQoS要件に従って、第1の確立すべきベアラが満たす必要があるDRB QoSを直接知り得る。DRB QoS要件は、実際には、第1の確立すべきベアラにおけるDRBベアラが満たす必要があるQoS要件である。
【０１９２】
本実施形態は、第1のLPNと基地局との間または第1のLPNとコアネットワーク要素との間でベアラが確立されていないシナリオを含むことに留意されたい。したがって、実施形態7に基づいて、場合により、MMEが送信したバックホールオフロード確立要求メッセージを基地局が受信する前に、基地局は、少なくとも1つの第1の初期バックホールメッセージをMMEに送信し得る。第1の初期バックホールメッセージに含まれる少なくとも1つのUE−relayが、LPNのためのベアラを確立する容量を有するUE−relayで特にあり得ることに留意されたい。LPNの送信容量情報は、LPNのNAS−PDU情報であり得、UE−relayの送信容量情報は、UE−relayのNAS−PDU情報で特にあり得る。
【０１９３】
基地局が送信した第1の初期バックホールメッセージを受信した後、MMEは、第1の初期バックホールメッセージにおける各LPNの送信容量情報に従って、第1のLPNが、ベアラを確立する必要があるLPNであると判定し、第1の初期バックホールメッセージにおける各UE−relayの送信容量情報に従って、第1のUE−relayが、第1のLPNのためのベアラを確立できるUE−relayであると判定する。次いで、MMEは、バックホールオフロード確立要求メッセージを基地局に送信し、その結果、基地局は、第1の確立すべきベアラのID、第1のUE−relayのID、および第1の確立すべきベアラが満たす必要があるQoS要件を運ぶオフロードベアラ要求メッセージを第1のLPNに送信する。
【０１９４】
さらに、第1のLPNは、第1のLPNと第1のUE−relayとの間の無線インターフェースのステータス（例えば、チャネル品質またはパケット損失率）を取得し、第2の確立すべきベアラを判定するために、無線インターフェースステータスが判定したDRB QoS要件を満たすかどうかを判定する（すなわち、第1のLPNと第1のUE−relayとの間の無線インターフェースのステータスが第1の確立すべきベアラにDRBベアラを確立するのに適切であると判定する）。場合により、第1のLPNは、第1のLPNと第1のUE−relayとの間の無線インターフェースのステータスを能動的に測定する場合もあるし、第1のUE−relayは、無線インターフェースステータスを第1のLPNに報告する場合もある。
【０１９５】
第1のLPNが第2の確立すべきベアラおよび第2の確立すべきベアラのDRB構成情報を判定した後、第1のLPNは、第2の確立すべきベアラのIDと、第2の確立すべきベアラのDRB構成情報と、第2の確立すべきベアラの第1のS1構成情報と、を運ぶ、オフロードベアラ構成メッセージを第1のUE−relayに送信するように基地局にトリガをかけるために、第2の確立すべきベアラのDRB構成情報と第2の確立すべきベアラのIDとを運ぶオフロードベアラ肯定応答メッセージを基地局に送信する。このケースでは、第1のUE−relayは、第1のLPNのためのベアラを確立する、すなわち、第1のUE−relayは、第2の確立すべきベアラの第1のS1構成情報に従って、第1のUE−relayとコアネットワーク要素との間のS1ベアラを確立し、第2の確立すべきベアラのDRB構成情報に従って、第1のUE−relayと第1のLPNとの間のDRBベアラを確立する。
【０１９６】
本発明の本実施形態では、コアネットワーク要素が下りリンクデータを第1のLPNに送信する必要がある場合、第1のUE−relayを配備でき、その結果、第1のUE−relayは、第1のLPNのアイドル状態の上りリンクリソースを用いて、第1のLPNのための上りリンクバックホールリンク（すなわち、上りリンクDRBベアラ）を確立し得る。したがって、第1のLPNのための下りリンクDRBベアラを確立するための、基地局の下りリンクリソースの使用が阻止され、基地局の下りリンクリソースのバックホール負荷が軽減される。本発明の本実施形態では、第1のLPNが上りリンクデータをコアネットワーク要素に送信する必要がある場合、第1のUE−relayを配備でき、その結果、第1のUE−relayは、第1のLPNのアイドル状態の下りリンクリソースを用いて、第1のLPNのための下りリンクバックホールリンク（すなわち、下りリンクDRBベアラである）を確立し得る。したがって、第1のLPNのための上りリンクDRBベアラを確立するための、基地局の上りリンクリソースの使用が阻止され、基地局の上りリンクリソースのバックホール負荷が軽減される。したがって、第1のUE−relayが、第1のLPNのアイドル状態の上りリンクリソースを用いて、第1のLPNのための上りリンクDRBベアラを確立する場合、第1のLPNのための下りリンクDRBベアラを確立するための、基地局の下りリンクリソースの使用が阻止され、基地局の下りリンクリソースのバックホール負荷が軽減される。第1のUE−relayが、第1のLPNの下りリンクリソースを用いて、第1のLPNのための下りリンクDRBベアラを確立する場合、第1のLPNのための上りリンクDRBベアラを確立するための、基地局の上りリンクリソースの使用が阻止され、基地局の上りリンクリソースのバックホール負荷が軽減される。
【０１９７】
第2の確立すべきベアラの第1のS1構成情報が、実際には、第1のUE−relayによって確立され得、かつ第1のLPNによって判定される、第1の確立すべきベアラの第1のS1構成情報であることに留意されたい。
【０１９８】
場合により、オフロードベアラ構成メッセージが、第1のUE−relayのトラヒックフローテンプレートをさらに含んでもよく、第1のUE−relayのトラヒックフローテンプレートが、第1のUE−relayに、サービスベアラにおけるDRBベアラとS1ベアラとの間のマッピング関係を確立するように命令するために使用され、その結果、データ伝送処理における有線ベアラと無線ベアラとの間の対応関係が明示的にわかり、データが誤って伝わることを防ぎ、データ伝送の信頼性がさらに改善される。
【０１９９】
本発明の本実施形態で提供されるバックホールリンク確立方法によれば、基地局は、第2の確立すべきベアラのIDと、第2の確立すべきベアラのDRB構成情報と、第2の確立すべきベアラの第1のS1構成情報と、を運ぶオフロード構成メッセージを第1のUE−relayに送信し、その結果、オフロードベアラ構成メッセージに従って、第1のUE−relayが、第1のLPNのためのサービスベアラを確立する。本発明の本実施形態で提供される方法によれば、UE−relayが、ネットワークに配備され、E−RABベアラが、UE−relayおよびLPNの上りリンク／下りリンクリソースを用いて一部のLPNのために確立される、すなわち、LPNのバックホールリンクがすべて、UE−relayおよびLPNの上りリンク／下りリンクリソースを用いて確立され（すなわち、LPNと基地局との間でベアラが確立されていない）、その結果、基地局とLPNとの間の従来技術のバックホールリンクの数が低減され、次いで、LPNと基地局との間のバックホールリンクによって引き起こされる基地局の上りリンク／下りリンクリソースへの影響が低減され、基地局の上りリンク／下りリンクリソースへのバックホール負荷が軽減され、信頼できるデータ伝送が確保される。
【０２００】
上述の実施形態に基づいて、本発明の本実施形態の別の可能な実施では、本実施形態は、ネットワークにおける第2のLPNのバックホール容量が制限されていることを基地局が知った場合、第1のUE−relayは、バックホール容量が制限されているLPNをオフロードする、具体的な処理を含む。このケースでは、S702は、第1のUE−relayによって、第2の確立すべきベアラの第1のS1構成情報に従って、第1のUE−relayとコアネットワーク要素との間のS1ベアラを確立するステップと、第2の確立すべきベアラのDRB構成情報に従って、第1のUE−relayと第1のLPNとの間のDRBベアラを確立するステップと、を特に含む。
【０２０１】
本実施形態では、第1の確立すべきベアラが満たす必要があるQoS要件のための指示子が、第1のLPNの第2のオフロードすべきベアラのIDであり、オフロードベアラ要求メッセージが、第1の確立すべきベアラのIDと、第1のUE−relayのIDと、第2のオフロードすべきベアラのIDと、を特に含む。第2のオフロードすべきベアラが、第1のUE−relayを用いてオフロードされ得、かつMMEによって第1のLPNの第1のオフロードすべきベアラから第1のLPNの第1のオフロードすべきベアラのIDならびに第1のUE−relayの送信容量情報および／または第1のLPNの送信容量情報に従って判定される、オフロードすべきベアラであり、第1の確立すべきベアラが、第2のオフロードすべきベアラに対応する、オフロードベアラである。加えて、本実施形態では、第1のLPNが、オフロードベアラを確立する必要があり、かつMMEによって第2のLPNから、基地局が送信した少なくとも1つの第2の初期バックホールメッセージにおける第2のLPNの送信容量情報に従って判定される、LPNであり、第1のLPNのIDが、MMEによって、第2のLPNの送信容量情報および第2のLPNのIDに従って判定され、第2のLPNが、バックホール容量が制限され、かつ基地局によって少なくとも1つのLPNから判定される、LPNであり、第1のUE−relayが、第1のLPNのためにオフロードベアラを確立でき、かつMMEによって、基地局が送信した少なくとも1つの第2の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含む。
【０２０２】
具体的には、第1のLPNは、第2のオフロードすべきベアラのIDに従って、第2のオフロードすべきベアラのQoS要件を判定し得る。第2のオフロードすべきベアラに対応する第1の確立すべきベアラが満たす必要があるQoS要件は、実際には、第2のオフロードすべきベアラのQoS要件であることから、第1のLPNは、第1の確立すべきベアラのQoS要件を知る。したがって、第1のLPNは、第1の確立すべきベアラのQoS要件に従って、第1の確立すべきベアラが満たす必要があるDRB QoSを知り得る。DRB QoS要件は、実際には、第1の確立すべきベアラにおけるDRBベアラが満たす必要があるQoS要件である。
【０２０３】
本実施形態は、ネットワークにおける第2のLPNのバックホール容量が制限され、第1のUE−relayが、バックホール容量が制限されているLPNのためのオフロードベアラを確立する必要があるシナリオを含むことに留意されたい。したがって、実施形態7に基づいて、場合により、MMEが送信したバックホールオフロード確立要求メッセージを基地局が受信する前に、基地局は、ネットワークにおける少なくとも1つのLPNから、バックホール容量が制限されている第2のLPNを取得する必要がある。場合により、基地局は、バックホール容量が制限されている第2のLPNを判定するために、LPNとのシグナリング相互作用によって、LPNのバックホール容量が制限されているかどうかを知り得る。次いで、基地局は、少なくとも1つの第2の初期バックホールメッセージをMMEに送信する。第2の初期バックホールメッセージに含まれる少なくとも1つのUE−relayが、第2のLPNのためのオフロードベアラを確立する容量を有するUE−relayで特にあり得ることに留意されたい。第2のLPNの送信容量情報は、第2のLPNのNAS−PDU情報であり得、UE−relayの送信容量情報は、UE−relayのNAS−PDU情報で特にあり得る。
【０２０４】
基地局が送信した第2の初期バックホールメッセージを受信した後、MMEは、第2のLPNから、第2の初期バックホールメッセージにおける各第2のLPNの送信容量情報に従って、第1のLPNが、オフロードベアラを確立する必要があるLPNであると判定し（つまり、第1のLPNが、現在オフロードする必要があるLPNであると判定する。すべての第2のLPNのバックホール容量は制限されているが、MMEは、バックホール容量が大幅に制限されていない一部の第2のLPNは、最初にオフロードされないことを判定し、MMEは、バックホール容量が大幅に制限されている第2のLPNを第1のLPNとしてまず選択し、第2のLPNをオフロードする）、第2の初期バックホールメッセージにおける各UE−relayの送信容量情報に従って、第1のUE−relayが、第1のLPNのためのオフロードベアラを確立できるUE−relayであると判定する。加えて、第1のLPNおよび第1のUE−relayを判定した後、MMEは、第1のLPNの第1のオフロードすべきベアラを選択して、第1のLPNの第2のオフロードすべきベアラを判定する（第2のオフロードすべきベアラは、現在オフロードすべきベアラである）。具体的には、MMEは、第1のLPNのすべての第1のオフロードすべきベアラから、第1のLPNの第1のオフロードすべきベアラのIDならびに第1のUE−relayの送信容量情報および／または第1のLPNの送信容量情報に従って、第1のUE−relayを用いてオフロードされ得るオフロードすべきベアラを判定する。例えば、第1のUE−relayが、オフロードのために最大1Mの有線ファイバを使用すると仮定すると（1Mの有線ファイバは、S1ベアラの容量限界と考えられる）、MMEは、第1のLPNの各第1のオフロードすべきベアラの容量を知っているため、MMEは、第2のオフロードすべきベアラを判定するために、現在の第1のUE−relayがオフロードベアラを確立できる第1のオフロードすべきベアラを知り得る。別の例では、MMEによって判定される現在の第1のLPN1＃第1のオフロードすべきベアラと2＃第1のオフロードすべきベアラとの両方の負荷がかなり重いが、第1のLPNは、2＃第1のオフロードすべきベアラ上の負荷にまだ耐えることができると仮定すると、MMEは、1＃第1のオフロードすべきベアラ上でのみオフロードを行う必要があると判定し、したがって、1＃第1のオフロードすべきベアラが第2のオフロードすべきベアラであると判定する。加えて、第1の確立すべきベアラは第2のオフロードすべきベアラのオフロードベアラとして使用されて、第2のオフロードすべきベアラをオフロードする。つまり、本実施形態では、第2のオフロードすべきベアラのIDと、第1の確立すべきベアラのIDとの間にはマッピング関係がある。
【０２０５】
次いで、MMEは、バックホールオフロード確立要求メッセージを基地局に送信し、その結果、基地局は、第1の確立すべきベアラのID、第1のUE−relayのID、および第1の確立すべきベアラが満たす必要があるQoS要件のための識別子を運ぶオフロードベアラ要求メッセージを第1のLPNに送信する。このケースでは、第1のLPNは、オフロードベアラ要求メッセージにおける第2のオフロードすべきベアラのIDに従って、第1の確立すべきベアラが満たす必要があるDRB QoSを知る。さらに、第1のLPNは、第1のLPNと第1のUE−relayとの間の無線インターフェースのステータス（例えば、チャネル品質またはパケット損失率）を取得し、第2の確立すべきベアラおよび第2の確立すべきベアラのDRB構成情報を判定するために、無線インターフェースステータスが判定したDRB QoS要件を満たすかどうかを判定する（すなわち、第1のLPNと第1のUE−relayとの間の無線インターフェースのステータスが第1の確立すべきベアラにDRBベアラを確立するのに適切であると判定する）。次いで、第1のLPNは、第2の確立すべきベアラのIDと、第2の確立すべきベアラのDRB構成情報と、第2の確立すべきベアラの第1のS1構成情報と、を運ぶ、オフロードベアラ構成メッセージを第1のUE−relayに送信するように基地局にトリガをかけるために、第2の確立すべきベアラのDRB構成情報と第2の確立すべきベアラのIDとを運ぶオフロードベアラ肯定応答メッセージを基地局に送信する。このケースでは、第1のUE−relayは、第1のLPNのためのベアラを確立する、すなわち、第1のUE−relayは、第2の確立すべきベアラの第1のS1構成情報に従って、第1のUE−relayとコアネットワーク要素との間のS1ベアラを確立し、第2の確立すべきベアラのDRB構成情報に従って、第1のUE−relayと第1のLPNとの間のDRBベアラを確立する。
【０２０６】
つまり、第1のUE−relayによって確立されるサービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含み得る。加えて、第2のオフロードすべきベアラにおけるDRBベアラが下りリンクDRBベアラである場合、第1のUE−relayが確立したベアラにおけるDRBベアラは上りリンクDRBベアラである、または第2のオフロードすべきベアラにおけるDRBベアラが上りリンクDRBベアラである場合、第1のUE−relayが確立したベアラにおけるDRBベアラは下りリンクDRBベアラである。加えて、第1のUE−relayによって確立されるベアラが上りリンクDRBベアラである場合、第1のLPNのアイドル状態の上りリンクリソースは、DRBベアラのために使用され、その結果、第1のLPNのためのDRBベアラを確立するための、基地局の下りリンクリソースの使用が阻止される。第1のUE−relayによって確立されるベアラにあるDRBベアラが下りリンクDRBベアラである場合、第1のLPNのアイドル状態の下りリンクリソースが、DRBベアラのために使用され、その結果、第1のLPNのためのDRBベアラを確立するための、基地局の上りリンクリソースの使用が阻止され、基地局の上りリンクリソースのバックホール負荷が軽減される。
【０２０７】
第2の確立すべきベアラの第1のS1構成情報が、実際には、第1のUE−relayによって確立され得、かつ第1のLPNによって判定される、第1の確立すべきベアラの第1のS1構成情報であることに留意されたい。
【０２０８】
場合により、オフロードベアラ構成メッセージが、第1のUE−relayのトラヒックフローテンプレートをさらに含んでもよく、第1のUE−relayのトラヒックフローテンプレートが、第1のUE−relayに、サービスベアラにおけるDRBベアラとS1ベアラとの間のマッピング関係を確立するように命令するために使用され、その結果、データ伝送処理における有線ベアラと無線ベアラとの間の対応関係が明示的にわかり、データが誤って伝わることを防ぎ、データ伝送の信頼性がさらに改善される。
【０２０９】
本発明の本実施形態で提供されるバックホールリンク確立方法によれば、基地局は、第2の確立すべきベアラのIDと、第2の確立すべきベアラのDRB構成情報と、第2の確立すべきベアラの第1のS1構成情報と、を運ぶオフロード構成メッセージを第1のUE−relayに送信し、その結果、オフロードベアラ構成メッセージに従って、第1のUE−relayが、第1のLPNのためのサービスベアラを確立する。本発明の本実施形態で提供される方法によれば、UE−relayが、ネットワークに配備され、オフロードベアラが、UE−relayを用いて、かつ第1のLPNのアイドル状態の上りリンク／下りリンクリソースおよび固定ネットワークリソースに関連して、ネットワークにあり、そのバックホール容量が制限されているLPNのために確立され、その結果、基地局とLPNとの間の従来技術のバックホールリンクによって引き起こされる基地局の上りリンク−下りリンクリソースへの影響が低減され、基地局の上りリンク−下りリンクリソースへのバックホール負荷が軽減され、信頼できるデータ伝送が確保される。
【０２１０】
図9A、図9B、および図9Cは、本発明の実施形態による、バックホールリンク確立方法の実施形態8のシグナリングの流れ図である。本実施形態は、第1のLPNと基地局との間および第1のLPNとコアネットワーク要素との間でベアラが確立されていない場合に、第1のUE−relayが第1のLPNのためのベアラを確立する、具体的な処理を含む。図9A、図9B、および図9Cに示すように、本方法は、以下のステップを含む。
【０２１１】
S801．基地局は、少なくとも1つの第1の初期バックホールメッセージをMMEに送信する。
【０２１２】
各第1の初期バックホールメッセージが、1つのLPNのIDと、少なくとも1つのUE−relayのIDと、LPNの送信容量情報と、各UE−relayの送信容量情報と、を含む。
【０２１３】
S802．MMEは、第1の初期バックホールメッセージにおける各LPNの送信容量情報に従って、ベアラを確立する必要がある第1のLPNを判定し、第1の初期バックホールメッセージにおける各UE−relayの送信容量情報に従って、第1のLPNのためのベアラを確立できる第1のUE−relayを判定し、第1の確立すべきベアラを判定する。
【０２１４】
S803．MMEは、バックホールオフロード確立要求メッセージを基地局に送信する。
【０２１５】
バックホールオフロード確立要求メッセージが、第1のLPNのIDと、第1のUE−relayのIDと、第1のLPNの第1の確立すべきベアラのIDと、第1の確立すべきベアラの第1のS1構成情報と、第1の確立すべきベアラが満たす必要があるQoS要件のための指示子と、を含み、第1の確立すべきベアラが満たす必要があるQoS要件のための指示子が、第1の確立すべきベアラが満たす必要があるQoS要件である。
【０２１６】
S804．基地局は、バックホールオフロード確立要求メッセージにおける第1のLPNのIDに従って、オフロードベアラ要求メッセージを第1のLPNに送信する。
【０２１７】
オフロードベアラ要求メッセージは、第1の確立すべきベアラのIDと、第1のUE−relayと、第1の確立すべきベアラが満たす必要があるQoS要件と、を含む。
【０２１８】
S805．第1のLPNは、オフロードベアラ要求メッセージに従って、第2の確立すべきベアラのDRB構成情報を判定する。
【０２１９】
第2の確立すべきベアラは、UE−relayによって確立され得、かつ第1のLPNによって、オフロードベアラ要求メッセージに従って、第1のLPNの第1の確立すべきベアラから判定される、ベアラである。
【０２２０】
S806．第1のLPNは、第2の確立すべきベアラのIDと第2の確立すべきベアラのDRB構成情報とを運ぶオフロードベアラ肯定応答メッセージを基地局に送信する。
【０２２１】
S807．基地局は、第2の確立すべきベアラのIDと第1の確立すべきベアラの第1のS1構成情報とに従って、第2の確立すべきベアラの第1のS1構成情報を判定する。
【０２２２】
S808．基地局は、オフロードベアラ肯定応答メッセージに従って、オフロードベアラ構成メッセージを第1のUE−relayに送信する。
【０２２３】
オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのベアラを確立するように命令するために使用される。
【０２２４】
S809．第1のUE−relayは、第2の確立すべきベアラのDRB構成情報および第2の確立すべきベアラの第1のS1構成情報に従って、第1のLPNためのサービスベアラを確立する。
【０２２５】
S810．第1のUE−relayは、オフロードベアラ構成肯定応答メッセージを基地局に送信し、オフロードベアラ構成肯定応答メッセージが、サービスベアラのIDと、サービスベアラの第2のS1構成情報と、を含む。
【０２２６】
S811．基地局は、バックホールオフロード確立要求肯定応答メッセージをMMEに送信し、バックホールオフロード確立要求肯定応答メッセージは、サービスベアラのIDとサービスベアラの第2のS1構成情報とを含む。
【０２２７】
S812．MMEは、サービスベアラのIDとサービスベアラの第2のS1構成情報とを運ぶベアラ修正要求メッセージをコアネットワーク要素に送信し、ベアラ修正要求メッセージが、サービスベアラをコアネットワーク要素に示すために使用される。
【０２２８】
S801からS812の具体的な実行プロセスについては、上述の実施形態における具体的な説明を参照されたい。実施原理およびその技術的な効果は同様であり、ここでは細部を繰り返し説明しない。
【０２２９】
図10A、図10B、および図10Cは、本発明の実施形態による、バックホールリンク確立方法の実施形態9のシグナリングの流れ図である。本実施形態は、ネットワークにおける一部のLPNのバックホール容量が制限されていることを基地局が知った後、UE−relayは、バックホール容量が制限されているLPNをオフロードする具体的な処理を含む。図10A、図10B、および図10Cに示すように、本方法は、以下のステップを含む。
【０２３０】
S901．基地局は、少なくとも1つのLPNから、バックホール容量が制限されている第2のLPNを取得する。
【０２３１】
S902．基地局は、少なくとも1つの第2の初期バックホールメッセージをMMEに送信する。
【０２３２】
各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含む。
【０２３３】
S903．MMEは、第2の初期バックホールメッセージに従って、第1のLPN、第1のUE−relay、および第1の確立すべきベアラを判定する。
【０２３４】
具体的には、MMEは、第2の初期バックホールメッセージにおける各第2のLPNの送信容量情報に従って、オフロードベアラを確立する必要がある第1のLPNを判定し、第2の初期バックホールメッセージにおける各UE−relayの送信容量情報に従って、第1のLPNのためのオフロードベアラを確立できる第1のUE−relayを判定し、第1のLPNの第1のオフロードすべきベアラから、第1のオフロードすべきベアラのIDならびに第1のUE−relayの送信容量情報および／または第1のLPNの送信容量情報に従って、第1のUE−relayを用いてオフロードされ得る第2のオフロードすべきベアラを判定し、第2のオフロードすべきベアラに対応する第1の確立すべきベアラを判定する。
【０２３５】
S904．MMEは、バックホールオフロード確立要求メッセージを基地局に送信する。
【０２３６】
バックホールオフロード確立要求メッセージは、第1のLPNのIDと、第1のUE−relayのIDと、第1のLPNの第1の確立すべきベアラのIDと、第1の確立すべきベアラの第1のS1構成情報と、第1の確立すべきベアラが満たす必要があるQoS要件のための指示子と、を含む。第1の確立すべきベアラが満たす必要があるQoS要件のための指示子は、第2のオフロードすべきベアラのIDである。
【０２３７】
S905．基地局は、バックホールオフロード確立要求メッセージにおける第1のLPNのIDに従って、オフロードベアラ要求メッセージを第1のLPNに送信する。
【０２３８】
オフロードベアラ要求メッセージは、第1の確立すべきベアラのIDと、第1のUE−relayと、第2のオフロードすべきベアラのIDと、を含む。
【０２３９】
S906．第1のLPNは、オフロードベアラ要求メッセージに従って、第2の確立すべきベアラのDRB構成情報を判定する。
【０２４０】
第2の確立すべきベアラは、UE−relayによって確立され得、かつ第1のLPNによって、オフロードベアラ要求メッセージに従って、第1のLPNの第1の確立すべきベアラから判定される、ベアラである。
【０２４１】
S907．第1のLPNは、第2の確立すべきベアラのIDと第2の確立すべきベアラのDRB構成情報とを運ぶオフロードベアラ肯定応答メッセージを基地局に送信する。
【０２４２】
S908．基地局は、第2の確立すべきベアラのIDと第1の確立すべきベアラの第1のS1構成情報とに従って、第2の確立すべきベアラの第1のS1構成情報を判定する。
【０２４３】
S909．基地局は、オフロードベアラ肯定応答メッセージに従って、オフロードベアラ構成メッセージを第1のUE−relayに送信する。
【０２４４】
オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのベアラを確立するように命令するために使用される。
【０２４５】
S910．第1のUE−relayは、第2の確立すべきベアラのDRB構成情報および第2の確立すべきベアラの第1のS1構成情報に従って、第1のLPNためのサービスベアラを確立する。
【０２４６】
S911．第1のUE−relayは、オフロードベアラ構成肯定応答メッセージを基地局に送信し、オフロードベアラ構成肯定応答メッセージが、サービスベアラのIDと、サービスベアラの第2のS1構成情報と、を含む。
【０２４７】
S912．基地局は、バックホールオフロード確立要求肯定応答メッセージをMMEに送信し、バックホールオフロード確立要求肯定応答メッセージは、サービスベアラのIDとサービスベアラの第2のS1構成情報とを含む。
【０２４８】
S913．MMEは、サービスベアラのIDとサービスベアラの第2のS1構成情報とを運ぶベアラ修正要求メッセージをコアネットワーク要素に送信し、ベアラ修正要求メッセージが、サービスベアラをコアネットワーク要素に示すために使用される。
【０２４９】
S901からS913の具体的な実行プロセスについては、上述の実施形態における具体的な説明を参照されたい。実施原理およびその技術的な効果は同様であり、ここでは細部を繰り返し説明しない。
【０２５０】
当業者であれば、各方法実施形態の各ステップの全部または一部を関連ハードウェアに命令するプログラムによって実現することができることを理解するはずである。プログラムは、コンピュータ可読記憶媒体に記憶することができる。プログラムが走ると、方法実施形態の各ステップが実行される。記憶媒体は、ROM、RAM、磁気ディスク、または光ディスクなどのプログラムコードを記憶することのできる任意の媒体を含む。
【０２５１】
図11は、本発明の実施形態による、基地局の実施形態1の概略的構造図である。基地局は、図1に示すスモールセルを配備するネットワークに適用可能であり、ネットワークは、少なくとも1つのUE−relayと、少なくとも1つのLPNと、基地局と、MMEと、コアネットワーク要素と、を含み、UE−relayが、コアネットワーク要素に有線で接続され、UE−relayが、LPNに無線で接続される。図11に示すように、基地局は、受信モジュール10と、送信モジュール11と、判定モジュール12と、を備える。
【０２５２】
受信モジュール10は、MMEが送信したバックホールオフロード確立要求メッセージを受信するように構成され、バックホールオフロード確立要求メッセージが、第1のLPNの識別情報IDと、第1のUE−relayのIDと、第1のLPNの第1の確立すべきベアラのIDと、第1の確立すべきベアラの第1のS1構成情報と、第1の確立すべきベアラが満たす必要があるサービス品質QoS要件のための指示子と、を含み、第1のLPNが少なくとも1つのLPNのうちの1つであり、第1のUE−relayが少なくとも1つUE−relayのうちの1つである。
【０２５３】
送信モジュール11は、受信モジュール10が受信した第1のLPNのIDに従って、オフロードベアラ要求メッセージを第1のLPNに送信するように構成され、オフロードベアラ要求メッセージが、第1のUE−relayのIDと、第1の確立すべきベアラのIDと、第1の確立すべきベアラが満たす必要があるQoS要件のための指示子と、を運び、オフロードベアラ要求メッセージが、第1のLPNに、第2の確立すべきベアラのデータ無線ベアラDRB構成情報を判定するように命令するために使用され、第2の確立すべきベアラが、第1のUE−relayによって確立され得、かつ第1のLPNによって、オフロードベアラ要求メッセージにある、第1の確立すべきベアラが満たす必要があるQoS要件のための指示子と第1の確立すべきベアラのIDとに従って、第1の確立すべきベアラから判定されるベアラである。
【０２５４】
受信モジュール10は、第1のLPNが送信し、かつ第2の確立すべきベアラのDRB構成情報と第2の確立すべきベアラのIDとを運ぶ、オフロードベアラ肯定応答メッセージを受信するようにさらに構成される。
【０２５５】
判定モジュール12は、受信モジュール10が受信した第2の確立すべきベアラのIDと第1の確立すべきベアラの第1のS1構成情報とに従って、第2の確立すべきベアラの第1のS1構成情報を判定するように構成される。
【０２５６】
送信モジュール11が、受信モジュール10が受信した第1のUE−relayのIDに従って、オフロードベアラ構成メッセージを第1のUE−relayに送信することであって、オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのサービスベアラを確立するように命令するために使用される、ことと、第1のUE−relayが送信した、サービスベアラの受信したIDとサービスベアラの受信した第2のS1構成情報とをMMEを用いてコアネットワーク要素に送信することであって、サービスベアラのIDが、第2の確立すべきベアラのIDである、ことと、を行うようにさらに構成される。
【０２５７】
本発明の実施形態で提供される基地局は、上記の方法実施形態を実行し得る。実施原理およびその技術的な効果は同様であり、ここでは細部を繰り返し説明しない。
【０２５８】
さらに、サービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含む。
【０２５９】
本発明の本実施形態の可能な実施では、場合により、送信モジュール11が、MMEが送信したバックホールオフロード確立要求メッセージを受信モジュール10が受信する前に、少なくとも1つの第1の初期バックホールメッセージをMMEに送信するようにさらに構成され、各第1の初期バックホールメッセージが、1つのLPNのIDと、少なくとも1つのUE−relayのIDと、LPNの送信容量情報と、各UE−relayの送信容量情報と、を含む。
【０２６０】
第1の確立すべきベアラが満たす必要があるQoS要件のための指示子が、第1の確立すべきベアラが満たす必要があるQoS要件であり、第1のLPNが、ベアラを確立する必要があり、かつMMEによって各LPNの送信容量情報に従って判定される、LPNであり、第1のLPNのIDが、MMEによって、各LPNの送信容量情報および各LPNのIDに従って判定され、第1のUE−relayが、第1のLPNのためのベアラを確立でき、かつMMEによって各UE−relayの送信容量情報に従って判定される、UE−relayであり、第1のUE−relayのIDが、MMEによって各UE−relayの送信容量情報および各UE−relayのIDに従って判定される。
【０２６１】
本発明の本実施形態の別の可能な実施では、場合により、判定モジュール12が、MMEが送信したバックホールオフロード確立要求メッセージを受信モジュール10が受信する前に、少なくとも1つのLPNから、バックホール容量が制限されている第2のLPNを取得するようにさらに構成される。
【０２６２】
送信モジュール11は、少なくとも1つの第2の初期バックホールメッセージをMMEに送信するようにさらに構成され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含む。
【０２６３】
第1のLPNが、オフロードベアラを確立する必要があり、かつMMEによって第2のLPNから各第2のLPNの送信容量情報に従って判定される、LPNであり、第1のLPNのIDが、MMEによって各第2のLPNの送信容量情報および各第2のLPNのIDに従って判定され、第1のUE−relayが、第1のLPNのためにオフロードベアラを確立でき、かつMMEによって各UE−relayの送信容量情報に従って判定される、UE−relayであり、第1のUE−relayのIDが、MMEによって各UE−relayの送信容量情報および各UE−relayのIDに従って判定され、第1の確立すべきベアラが、MMEによって判定され、かつ第1のLPNの第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のオフロードすべきベアラのIDならびに第1のUE−relayの送信容量情報および／または第1のLPNの送信容量情報に従って判定される、オフロードすべきベアラであり、第1の確立すべきベアラが満たす必要があるQoS要件のための指示子が、第2のオフロードすべきベアラのIDである。
【０２６４】
さらに、第2のオフロードすべきベアラにおけるDRBベアラが下りリンクDRBベアラである場合、サービスベアラにおけるDRBベアラは上りリンクDRBベアラである、または第2のオフロードすべきベアラにおけるDRBベアラが上りリンクDRBベアラである場合、サービスベアラにおけるDRBベアラは下りリンクDRBベアラである。
【０２６５】
またさらに、バックホールオフロード確立要求メッセージが、第1のUE−relayのトラヒックフローテンプレートをさらに含み、オフロードベアラ構成メッセージが、第1のUE−relayのトラヒックフローテンプレートをさらに含み、第1のUE−relayのトラヒックフローテンプレートが、第1のUE−relayに、サービスベアラにおけるDRBベアラとS1ベアラとの間のマッピング関係を確立するように命令するために使用される。
【０２６６】
本発明の実施形態で提供される基地局は、上記の方法実施形態を実行し得る。実施原理およびその技術的な効果は同様であり、ここでは細部を繰り返し説明しない。
【０２６７】
図12は、本発明の実施形態による、装置の実施形態1の概略的構造図である。装置は、第1のLPNであり、装置は、図1に示すスモールセルを配備するネットワークに適用可能であり、ネットワークは、少なくとも1つのUE−relayと、少なくとも1つのLPNと、基地局と、MMEと、コアネットワーク要素と、を含み、UE−relayが、コアネットワーク要素に有線で接続され、UE−relayが、LPNに無線で接続され、第1のLPNは、少なくとも1つのLPNのうちの1つである。図12に示すように、装置は、受信モジュール20と、判定モジュール21と、送信モジュール22と、を備える。
【０２６８】
受信モジュール20は、MMEが送信したバックホールオフロード確立要求メッセージにおける第1のLPNの識別情報IDに従って、基地局が送信したオフロードベアラ要求メッセージを受信するように構成され、バックホールオフロード確立要求メッセージが、第1のLPNのIDと、第1のUE−relayのIDと、第1のLPNの第1の確立すべきベアラのIDと、第1の確立すべきベアラの第1のS1構成情報と、第1の確立すべきベアラが満たす必要があるサービス品質QoS要件のための指示子と、を含み、オフロードベアラ要求メッセージが、第1のUE−relayのIDと、第1のLPNの第1の確立すべきベアラのIDと、第1の確立すべきベアラが満たす必要があるQoS要件のための指示子と、を運び、第1のUE−relayが、少なくとも1つのUE−relayのうちの1つである。
【０２６９】
判定モジュール21は、受信モジュール20が受信したオフロードベアラ要求メッセージに従って、第1のUE−relayによって確立され得る第2の確立すべきベアラのデータ無線ベアラDRB構成情報を判定するように構成され、第2の確立すべきベアラが、第1のUE−relayによって確立され得、かつ第1のLPNによってオフロードベアラ要求メッセージにある第1の確立すべきベアラが満たす必要があるQoS要件のための指示子および第1の確立すべきベアラのIDに従って第1のLPNの第1の確立すべきベアラから判定されるベアラである。
【０２７０】
送信モジュール22は、オフロードベアラ肯定応答メッセージを基地局に送信するように構成され、オフロードベアラ肯定応答メッセージが、第2の確立すべきベアラのものであり、かつ判定モジュール21によって判定される、DRB構成情報と、第2の確立すべきベアラのIDと、を含み、オフロードベアラ肯定応答メッセージが、基地局に、第1のUE−relayのIDに従って、オフロードベアラ構成メッセージを第1のUE−relayへ送信するように命令するために使用され、オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのサービスベアラを確立するように命令するために使用され、第2の確立すべきベアラの第1のS1構成情報が、第2の確立すべきベアラのIDおよび第1の確立すべきベアラの第1のS1構成情報に従って基地局によって判定される。
【０２７１】
本発明の実施形態で提供される装置は、上記の方法実施形態を実行し得る。実施原理およびその技術的な効果は同様であり、ここでは細部を繰り返し説明しない。
【０２７２】
さらに、サービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含む。
【０２７３】
本発明の本実施形態の可能な実施では、第1の確立すべきベアラが満たす必要があるQoS要件のための指示子が、第1の確立すべきベアラが満たす必要があるQoS要件であり、第1のLPNが、ベアラを確立する必要があり、かつMMEによって、基地局が送信した少なくとも1つの第1の初期バックホールメッセージにおけるLPNの送信容量情報に従って判定される、LPNであり、第1のLPNのIDが、MMEによって、LPNの送信容量情報およびLPNのIDに従って判定され、第1のUE−relayが、第1のLPNのためのベアラを確立でき、かつMMEによって、基地局が送信した少なくとも1つの第1の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第1の初期バックホールメッセージが、1つのLPNのIDと、少なくとも1つのUE−relayのIDと、LPNの送信容量情報と、各UE−relayの送信容量情報と、を含む。
【０２７４】
本発明の本実施形態の別の可能な実施では、場合により、第1のLPNが、オフロードベアラを確立する必要があり、かつMMEによって第2のLPNから、基地局が送信した少なくとも1つの第2の初期バックホールメッセージにおける第2のLPNの送信容量情報に従って判定される、LPNであり、第1のLPNのIDが、MMEによって、第2のLPNの送信容量情報および第2のLPNのIDに従って判定され、第2のLPNが、バックホール容量が制限され、かつ基地局によって少なくとも1つのLPNから判定される、LPNである。
【０２７５】
第1のUE−relayが、第1のLPNのためにオフロードベアラを確立でき、かつMMEによって、基地局が送信した少なくとも1つの第2の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含む。
【０２７６】
第1の確立すべきベアラが、MMEによって判定され、かつ第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のLPNの第1のオフロードすべきベアラのIDならびに第1のUE−relayの送信容量情報および／または第1のLPNの送信容量情報に従って判定される、オフロードすべきベアラであり、第1の確立すべきベアラが満たす必要があるQoS要件のための指示子が、第2のオフロードすべきベアラのIDである。
【０２７７】
さらに、第2のオフロードすべきベアラにおけるDRBベアラが下りリンクDRBベアラである場合、サービスベアラにおけるDRBベアラは上りリンクDRBベアラである、または第2のオフロードすべきベアラにおけるDRBベアラが上りリンクDRBベアラである場合、サービスベアラにおけるDRBベアラは下りリンクDRBベアラである。
【０２７８】
本発明の実施形態で提供される装置は、上記の方法実施形態を実行し得る。実施原理およびその技術的な効果は同様であり、ここでは細部を繰り返し説明しない。
【０２７９】
図13は、本発明の実施形態による、装置の実施形態2の概略的構造図である。図12に示す実施形態に基づいて、判定モジュール21が、受信モジュール20が受信した、第1の確立すべきベアラが満たす必要があるQoS要件のための指示子に従って、第1の確立すべきベアラが満たす必要があるDRB QoS要件を判定するように構成される第1の判定ユニット211と、第1のLPNと第1のUE−relayとの間の無線インターフェースのステータスを取得することと、無線インターフェースステータスおよび第1の確立すべきベアラが満たす必要があり、かつ第1の判定ユニット211によって判定される、DRB QoS要件に従って、第2の確立すべきベアラを判定することであって、第2の確立すべきベアラが、第1のLPNによって第1の確立すべきベアラから判定され、かつそのDRB QoS要件が、無線インターフェースステータスと一致する、第1の確立すべきベアラである、ことと、を行うように構成される第2の判定ユニット212と、第2の判定ユニット212が判定した第2の確立すべきベアラのDRB構成情報を判定するように構成される第3の判定ユニット213と、を特に備える。
【０２８０】
本発明の実施形態で提供される装置は、上記の方法実施形態を実行し得る。実施原理およびその技術的な効果は同様であり、ここでは細部を繰り返し説明しない。
【０２８１】
図14は、本発明の実施形態による、装置の実施形態3の概略的構造図である。装置は、第1のUE−relayであり、装置は、図1に示すスモールセルを配備するネットワークに適用可能であり、ネットワークは、少なくとも1つのUE−relayと、少なくとも1つのLPNと、基地局と、MMEと、コアネットワーク要素と、を含み、UE−relayが、コアネットワーク要素に有線で接続され、UE−relayが、LPNに無線で接続され、第1のUE−relayは、少なくとも1つのUE−relayのうちの1つである。図14に示すように、装置は、受信モジュール30と、ベアラ確立モジュール31と、送信モジュール32と、を備える。
【０２８２】
受信モジュール30は、第1のUE−relayの識別情報IDに従って、基地局が送信したオフロードベアラ構成メッセージを受信するように構成され、オフロードベアラ構成メッセージが、第2の確立すべきベアラの識別情報IDと、第2の確立すべきベアラの第1のS1構成情報と、第2の確立すべきベアラのデータ無線ベアラDRB構成情報と、を含み、第2の確立すべきベアラが、第1のUE−relayによって確立され得、かつ第1のLPNによって第1のLPNの第1の確立すべきベアラから、基地局が送信したオフロードベアラ要求メッセージにおける第1の確立すべきベアラが満たす必要があるサービス品質QoS要件のための指示子および第1のLPNの第1の確立すべきベアラのIDに従って判定される、ベアラであり、オフロードベアラ要求メッセージが、第1のUE−relayのIDと、第1の確立すべきベアラのIDと、第1の確立すべきベアラが満たす必要があるサービス品質QoS要件のための指示子と、を運び、オフロードベアラ要求メッセージが、第1のLPNに、第2の確立すべきベアラのDRB構成情報を判定するように命令するために使用され、第1のLPNが、少なくとも1つのLPNのうちの1つである。
【０２８３】
ベアラ確立モジュール31は、受信モジュール30が受信した第2の確立すべきベアラの第1のS1構成情報および第2の確立すべきベアラのDRB構成情報に従って、第1のLPNためのサービスベアラ確立するように構成される。
【０２８４】
送信モジュール32は、基地局およびMMEを使用して、ベアラ確立モジュール31が確立したサービスベアラのIDとサービスベアラの第2のS1構成情報とをコアネットワーク要素に送信するように構成される送信モジュールであって、サービスベアラのIDが、第2の確立すべきベアラのIDである。
【０２８５】
本発明の実施形態で提供される装置は、上記の方法実施形態を実行し得る。実施原理およびその技術的な効果は同様であり、ここでは細部を繰り返し説明しない。
【０２８６】
さらに、ベアラ確立モジュール31が、第2の確立すべきベアラのものであり、かつ受信モジュール30が受信した、第1のS1構成情報に従って、第1のUE−relayとコアネットワーク要素との間のS1ベアラを確立することと、第2の確立すべきベアラのものであり、かつ受信モジュール30が受信した、DRB構成情報に従って、第1のUE−relayと第1のLPNとの間のDRBベアラを確立することと、を行うように特に構成される。
【０２８７】
本発明の本実施形態の可能な実施では、第1の確立すべきベアラが満たす必要があるQoS要件のための指示子は、第1の確立すべきベアラが満たす必要があるQoS要件である。
【０２８８】
第1のLPNが、オフロードベアラを確立する必要があり、かつMMEによって、LPNから基地局が送信した少なくとも1つの第1の初期バックホールメッセージにおけるLPNの送信容量情報に従って判定される、LPNであり、第1のLPNのIDが、MMEによって、LPNの送信容量情報およびLPNのIDに従って判定され、第1のUE−relayが、第1のLPNのためのベアラを確立でき、かつMMEによって、基地局が送信した少なくとも1つの第1の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第1の初期バックホールメッセージが、1つのLPNのIDと、少なくとも1つのUE−relayのIDと、LPNの送信容量情報と、各UE−relayの送信容量情報と、を含む。
【０２８９】
本発明の本実施形態の別の可能な実施では、第1の確立すべきベアラが満たす必要があるQoS要件のための指示子は、第1のLPNの第2のオフロードすべきベアラのIDである。
【０２９０】
第1のLPNが、オフロードベアラを確立する必要があり、かつMMEによって第2のLPNから、基地局が送信した少なくとも1つの第2の初期バックホールメッセージにおける第2のLPNの送信容量情報に従って判定される、LPNであり、第1のLPNのIDが、MMEによって、第2のLPNの送信容量情報および第2のLPNのIDに従って判定され、第2のLPNが、バックホール容量が制限され、かつ基地局によって少なくとも1つのLPNから判定される、LPNであり、第1のUE−relayが、第1のLPNのためにオフロードベアラを確立でき、かつMMEによって、基地局が送信した少なくとも1つの第2の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含む。
【０２９１】
第1の確立すべきベアラが、MMEによって判定され、かつ第1のLPNの第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のLPNの第1のオフロードすべきベアラのIDならびに第1のUE−relayの送信容量情報および／または第1のLPNの送信容量情報に従って判定される、オフロードすべきベアラである。
【０２９２】
さらに、第2のオフロードすべきベアラにおけるDRBベアラが下りリンクDRBベアラである場合、サービスベアラにおけるDRBベアラは上りリンクDRBベアラである、または第2のオフロードすべきベアラにおけるDRBベアラが上りリンクDRBベアラである場合、サービスベアラにおけるDRBベアラは下りリンクDRBベアラである。
【０２９３】
またさらに、オフロードベアラ構成メッセージが、第1のUE−relayのトラヒックフローテンプレートをさらに含み、第1のUE−relayのトラヒックフローテンプレートが、第1のUE−relayに、サービスベアラにおけるDRBベアラとS1ベアラとの間のマッピング関係を確立するように命令するために使用される。
【０２９４】
本発明の実施形態で提供される装置は、上記の方法実施形態を実行し得る。実施原理およびその技術的な効果は同様であり、ここでは細部を繰り返し説明しない。
【０２９５】
図15は、本発明の実施形態による、基地局の実施形態2の概略的構造図である。基地局は、図1に示すスモールセルを配備するネットワークに適用可能であり、ネットワークは、少なくとも1つのUE−relayと、少なくとも1つのLPNと、基地局と、MMEと、コアネットワーク要素と、を含み、UE−relayが、コアネットワーク要素に有線で接続され、UE−relayが、LPNに無線で接続される。図15に示すように、基地局は、受信機40と、送信機41と、プロセッサ42と、を備える。
【０２９６】
受信機40は、MMEが送信したバックホールオフロード確立要求メッセージを受信するように構成され、バックホールオフロード確立要求メッセージが、第1のLPNの識別情報IDと、第1のUE−relayのIDと、第1のLPNの第1の確立すべきベアラのIDと、第1の確立すべきベアラの第1のS1構成情報と、第1の確立すべきベアラが満たす必要があるサービス品質QoS要件のための指示子と、を含み、第1のLPNが少なくとも1つのLPNのうちの1つであり、第1のUE−relayが少なくとも1つUE−relayのうちの1つである。
【０２９７】
送信機41は、受信機40が受信した第1のLPNのIDに従って、オフロードベアラ要求メッセージを第1のLPNに送信するように構成され、オフロードベアラ要求メッセージが、第1のUE−relayのIDと、第1の確立すべきベアラのIDと、第1の確立すべきベアラが満たす必要があるQoS要件のための指示子と、を運び、オフロードベアラ要求メッセージが、第1のLPNに、第2の確立すべきベアラのデータ無線ベアラDRB構成情報を判定するように命令するために使用され、第2の確立すべきベアラが、第1のUE−relayによって確立され得、かつ第1のLPNによって、オフロードベアラ要求メッセージにある、第1の確立すべきベアラが満たす必要があるQoS要件のための指示子と第1の確立すべきベアラのIDとに従って、第1の確立すべきベアラから判定されるベアラである。
【０２９８】
受信機40は、第1のLPNが送信し、かつ第2の確立すべきベアラのDRB構成情報と第2の確立すべきベアラのIDとを運ぶ、オフロードベアラ肯定応答メッセージを受信するようにさらに構成される。
【０２９９】
プロセッサ42は、受信機40が受信した第2の確立すべきベアラのIDと第1の確立すべきベアラの第1のS1構成情報とに従って、第2の確立すべきベアラの第1のS1構成情報を判定するように構成される。
【０３００】
送信機41が、受信機40が受信した第1のUE−relayのIDに従って、オフロードベアラ構成メッセージを第1のUE−relayに送信することであって、オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのサービスベアラを確立するように命令するために使用される、ことと、第1のUE−relayが送信した、サービスベアラの受信したIDとサービスベアラの受信した第2のS1構成情報とをMMEを用いてコアネットワーク要素に送信することであって、サービスベアラのIDが、第2の確立すべきベアラのIDである、ことと、を行うようにさらに構成される。
【０３０１】
本発明の実施形態で提供される基地局は、上記の方法実施形態を実行し得る。実施原理およびその技術的な効果は同様であり、ここでは細部を繰り返し説明しない。
【０３０２】
さらに、サービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含む。
【０３０３】
場合により、送信機41が、MMEが送信したバックホールオフロード確立要求メッセージを受信機40が受信する前に、少なくとも1つの第1の初期バックホールメッセージをMMEに送信するようにさらに構成され、各第1の初期バックホールメッセージが、1つのLPNのIDと、少なくとも1つのUE−relayのIDと、LPNの送信容量情報と、各UE−relayの送信容量情報と、を含む。第1の確立すべきベアラが満たす必要があるQoS要件のための指示子が、第1の確立すべきベアラが満たす必要があるQoS要件であり、第1のLPNが、ベアラを確立する必要があり、かつMMEによって各LPNの送信容量情報に従って判定される、LPNであり、第1のLPNのIDが、MMEによって、各LPNの送信容量情報および各LPNのIDに従って判定され、第1のUE−relayが、第1のLPNのためのベアラを確立でき、かつMMEによって各UE−relayの送信容量情報に従って判定される、UE−relayであり、第1のUE−relayのIDが、MMEによって各UE−relayの送信容量情報および各UE−relayのIDに従って判定される。
【０３０４】
場合により、プロセッサ42が、MMEが送信したバックホールオフロード確立要求メッセージを受信機40が受信する前に、少なくとも1つのLPNから、バックホール容量が制限されている第2のLPNを取得するようにさらに構成される。送信機41は、少なくとも1つの第2の初期バックホールメッセージをMMEに送信するようにさらに構成され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含む。
【０３０５】
第1のLPNが、オフロードベアラを確立する必要があり、かつMMEによって第2のLPNから各第2のLPNの送信容量情報に従って判定される、LPNであり、第1のLPNのIDが、MMEによって各第2のLPNの送信容量情報および各第2のLPNのIDに従って判定され、第1のUE−relayが、第1のLPNのためにオフロードベアラを確立でき、かつMMEによって各UE−relayの送信容量情報に従って判定される、UE−relayであり、第1のUE−relayのIDが、MMEによって各UE−relayの送信容量情報および各UE−relayのIDに従って判定され、第1の確立すべきベアラが、MMEによって判定され、かつ第1のLPNの第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のオフロードすべきベアラのIDならびに第1のUE−relayの送信容量情報および／または第1のLPNの送信容量情報に従って判定される、オフロードすべきベアラであり、第1の確立すべきベアラが満たす必要があるQoS要件のための指示子が、第2のオフロードすべきベアラのIDである。
【０３０６】
さらに、第2のオフロードすべきベアラにおけるDRBベアラが下りリンクDRBベアラである場合、サービスベアラにおけるDRBベアラは上りリンクDRBベアラである、または第2のオフロードすべきベアラにおけるDRBベアラが上りリンクDRBベアラである場合、サービスベアラにおけるDRBベアラは下りリンクDRBベアラである。
【０３０７】
またさらに、バックホールオフロード確立要求メッセージが、第1のUE−relayのトラヒックフローテンプレートをさらに含み、オフロードベアラ構成メッセージが、第1のUE−relayのトラヒックフローテンプレートをさらに含み、第1のUE−relayのトラヒックフローテンプレートが、第1のUE−relayに、サービスベアラにおけるDRBベアラとS1ベアラとの間のマッピング関係を確立するように命令するために使用される。
【０３０８】
本発明の実施形態で提供される基地局は、上記の方法実施形態を実行し得る。実施原理およびその技術的な効果は同様であり、ここでは細部を繰り返し説明しない。
【０３０９】
図16は、本発明の実施形態による、装置の実施形態4の概略的構造図である。装置は、第1のLPNであり、装置は、図1に示すスモールセルを配備するネットワークに適用可能であり、ネットワークは、少なくとも1つのUE−relayと、少なくとも1つのLPNと、基地局と、MMEと、コアネットワーク要素と、を含み、UE−relayが、コアネットワーク要素に有線で接続され、UE−relayが、LPNに無線で接続され、第1のLPNは、少なくとも1つのLPNのうちの1つである。装置は、受信機50と、プロセッサ51と、送信機52と、を備える。
【０３１０】
受信機50は、MMEが送信したバックホールオフロード確立要求メッセージにおける第1のLPNの識別情報IDに従って、基地局が送信したオフロードベアラ要求メッセージを受信するように構成され、バックホールオフロード確立要求メッセージが、第1のLPNのIDと、第1のUE−relayのIDと、第1のLPNの第1の確立すべきベアラのIDと、第1の確立すべきベアラの第1のS1構成情報と、第1の確立すべきベアラが満たす必要があるサービス品質QoS要件のための指示子と、を含み、オフロードベアラ要求メッセージが、第1のUE−relayのIDと、第1のLPNの第1の確立すべきベアラのIDと、第1の確立すべきベアラが満たす必要があるQoS要件のための指示子と、を運び、第1のUE−relayが、少なくとも1つのUE−relayのうちの1つである。
【０３１１】
プロセッサ51は、受信機50が受信したオフロードベアラ要求メッセージに従って、第1のUE−relayによって確立され得る第2の確立すべきベアラのデータ無線ベアラDRB構成情報を判定するように構成され、第2の確立すべきベアラが、第1のUE−relayによって確立され得、かつ第1のLPNによってオフロードベアラ要求メッセージにある第1の確立すべきベアラが満たす必要があるQoS要件のための指示子および第1の確立すべきベアラのIDに従って第1のLPNの第1の確立すべきベアラから判定されるベアラである。
【０３１２】
送信機52は、オフロードベアラ肯定応答メッセージを基地局に送信するように構成され、オフロードベアラ肯定応答メッセージが、第2の確立すべきベアラのものであり、かつプロセッサ51によって判定される、DRB構成情報と、第2の確立すべきベアラのIDと、を含み、オフロードベアラ肯定応答メッセージが、基地局に、第1のUE−relayのIDに従って、オフロードベアラ構成メッセージを第1のUE−relayへ送信するように命令するために使用され、オフロードベアラ構成メッセージが、第2の確立すべきベアラのIDと、第2の確立すべきベアラのDRB構成情報と、第2の確立すべきベアラの第1のS1構成情報と、を含み、オフロードベアラ構成メッセージが、第1のUE−relayに、第1のLPNのためのサービスベアラを確立するように命令するために使用され、第2の確立すべきベアラの第1のS1構成情報が、第2の確立すべきベアラのIDおよび第1の確立すべきベアラの第1のS1構成情報に従って基地局によって判定される。
【０３１３】
本発明の実施形態で提供される装置は、上記の方法実施形態を実行し得る。実施原理およびその技術的な効果は同様であり、ここでは細部を繰り返し説明しない。
【０３１４】
さらに、サービスベアラが、第1のUE−relayが第2の確立すべきベアラのDRB構成情報に従って確立したDRBベアラと、第1のUE−relayが第2の確立すべきベアラの第1のS1構成情報に従って確立したS1ベアラと、を含む。
【０３１５】
本発明の本実施形態の可能な実施では、第1の確立すべきベアラが満たす必要があるQoS要件のための指示子が、第1の確立すべきベアラが満たす必要があるQoS要件であり、第1のLPNが、ベアラを確立する必要があり、かつMMEによって、基地局が送信した少なくとも1つの第1の初期バックホールメッセージにおけるLPNの送信容量情報に従って判定される、LPNであり、第1のLPNのIDが、MMEによって、LPNの送信容量情報およびLPNのIDに従って判定され、第1のUE−relayが、第1のLPNのためのベアラを確立でき、かつMMEによって、基地局が送信した少なくとも1つの第1の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第1の初期バックホールメッセージが、1つのLPNのIDと、少なくとも1つのUE−relayのIDと、LPNの送信容量情報と、各UE−relayの送信容量情報と、を含む。
【０３１６】
本発明の本実施形態の別の可能な実施では、場合により、第1のLPNが、オフロードベアラを確立する必要があり、かつMMEによって第2のLPNから、基地局が送信した少なくとも1つの第2の初期バックホールメッセージにおける第2のLPNの送信容量情報に従って判定される、LPNであり、第1のLPNのIDが、MMEによって、第2のLPNの送信容量情報および第2のLPNのIDに従って判定され、第2のLPNが、バックホール容量が制限され、かつ基地局によって少なくとも1つのLPNから判定される、LPNである。
【０３１７】
第1のUE−relayが、第1のLPNのためにオフロードベアラを確立でき、かつMMEによって、基地局が送信した少なくとも1つの第2の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含む。
【０３１８】
第1の確立すべきベアラが、MMEによって判定され、かつ第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のLPNの第1のオフロードすべきベアラのIDならびに第1のUE−relayの送信容量情報および／または第1のLPNの送信容量情報に従って判定される、オフロードすべきベアラであり、第1の確立すべきベアラが満たす必要があるQoS要件のための指示子が、第2のオフロードすべきベアラのIDである。
【０３１９】
さらに、第2のオフロードすべきベアラにおけるDRBベアラが下りリンクDRBベアラである場合、サービスベアラにおけるDRBベアラは上りリンクDRBベアラである、または第2のオフロードすべきベアラにおけるDRBベアラが上りリンクDRBベアラである場合、サービスベアラにおけるDRBベアラは下りリンクDRBベアラである。
【０３２０】
またさらに、プロセッサ51が、第1の確立すべきベアラが満たす必要があるQoS要件のための指示子に従って、第1の確立すべきベアラが満たす必要があるDRB QoS要件を判定することと、第1のLPNと第1のUE−relayとの間の無線インターフェースのステータスを取得することと、無線インターフェースステータスおよび第1の確立すべきベアラが満たす必要があるDRB QoS要件に従って、第2の確立すべきベアラを確立することと、第2の確立すべきベアラのDRB構成情報を判定することであって、第2の確立すべきベアラが、第1のLPNによって第1の確立すべきベアラから判定され、かつそのDRB QoS要件が、無線インターフェースステータスと一致する、第1の確立すべきベアラである、ことと、を行うように特に構成される。
【０３２１】
本発明の実施形態で提供される装置は、上記の方法実施形態を実行し得る。実施原理およびその技術的な効果は同様であり、ここでは細部を繰り返し説明しない。
【０３２２】
図17は、本発明の実施形態による、装置の実施形態5の概略的構造図である。装置は、第1のUE−relayであり、装置は、図1に示すスモールセルを配備するネットワークに適用可能であり、ネットワークは、少なくとも1つのUE−relayと、少なくとも1つのLPNと、基地局と、MMEと、コアネットワーク要素と、を含み、UE−relayが、コアネットワーク要素に有線で接続され、UE−relayが、LPNに無線で接続され、第1のUE−relayは、少なくとも1つのUE−relayのうちの1つである。装置は、受信機60と、プロセッサ61と、送信機62と、を備える。
【０３２３】
受信機60は、第1のUE−relayの識別情報IDに従って、基地局が送信したオフロードベアラ構成メッセージを受信するように構成され、オフロードベアラ構成メッセージが、第2の確立すべきベアラの識別情報IDと、第2の確立すべきベアラの第1のS1構成情報と、第2の確立すべきベアラのデータ無線ベアラDRB構成情報と、を含み、第2の確立すべきベアラが、第1のUE−relayによって確立され得、かつ第1のLPNによって第1のLPNの第1の確立すべきベアラから、基地局が送信したオフロードベアラ要求メッセージにおける第1の確立すべきベアラが満たす必要があるサービス品質QoS要件のための指示子および第1のLPNの第1の確立すべきベアラのIDに従って判定される、ベアラであり、オフロードベアラ要求メッセージが、第1のUE−relayのIDと、第1の確立すべきベアラのIDと、第1の確立すべきベアラが満たす必要があるサービス品質QoS要件のための指示子と、を運び、オフロードベアラ要求メッセージが、第1のLPNに、第2の確立すべきベアラのDRB構成情報を判定するように命令するために使用され、第1のLPNが、少なくとも1つのLPNのうちの1つである。
【０３２４】
プロセッサ61は、受信機60が受信した第2の確立すべきベアラの第1のS1構成情報および第2の確立すべきベアラのDRB構成情報に従って、第1のLPNためのサービスベアラ確立するように構成される。
【０３２５】
送信機62は、基地局およびMMEを使用して、プロセッサ61が確立したサービスベアラのIDとサービスベアラの第2のS1構成情報とをコアネットワーク要素に送信するように構成され、サービスベアラのIDが、第2の確立すべきベアラのIDである。
【０３２６】
本発明の実施形態で提供される装置は、上記の方法実施形態を実行し得る。実施原理およびその技術的な効果は同様であり、ここでは細部を繰り返し説明しない。
【０３２７】
さらに、プロセッサ61が、第2の確立すべきベアラのものであり、かつ受信機60が受信した、第1のS1構成情報に従って、第1のUE−relayとコアネットワーク要素との間のS1ベアラを確立することと、第2の確立すべきベアラのものであり、かつ受信機60が受信した、DRB構成情報に従って、第1のUE−relayと第1のLPNとの間のDRBベアラを確立することと、を行うように特に構成される。
【０３２８】
本発明の本実施形態の可能な実施では、第1の確立すべきベアラが満たす必要があるQoS要件のための指示子は、第1の確立すべきベアラが満たす必要があるQoS要件である。
【０３２９】
第1のLPNが、オフロードベアラを確立する必要があり、かつMMEによって、LPNから基地局が送信した少なくとも1つの第1の初期バックホールメッセージにおけるLPNの送信容量情報に従って判定される、LPNであり、第1のLPNのIDが、MMEによって、LPNの送信容量情報およびLPNのIDに従って判定され、第1のUE−relayが、第1のLPNのためのベアラを確立でき、かつMMEによって、基地局が送信した少なくとも1つの第1の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第1の初期バックホールメッセージが、1つのLPNのIDと、少なくとも1つのUE−relayのIDと、LPNの送信容量情報と、各UE−relayの送信容量情報と、を含む。
【０３３０】
本発明の本実施形態の別の可能な実施では、第1の確立すべきベアラが満たす必要があるQoS要件のための指示子は、第1のLPNの第2のオフロードすべきベアラのIDである。
【０３３１】
第1のLPNが、オフロードベアラを確立する必要があり、かつMMEによって第2のLPNから、基地局が送信した少なくとも1つの第2の初期バックホールメッセージにおける第2のLPNの送信容量情報に従って判定される、LPNであり、第1のLPNのIDが、MMEによって、第2のLPNの送信容量情報および第2のLPNのIDに従って判定され、第2のLPNが、バックホール容量が制限され、かつ基地局によって少なくとも1つのLPNから判定される、LPNであり、第1のUE−relayが、第1のLPNのためにオフロードベアラを確立でき、かつMMEによって、基地局が送信した少なくとも1つの第2の初期バックホールメッセージにおける各UE−relayの送信容量情報に従って判定される、UE−relayであり、第1のUE−relayのIDが、MMEによって各UE−relayの送信容量情報および各UE−relayのIDに従って判定され、各第2の初期バックホールメッセージが、1つの第2のLPNのIDと、少なくとも1つのUE−relayのIDと、第2のLPNの送信容量情報と、各UE−relayの送信容量情報と、第2のLPNの第1のオフロードすべきベアラのIDと、を含む。
【０３３２】
第1の確立すべきベアラが、MMEによって判定され、かつ第1のLPNの第2のオフロードすべきベアラに対応する、オフロードベアラであり、第2のオフロードすべきベアラが、第1のUE−relayを用いてオフロードされ得、かつMMEによって第1のLPNの第1のオフロードすべきベアラから第1のLPNの第1のオフロードすべきベアラのIDならびに第1のUE−relayの送信容量情報および／または第1のLPNの送信容量情報に従って判定される、オフロードすべきベアラである。
【０３３３】
さらに、第2のオフロードすべきベアラにおけるDRBベアラが下りリンクDRBベアラである場合、サービスベアラにおけるDRBベアラは上りリンクDRBベアラである、または第2のオフロードすべきベアラにおけるDRBベアラが上りリンクDRBベアラである場合、サービスベアラにおけるDRBベアラは下りリンクDRBベアラである。
【０３３４】
またさらに、オフロードベアラ構成メッセージが、第1のUE−relayのトラヒックフローテンプレートをさらに含み、第1のUE−relayのトラヒックフローテンプレートが、第1のUE−relayに、サービスベアラにおけるDRBベアラとS1ベアラとの間のマッピング関係を確立するように命令するために使用される。
【０３３５】
本発明の実施形態で提供される装置は、上記の方法実施形態を実行し得る。実施原理およびその技術的な効果は同様であり、ここでは細部を繰り返し説明しない。
【０３３６】
最後に、上記実施形態は、本発明を限定するためのものではく、単に本発明の技術的解決策を説明するためのものにすぎないことに留意されたい。本発明は上記実施形態に関連して詳細に説明されているが、当業者は、本発明の実施形態の技術的解決策の範囲を逸脱することなく、さらに、前述の実施形態に記述されている技術的解決策に改変を加え、あるいは、前述の実施形態の一部またはすべての技術的特徴に対する等価の置換を行うことができることを理解するはずである。
【符号の説明】
【０３３７】
10  受信モジュール
11  送信モジュール
12  判定モジュール
20  受信モジュール
21  判定モジュール
211  第1の判定ユニット
212  第2の判定ユニット
213  第3の判定ユニット
30  受信モジュール
31  ベアラ確立モジュール
32  送信モジュール
40  受信機
41  送信機
42  プロセッサ
50  受信機
51  プロセッサ
52  送信機
60  受信機
61  プロセッサ
62  送信機
【図１】
0006490245.tif 000002
【図２】
0006490245.tif 000003
【図３Ａ】
0006490245.tif 000004
【図３Ｂ】
0006490245.tif 000005
【図４Ａ】
0006490245.tif 000006
【図４Ｂ】
0006490245.tif 000007
【図５】
0006490245.tif 000008
【図６】
0006490245.tif 000009
【図７】
0006490245.tif 000010
【図８】
0006490245.tif 000011
【図９Ａ】
0006490245.tif 000012
【図９Ｂ】
0006490245.tif 000013
【図９Ｃ】
0006490245.tif 000014
【図１０Ａ】
0006490245.tif 000015
【図１０Ｂ】
0006490245.tif 000016
【図１０Ｃ】
0006490245.tif 000017
【図１１】
0006490245.tif 000018
【図１２】
0006490245.tif 000019
【図１３】
0006490245.tif 000020
【図１４】
0006490245.tif 000021
【図１５】
0006490245.tif 000022
【図１６】
0006490245.tif 000023
【図１７】
0006490245.tif 000024